(57)【要約】【課題】上記課題を鑑みてなされたものであり、グループ向けの特典付与サービスを提供するのに好適な特典付与システムを提供することを目的としている。【解決手段】予め登録された利用者に固有の識別情報である利用者ＩＤと、該利用者ＩＤに対して付与された特典情報である獲得特典情報とを対応付けて記憶する一方、登録された利用者ＩＤのうちグループ化要求のあった利用者ＩＤをグループ化する。更に、グループ化したグループに属する各利用者ＩＤに対応する利用者の、予め登録したグループ向けの特典付与の対象となるサービスの利用状況が、予め設定した特典付与条件を満足したと判定すると、該判定結果に対応する利用者の利用者ＩＤに対応する獲得特典情報に対して特典情報を付与することに加えて、該利用者ＩＤの属するグループの他の利用者ＩＤに対応する獲得特典情報に対しても特典情報を付与する。【選択図】        図１０
2017049622.tif 000002
【特許請求の範囲】
【請求項１】
予め登録された利用者に固有の識別情報である利用者識別情報と、該利用者識別情報に対して付与された特典情報である獲得特典情報とを対応付けて記憶する特典情報記憶部と、
前記登録された利用者識別情報のうちグループ化要求のあった利用者識別情報をグループ化するグループ化部と、
前記グループ化部がグループ化したグループに属する各利用者識別情報に対応する利用者の、予め登録されたグループ向けの特典付与の対象となるサービスの利用状況が、予め設定した特典付与条件を満足したか否かを判定する利用状況判定部と、
前記利用状況判定部が前記特典付与条件を満足したと判定すると、前記特典情報記憶部に記憶された、該判定結果に対応する利用者の前記利用者識別情報に対応する前記獲得特典情報に対して前記特典情報を付与することに加えて、該利用者識別情報の属するグループの他の利用者識別情報に対応する前記獲得特典情報に対しても前記特典情報を付与する特典付与部と、を備えることを特徴とする特典付与システム。
【請求項２】
利用者に携帯される携帯機と、グループ向けの特典付与の対象となるサービスを提供する施設に設置された施設端末と、特典付与サービス提供サーバとを備え、
前記特典付与サービス提供サーバと前記携帯機とを通信回線を介して互いにデータ通信可能に接続すると共に、前記特典付与サービス提供サーバと前記施設端末とを通信回線を介して互いにデータ通信可能に接続し、
前記携帯機は、
前記特典付与サービス提供サーバに予め登録された、前記利用者に固有の識別情報である利用者識別情報を記憶する利用者識別情報記憶部と、
前記利用者識別情報記憶部に記憶された前記利用者識別情報を含むグループ化要求を前記特典付与サービス提供サーバに送信するグループ化要求送信部と、を備え、
前記施設端末は、
前記携帯機から前記利用者識別情報を取得する利用者識別情報取得部と、
前記利用者識別情報取得部が取得した前記利用者識別情報に対応する利用者の、前記グループ向けの特典付与の対象となるサービスの利用状況が、予め設定した特典付与条件を満足するか否かを判定する利用状況判定部と、
前記利用状況判定部が前記特典付与条件を満足したと判定した場合に、該特典付与条件を満足した利用状況に対応する利用者の前記利用者識別情報を含む特典付与要求を前記特典付与サービス提供サーバに送信する特典付与要求送信部と、を備え、
前記特典付与サービス提供サーバは、
前記携帯機からの前記グループ化要求を受信するグループ化要求受信部と、
前記グループ化要求受信部が受信したグループ化要求に含まれる前記利用者識別情報を記憶する識別情報記憶部と、
前記識別情報記憶部に記憶された前記利用者識別情報のうち、予め設定したグループ化条件を満たす利用者識別情報をグループ化するグループ化部と、
前記利用者識別情報と、該利用者識別情報に対して付与された特典情報である獲得特典情報とを対応付けて記憶する特典情報記憶部と、
前記施設端末からの前記特典付与要求を受信すると、前記特典情報記憶部に記憶された、受信した前記特典付与要求に含まれる前記利用者識別情報に対応する前記獲得特典情報に対して特典情報を付与することに加えて、該利用者識別情報の属するグループの他の利用者識別情報に対応する前記獲得特典情報に対しても特典情報を付与する特典付与部と、を備えることを特徴とする特典付与システム。
【請求項３】
前記携帯機は、
当該携帯機の現在位置情報を取得する位置情報取得部と、
前記利用者識別情報記憶部に記憶された前記利用者識別情報と前記位置情報取得部が取得した現在位置情報とを含むクーポン取得要求を前記特典付与サービス提供サーバに送信するクーポン取得要求送信部と、を更に備え、
前記特典付与サービス提供サーバは、
前記施設の位置情報と、該施設で提供される前記グループ向けの特典付与の対象となるサービスであるグループ向け特典付与サービスに適用可能なクーポンの情報とを含むクーポン情報を記憶するクーポン情報記憶部と、
前記携帯機からの前記クーポン取得要求を受信すると、前記クーポン情報記憶部に記憶されたクーポン情報のうちから、前記受信したクーポン取得要求に含まれる前記現在位置情報の示す現在位置から予め設定した設定距離範囲内に存在する施設に対応する前記クーポン情報を選定するクーポン情報選定部と、
前記クーポン情報選定部が選定した前記クーポン情報を、前記受信した利用者識別情報に対応する利用者の携帯機に送信するクーポン情報送信部と、を更に備え、
前記特典付与条件は、前記クーポンの種類毎に異なる条件が設定されており、
前記利用状況判定部は、前記利用者識別情報取得部が取得した前記利用者識別情報に対応する利用者の、前記クーポンを用いた前記グループ向け特典付与サービスの利用状況が、該クーポンに対して設定された前記特典付与条件を満足したか否かを判定することを特徴とする請求項２に記載の特典付与システム。
【請求項４】
前記クーポン情報は、前記クーポンを用いることによって特典を付与可能なグループ人数の情報を含み、
前記クーポン情報選定部は、前記クーポン情報記憶部に記憶されたクーポン情報のうちから、前記受信した利用者識別情報に対応するグループの全ての利用者識別情報に対応する前記獲得特典情報に対して前記特典情報を付与可能で、かつ、前記受信した現在位置情報の示す現在位置から予め設定した設定距離範囲内に存在する施設に対応するクーポン情報を選定することを特徴とする請求項３に記載の特典付与システム。
【請求項５】
利用者に携帯される携帯機と、特典付与サービス提供サーバとを通信回線を介して互いにデータ通信可能に備え、
前記携帯機は、
前記特典付与サービス提供サーバに予め登録された、前記利用者に固有の識別情報である利用者識別情報を記憶する利用者識別情報記憶部と、
前記利用者識別情報記憶部に記憶された前記利用者識別情報を含むグループ化要求を前記特典付与サービス提供サーバに送信するグループ化要求送信部と、
当該携帯機の現在位置情報を取得する位置情報取得部と、
前記利用者識別情報記憶部に記憶された前記利用者識別情報と前記位置情報取得部が取得した前記現在位置情報とを含む特典取得要求を前記特典付与サービス提供サーバに送信する特典取得要求送信部と、を備え、
前記特典付与サービス提供サーバは、
前記携帯機からの前記グループ化要求を受信するグループ化要求受信部と、
前記グループ化要求受信部が受信したグループ化要求に含まれる前記利用者識別情報を記憶する識別情報記憶部と、
前記識別情報記憶部に記憶された前記利用者識別情報のうち、予め設定したグループ化条件を満たす利用者識別情報をグループ化するグループ化部と、
前記携帯機からの前記特典取得要求を受信する特典取得要求受信部と、
前記特典取得要求受信部が受信した前記特典取得要求に含まれる前記現在位置情報の示す位置が、予め設定した特典を取得可能な位置である場合に、前記特典取得要求に含まれる前記利用者識別情報に対応する利用者の携帯機に対して特典情報を付与することに加えて、該利用者識別情報の属するグループの他の利用者識別情報に対応する利用者の携帯機に対しても特典情報を付与する特典付与部と、を備えることを特徴とする特典付与システム。
【請求項６】
前記特典情報は、電子アイテムであり、
前記特典付与サービス提供サーバは、
前記電子アイテムと、該電子アイテムを取得可能なグループ人数と、該電子アイテムを取得可能な位置情報とを含む電子アイテム情報が記憶された電子アイテム情報記憶部を備え、
前記特典付与部は、前記電子アイテム情報記憶部に記憶された電子アイテムのうちから、前記特典取得要求に含まれる前記利用者識別情報の属するグループの全ての利用者識別情報に対応する利用者の携帯機に付与可能で、かつ、前記特典取得要求に含まれる前記現在位置情報の示す位置で取得可能な電子アイテムを選定し、選定した電子アイテムを、前記特典取得要求に含まれる前記利用者識別情報に対応する利用者の携帯機に送信することに加えて、該利用者識別情報の属するグループの他の利用者識別情報に対応する利用者の携帯機に対しても送信することを特徴とする請求項５に記載の特典付与システム。
【請求項７】
複数の利用者が同乗可能な乗り物に搭載された機器を更に備え、
前記機器は、前記特典付与サービス提供サーバに予め登録された、当該機器に固有の識別情報である機器識別情報を記憶する機器識別情報記憶部を備え、
前記携帯機は、前記機器から前記機器識別情報を取得する機器識別情報取得部を更に備え、
前記グループ化要求送信部は、前記機器識別情報取得部が前記機器識別情報を取得すると、取得した機器識別情報と前記利用者識別情報記憶部に記憶された前記利用者識別情報とを含むグループ化要求を前記特典付与サービス提供サーバに送信し、
前記識別情報記憶部は、前記グループ化要求受信部が受信したグループ化要求に含まれる前記利用者識別情報及び前記機器識別情報を対応付けて記憶し、
前記グループ化部は、同じ前記機器識別情報が対応付けられた前記利用者識別情報を、前記グループ化条件を満たす利用者識別情報としてグループ化することを特徴とする請求項２乃至６のいずれか１項に記載の特典付与システム。
【請求項８】
前記機器は、車両に搭載された車載機であることを特徴とする請求項７に記載の特典付与システム。
【請求項９】
前記特典付与サービス提供サーバは、前記グループ化部でグループ化したグループのうち、予め設定した解除条件を満たしたグループのグループ化を解除するグループ化解除部を更に備えることを特徴とする請求項２乃至８のいずれか１項に記載の特典付与システム。
【請求項１０】
前記特典付与サービス提供サーバは、前記グループ化部でグループ化したグループのうち、予め設定した解除条件を満たしたグループのグループ化を解除するグループ化解除部を更に備え、
前記識別情報記憶部は、前記グループ化要求に含まれる前記利用者識別情報及び前記機器識別情報を、該グループ化要求を受信時の日付情報と対応付けて記憶し、
前記グループ化部は、同じ前記日付情報及び同じ前記機器識別情報が対応付けられた前記利用者識別情報を、前記グループ化条件を満たす利用者識別情報としてグループ化し、
前記グループ化解除部は、前記識別情報記憶部に記憶された前記グループ化された利用者識別情報のうち、前記グループ化要求を受信時の日付からの経過日数が予め設定した設定日数以上になった利用者識別情報を削除することでグループ化を解除することを特徴とする請求項７又は８に記載の特典付与システム。
【請求項１１】
利用者に携帯される携帯機と、複数の利用者が同乗可能な乗り物に搭載された機器と、特典付与サービス提供サーバと、グループ向けの特典付与の対象となるサービスを提供する施設に設置された施設端末とを備え、
前記特典付与サービス提供サーバと前記機器とを通信回線を介して互いにデータ通信可能に接続すると共に、前記特典付与サービス提供サーバと前記施設端末とを通信回線を介して互いにデータ通信可能に接続し、
前記携帯機は、
前記特典付与サービス提供サーバに予め登録された、前記利用者に固有の識別情報である利用者識別情報を記憶する利用者識別情報記憶部を備え、
前記機器は、
前記特典付与サービス提供サーバに予め登録された、当該機器に固有の識別情報である機器識別情報を記憶する機器識別情報記憶部と、
前記携帯機から前記利用者識別情報を取得する利用者識別情報取得部と、
前記利用者識別情報取得部が前記利用者識別情報を取得すると、該取得した利用者識別情報と前記機器識別情報記憶部に記憶された前記機器識別情報とを含むグループ化要求を前記特典付与サービス提供サーバに送信するグループ化要求送信部と、を備え、
前記施設端末は、
前記携帯機から前記利用者識別情報を取得する利用者識別情報取得部と、
前記利用者識別情報取得部が取得した前記利用者識別情報に対応する利用者の、前記グループ向けの特典付与の対象となるサービスの利用状況が、予め設定した特典付与条件を満足したか否かを判定する利用状況判定部と、
前記利用状況判定部が前記特典付与条件を満足したと判定した場合に、該特典付与条件を満足した利用状況に対応する利用者の前記利用者識別情報を含む特典付与要求を前記特典付与サービス提供サーバに送信する特典付与要求送信部と、を備え、
前記特典付与サービス提供サーバは、
前記機器からの前記グループ化要求を受信するグループ化要求受信部と、
前記グループ化要求受信部が受信した前記グループ化要求に含まれる前記利用者識別情報及び前記機器識別情報を対応付けて記憶する識別情報記憶部と、
前記識別情報記憶部に記憶された前記利用者識別情報のうち、同じ前記機器識別情報が対応付けられた前記利用者識別情報をグループ化するグループ化部と、
前記利用者識別情報と、該利用者識別情報に対して付与された特典情報である獲得特典情報とを対応付けて記憶する特典情報記憶部と、
前記施設端末からの前記特典付与要求を受信すると、前記特典情報記憶部に記憶された、前記特典付与要求に対応する利用者識別情報に対応する前記獲得特典情報に対して特典情報を付与することに加えて、該利用者識別情報の属するグループの他の利用者識別情報に対応する前記獲得特典情報に対しても前記特典情報を付与する特典付与部と、を備えることを特徴とする特典付与システム。
【請求項１２】
前記施設端末は、前記施設で提供される前記グループ向けの特典付与の対象となるサービスであるグループ向け特典付与サービスに適用可能なクーポンの情報を含むクーポン情報を記憶するクーポン情報記憶部を更に備え、
前記特典付与条件は、前記クーポンの種類毎に異なる条件が設定されており、
前記利用状況判定部は、前記利用者識別情報取得部が取得した前記利用者識別情報の属するグループの全ての利用者識別情報に対応する前記獲得特典情報に対して特典情報を付与可能なクーポンが、前記クーポン情報記憶部に記憶されたクーポン情報の中にあるか否かを判定し、前記付与可能なクーポンがあると判定した場合に、前記特典付与条件を満足したと判定することを特徴とする請求項１１に記載の特典付与システム。
【請求項１３】
前記特典付与サービス提供サーバは、前記グループ化部でグループ化したグループのうち、予め設定した解除条件を満たしたグループのグループ化を解除するグループ化解除部を更に備えることを特徴とする請求項１１又は１２に記載の特典付与システム。
【請求項１４】
前記機器は、車両に搭載された車載機であり、
前記車載機は、
当該車載機の現在位置情報を取得する位置情報取得部と、
前記位置情報取得部が取得した前記現在位置情報の示す位置が、予め設定した設定領域内であるか否かを判定する領域判定部と、
前記領域判定部が、前記設定領域内であると判定すると、前記機器識別情報記憶部に記憶された前記機器識別情報を含むグループ化解除要求を前記特典付与サービス提供サーバに送信するグループ化解除要求送信部と、を更に備え、
前記グループ化解除部は、前記車載機からの前記グループ化解除要求を受信すると、前記解除条件を満たしたと判定し、受信したグループ化解除要求に含まれる前記機器識別情報に対応付けられた前記利用者識別情報の属するグループのグループ化を解除することを特徴とする請求項１３に記載の特典付与システム。
【請求項１５】
前記車載機は、前記車両のイグニッションがオン状態からオフ状態になったか否かを検出するイグニッション状態検出部を更に備え、
前記位置情報取得部は、前記イグニッション状態検出部が前記オン状態からオフ状態になったことを検出すると、前記現在位置情報を取得することを特徴とする請求項１４に記載の特典付与システム。
【請求項１６】
前記設定領域は、前記利用者の自宅の領域と、レンタカーの集配所の領域とを含むことを特徴とする請求項１４又は１５に記載の特典付与システム。
【発明の詳細な説明】
【技術分野】
【０００１】
本発明は、利用者のグループに対して特典を付与する技術に関する。
【背景技術】
【０００２】
特許文献１には、車載情報端末が、サーバから店舗の施設情報などを取得し、取得した施設情報に対応する店舗に車両が立ち寄ったことを検出すると、この店舗で利用できるクーポン情報を含む施設情報を乗員が所持する携帯端末に転送する。運転者は、クーポンを携帯端末のディスプレイに表示し、表示したクーポンを店舗内で提示することで所定の特典を得る施設情報提供システムの発明が記載されている。
【先行技術文献】
【特許文献】
【０００３】
【特許文献１】特開２０１０−１５２７０号公報
【発明の概要】
【発明が解決しようとする課題】
【０００４】
上記従来技術では、クーポンを含む施設情報を運転者の携帯端末に送信する。そのため、クーポンを利用した運転者に対して特典を付与することは容易である。しかし、例えば、クーポン利用者を含む複数人のグループの全員に対して特典を付与する等、グループ向けの特典付与サービスを提供する場合、他の乗員については人数や所在等を把握できないため、特典を付与することは困難である。
本発明は、上記課題を鑑みてなされたものであり、グループ向けの特典付与サービスを提供するのに好適な特典付与システムを提供することを目的としている。
【課題を解決するための手段】
【０００５】
上記課題を解決するために、本発明の一態様は、予め登録された利用者に固有の識別情報である利用者識別情報と、該利用者識別情報に対して付与された特典情報である獲得特典情報とが対応付けられて特典情報記憶部に記憶される。一方、利用者識別情報を含むグループ化要求を受信すると、受信したグループ化要求に含まれる利用者識別情報をグループ化する。加えて、グループ化した利用者識別情報に対応する利用者の、予め登録されたグループ向けの特典付与の対象となるサービスの利用状況が、予め設定した特典付与条件を満足したか否かを判定する。そして、特典付与条件を満足したと判定すると、特典情報記憶部に記憶された、特典付与条件を満足した利用状況に対応する利用者の利用者識別情報に対応する獲得特典情報に対して特典情報を付与する。加えて、該利用者識別情報の属するグループの他の利用者識別情報に対応する獲得特典情報に対しても特典情報を付与する。
【発明の効果】
【０００６】
本発明によれば、グループ化した利用者識別情報に対応する利用者のグループ向けの特典付与の対象となるサービスの利用状況が、予め設定した特典付与条件を満足したか否かを判定する。そして、特典付与条件を満足したと判定すると、特典付与条件を満足した利用状況に対応する利用者の利用者識別情報に対応する獲得特典情報と、この利用者識別情報の属するグループの他の利用者識別情報に対応する獲得特典情報とに対して特典情報を付与する。
これにより、店舗等において、グループ構成員の全員の利用者識別情報を取得する等の煩わしい作業をすることなく、簡易に、グループ向けの特典付与サービスを提供することが可能となる。
【図面の簡単な説明】
【０００７】
【図１】（ａ）及び（ｂ）は、第１実施形態の特典システム１の概要構成図である。
【図２】（ａ）は、第１実施形態の携帯機１０のハードウェア構成の一例を示すブロック図であり、（ｂ）は、第１実施形態の車載機２０のハードウェア構成の一例を示すブロック図である。
【図３】第１実施形態の特典付与サービス提供サーバ３０のハードウェア構成の一例を示すブロック図である。
【図４】第１実施形態の店舗端末４０のハードウェア構成の一例を示すブロック図である。
【図５】第１実施形態の携帯機１０の機能構成の一例を示すブロック図である。
【図６】第１実施形態のサーバ３０の機能構成の一例を示すブロック図である。
【図７】第１実施形態の店舗端末４０の機能構成の一例を示すブロック図である。
【図８】個人情報登録要求処理の処理手順の一例を示すフローチャートである。
【図９】個人情報登録処理の処理手順の一例を示すフローチャートである。
【図１０】グループ向け特典付与サービスの流れの一例を示すフローチャートである。
【図１１】第１実施形態のグループ化要求送信処理の処理手順の一例を示すフローチャートである。
【図１２】グループ化処理の一例を示すフローチャートである。
【図１３】クーポン取得処理の処理手順の一例を示すフローチャートである。
【図１４】クーポン情報送信処理の処理手順の一例を示すフローチャートである。
【図１５】第１実施形態の利用状況判定処理及び特典付与要求送信処理の処理手順の一例を示すフローチャートである。
【図１６】Ｇｒ人数取得応答送信処理の処理手順の一例を示すフローチャートである。
【図１７】特典付与処理の処理手順の一例を示すフローチャートである。
【図１８】グループ化解除処理の処理手順の一例を示すフローチャートである。
【図１９】個人情報登録用ページの表示から利用者ＩＤを登録するまでの携帯機１０及びサーバ３０の動作例を示すシーケンス図である。
【図２０】（ａ）は、ポイント管理データベースの一例を示す図であり、（ｂ）は、ポイントＩＤデータベースの一例を示す図である。
【図２１】車載機ＩＤの取得からグループ化完了通知を受信するまでの携帯機１０、車載機２０及びサーバ３０の動作例を示すシーケンス図である。
【図２２】グループ化された利用者ＩＤ情報の一例を示す図である。
【図２３】携帯機１０がクーポン取得指示を受け付けてからクーポンの詳細情報を表示するまでの携帯機１０及びサーバ３０の動作例を示すシーケンス図である。
【図２４】（ａ）は、クーポン情報データベースの一例を示す図であり、（ｂ）は、店舗情報データベースの一例を示す図である。
【図２５】店舗端末４０が利用者ＩＤ及びクーポンＩＤを取得してから携帯機１０が特典取得通知を受信するまでの携帯機１０、サーバ３０及び店舗端末４０の動作例を示すシーケンス図である。
【図２６】（ａ）は、クーポン情報の一例を示す図であり、（ｂ）は、商品情報の一例を示す図である。
【図２７】（ａ）及び（ｂ）は、第２実施形態の特典付与システムの概略構成図である。
【図２８】（ａ）は、車載機８０のハードウェア構成の一例を示すブロック図であり、（ｂ）は、携帯機７０のハードウェア構成の一例を示すブロック図である。
【図２９】車載機８０の機能構成の一例を示すブロック図である。
【図３０】第２実施形態のサーバ３０の機能構成の一例を示すブロック図である。
【図３１】第２実施形態の店舗端末４０の機能構成の一例を示すブロック図である。
【図３２】第２実施形態のグループ向け特典付与サービスの流れの一例を示すフローチャートである。
【図３３】第２実施形態のグループ化要求送信処理の処理手順の一例を示すフローチャートである。
【図３４】利用状況判定処理及び特典付与要求送信処理の処理手順の一例を示すフローチャートである。
【図３５】グループ化解除要求送信処理の処理手順の一例を示すフローチャートである。
【図３６】第２実施形態のグループ化解除処理の処理手順の一例を示すフローチャートである。
【図３７】車載機８０が携帯機７０から利用者ＩＤを取得してからグループ化完了通知を受信するまでの車載機８０及びサーバ３０の動作例を示すシーケンス図である。
【図３８】店舗端末４０が携帯機７０から利用者ＩＤを取得してから車載機８０が特典取得通知を受信するまでの車載機８０、サーバ３０及び店舗端末４０の動作例を示すシーケンス図である。
【図３９】車載機８０がイグニッションスイッチ９０のオン状態からオフ状態への変化を検出してからグループ化解除応答を受信するまでの車載機８０及びサーバ３０の動作例を示すシーケンス図である。
【図４０】（ａ）及び（ｂ）は、第３実施形態の特典付与システムの概略構成図である。
【図４１】第３実施形態の特典付与サービス提供サーバ３５のハードウェア構成の一例を示すブロック図である。
【図４２】第３実施形態の携帯機１０の機能構成の一例を示すブロック図である。
【図４３】サーバ３５の機能構成の一例を示すブロック図である。
【図４４】第３実施形態のグループ向け特典付与サービスの流れの一例を示すフローチャートである。
【図４５】特典取得要求送信処理の処理手順の一例を示すフローチャートである。
【図４６】第３実施形態の特典付与処理の処理手順の一例を示すフローチャートである。
【図４７】携帯機７０が位置情報送信指示を受け付けてからグループの他の構成員の携帯機１０に対して特典が付与されるまでの携帯機１０及びサーバ３５の動作例を示すシーケンス図である。
【図４８】（ａ）は、アイテム管理データベースの一例を示す図であり、（ｂ）は、アイテム情報データベースの一例を示す図である。
【発明を実施するための形態】
【０００８】
（第１実施形態）
（構成）
まず、第１実施形態の特典付与システム１の構成について説明する。
ここで、特典付与システム１は、利用者に対して、グループ向け特典付与サービスを提供するシステムである。
また、第１実施形態のグループ向け特典付与サービスは、グループ向け特典付与の対象となるサービスを提供する施設（店舗）において、利用者がこのサービスを利用した場合に、この利用者と、この利用者の所属するグループの他のメンバー全員とに対して特典を付与するサービスである。
特典付与システム１は、図１（ａ）及び（ｂ）に示すように、携帯機１０Ａ〜１０Ｄと、車両Ｖに搭載された車載機２０と、特典付与サービス提供サーバ３０と、店舗端末４０とを含んで構成される。
第１実施形態において、携帯機１０Ａ〜１０Ｄは、携帯電話機能を有する通信端末から構成される。また、携帯機１０Ａ〜１０Ｄは、それぞれ利用者Ａ〜Ｄに携帯される端末である。
以下、携帯機１０Ａ〜１０Ｄは、区別する必要が無い場合に「携帯機１０」と称す。
【０００９】
なお、図１（ａ）及び（ｂ）では、説明の便宜上、１台の車両Ｖを例示しており、かつ、携帯機１０Ａ〜１０Ｄの４台の携帯機を例示しているが、この構成に限らない。システムの実施時には、利用者の人数に応じて、車両Ｖの台数は、複数台で構成され、各車両Ｖ内に存在する携帯機１０の台数も、４台に限らず３台以下や５台以上で構成される。また、携帯機１０が車両Ｖ内に存在する場合を例示しているが、携帯機１０は、利用者が携帯して移動することによって、車両Ｖの内外へと移動するものである。
また、携帯機１０と、特典付与サービス提供サーバ３０とは、基地局５０及びネットワーク６０を介して相互にデータ通信可能に接続されている。
【００１０】
車載機２０は、当該車載機２０に固有の識別情報である車載機ＩＤが記憶された記憶媒体を含んで構成される。第１実施形態において、車載機２０は、ＮＦＣ（Near Field Communication）タグから構成される。
なお、車載機２０は、ＮＦＣタグに限らず、例えば、ＲＦＩＤ（Radio Frequency Identification）タグ等から構成してもよい。また、タグに限らず、赤外線の送受信機を備える機器、無線ＬＡＮの送受信機を備える機器、Bluetooth（登録商標）の送受信機を備える機器等、携帯機１０が無線通信可能な機能を備える機器から構成してもよい。
【００１１】
特典付与サービス提供サーバ３０は、上述したグループ向け特典付与サービスを提供するサーバである。第１実施形態の特典付与サービス提供サーバ３０は、利用者の個人情報を登録する処理、利用者をグループ化する処理、利用者にクーポン情報を付与する処理、利用者に対して特典を付与する処理、グループ化を解除する処理等を行う。
店舗端末４０は、利用者に対して、グループ向け特典付与サービスの対象となるサービスを提供する店舗に設置された端末である。第１実施形態の店舗では、例えば、グループ向け特典付与サービスの付与対象となる品物を販売している。そして、利用者が、この品物を購入する際に、店舗が発行するクーポンを利用することで、グループ向け特典が付与される。
【００１２】
また、特典付与サービス提供サーバ３０と、店舗端末４０とは、ネットワーク６０を介して相互にデータ通信可能に接続されている。
基地局５０は、第３世代移動通信システム、第４世代移動通信システム等の移動通信システムに対応する携帯電話の基地局である。なお、図１（ｂ）には、基地局５０を１局のみ表示しているが、実際には、複数の基地局が存在する。
ネットワーク６０は、携帯機１０が利用可能な第３世代移動通信システム、第４世代移動通信システム等の移動通信システムのコアネットワーク、インターネット、その他のＬＡＮ（Local Area Network）、ＷＡＮ（Wide Area Network）等を含む複合的なネットワークである。各ネットワークは、インターネットを介して相互にデータ通信可能に接続されている。
【００１３】
（携帯機１０のハードウェア構成）
次に、図２（ａ）に基づき、携帯機１０のハードウェア構成を説明する。
図２（ａ）に示すように、携帯機１０は、車載機ＩＤ読取部１０ａと、ループアンテナ１０ｂと、ＣＰＵ（Central Processing Unit）１０ｃと、利用者ＩＤ記憶部１０ｄと、通信部１０ｆと、タッチパネル１０ｇと、地図情報記憶部１０ｈと、ＧＰＳ受信機１０ｊとを含んで構成される。
ここで、携帯機１０は、例えば、ＰＤＡ（Personal Digital Assistant）、タブレット端末、携帯電話（スマートフォン、フィーチャーフォン等）、ノートＰＣ（Personal Computer）などの携帯型の情報端末に実装される。
【００１４】
車載機ＩＤ読取部１０ａは、第１実施形態において、ＮＦＣリーダ・ライタＬＳＩ１１と、ループアンテナ１２とを含んで構成される。
ＮＦＣリーダ・ライタＬＳＩ１１は、ループアンテナ１２を介して、無線通信範囲内に存在する車載機２０から車載機ＩＤを読み取る。ＮＦＣリーダ・ライタＬＳＩ１１は、読み取った車載機ＩＤをＣＰＵ１０ｃに入力する。
なお、ＮＦＣリーダ・ライタＬＳＩ１１は、ＣＰＵ１０ｃからの指令に応じて、車載機２０の備える記憶媒体に情報を書き込むことも可能であるが、情報の書き込みを行わない場合は、リーダのみの機能を有する構成としてもよい。
【００１５】
ループアンテナ１２は、アルミや銅などの導線を環状に形成してなるアンテナである。
ＣＰＵ１０ｃは、不図示の記憶媒体に予め記憶された各種専用のコンピュータプログラムに記述された命令に従って、後述するグループ化要求送信処理、クーポン取得要求送信処理等を実行する。
利用者ＩＤ記憶部１０ｄは、特典付与サービス提供サーバ３０に予め登録された利用者ＩＤが記憶された記憶媒体を含んで構成される。第１実施形態において、利用者ＩＤ記憶部１０ｄは、ＮＦＣタグＬＳＩ１３と、ループアンテナ１４とから構成される。
【００１６】
ＮＦＣタグＬＳＩ１３は、利用者ＩＤを記憶する記憶媒体と、制御回路と、ＲＦ・Ｉ／Ｆ回路と、シリアル通信回路とを含んで構成される。
記憶媒体は、フラッシュメモリや強誘電体メモリ等の不揮発性の記憶媒体から構成される。
制御回路は、ＮＦＣタグＬＳＩ１３の各種動作を制御する回路である。シリアル通信回路を介したＣＰＵ１０ｃからの読出要求に応じて、記憶媒体に記憶された利用者ＩＤやクーポン情報等の情報を読み出す。そして、読み出した情報を、ＣＰＵ１０ｃに入力する。また、制御回路は、ＮＦＣタグ・リーダの機能を有する外部機器からの読出要求に応じて、記憶媒体に記憶された利用者ＩＤやクーポン情報等の情報を読み出す。そして、読み出した情報を、ＲＦ・Ｉ／Ｆ回路に入力する。また、制御回路は、シリアル通信回路を介したＣＰＵ１０ｃからの書込要求に応じて指定された情報を記憶媒体に書き込む。
【００１７】
ＲＦ・Ｉ／Ｆ回路は、制御回路からのデジタル情報を含む信号を生成し、この信号をループアンテナ１４から電波として放射する送信回路と、ループアンテナ１４からの信号を復調して該信号に乗せられたデジタル情報を取り出す受信回路とを含んで構成される。
ループアンテナ１４は、ループアンテナ１２と同様に、アルミや銅などの導線を環状に形成してなるアンテナである。
また、利用者ＩＤは、利用者が、特典付与サービス提供サーバ３０に個人情報を登録することで発行される識別情報であり、利用者に固有の情報である。
通信部１０ｆは、例えば、ＣＤＭＡ２０００、Ｗ−ＣＤＭＡ、ＬＴＥ等の第３世代移動通信システム、ＬＴＥ−Ａｄｖａｎｃｅｄ等の第４世代通信システムなどの公知の携帯電話の通信規格に準拠した無線送受信機である。通信部１０ｆは、携帯電話の基地局５０を介してネットワーク６０に接続された特典付与サービス提供サーバ３０等の外部機器とデータの送受信を可能とする。
【００１８】
タッチパネル１０ｇは、タッチ式の入力デバイスと液晶パネルとを組み合わせたデバイスである。タッチパネル１０ｇは、ＣＰＵ１０ｃからの指令に応じて各種情報の表示を行うと共に、利用者が液晶パネルのタッチ面をタッチすることによってタッチされた位置情報をＣＰＵ１０ｃに入力する。利用者は、例えば、液晶パネルに表示されたボタンや文字等のＣＧをタッチすることで各種指示入力を行う。
地図情報記憶部１０ｈは、道路地図情報が記憶された記憶媒体から構成されている。この記憶媒体は、例えば、フラッシュメモリ等の不揮発性の記憶媒体から構成される。
ＧＰＳ受信機１０ｊは、ＧＰＳ衛星からのＧＰＳ信号を受信する機器である。例えば、１．５［ＧＨｚ］帯の電波を２つのＩＦ（中間周波数）によって４［ＭＨｚ］（または１［ＭＨｚ］）のベースバンド信号へダウンコンバートするスーパーへテロダイン方式の受信機などが該当する。
【００１９】
（車載機２０のハードウェア構成）
次に、図２（ｂ）に基づき、車載機２０のハードウェア構成を説明する。
第１実施形態において、車載機２０は、ＮＦＣタグから構成されており、車両Ｖの内部等に後から貼り付けられるか、予め車体に埋め込まれている。
図２（ｂ）に示すように、車載機２０は、車載機ＩＤ記憶部２０ａと、制御回路２０ｂと、ＲＦ・Ｉ／Ｆ回路２０ｃと、ループアンテナ２０ｄとを含んで構成される。
車載機ＩＤ記憶部２０ａは、特典付与サービス提供サーバ３０に予め登録された車載機２０に固有の識別情報である車載機ＩＤが記憶された記憶媒体から構成される。この記憶媒体は、フラッシュメモリや強誘電体メモリ等の不揮発性の記憶媒体から構成される。
制御回路２０ｂは、携帯機１０等のＮＦＣタグ・リーダの機能を有する外部機器からの車載機ＩＤの読出要求に応じて、車載機ＩＤ記憶部２０ａに記憶された車載機ＩＤを読み出す。そして、読み出した車載機ＩＤを、ＲＦ・Ｉ／Ｆ回路２０ｃに入力する。これにより、ＲＦ・Ｉ／Ｆ回路２０ｃを介して、ループアンテナ２０ｄから車載機ＩＤの情報が載せられた電波が放射される。
【００２０】
ＲＦ・Ｉ／Ｆ回路２０ｃは、制御回路２０ｂからのデジタル情報を含む信号を生成し、この信号をループアンテナ２０ｄから電波として放射する送信回路、ループアンテナ２０ｄからの信号を復調して該信号に乗せられたデジタル情報を取り出す受信回路等を含んで構成される。
ループアンテナ２０ｄは、ループアンテナ１２，１４と同様に、アルミや銅などの導線を環状に形成してなるアンテナである。
以上の構成により、利用者が携帯機１０を車載機２０に近づけることで、図２（ａ）及び（ｂ）に示すように、車載機２０は、ループアンテナ１２から放射される車載機ＩＤの取得要求が乗せられた電波を、ループアンテナ２０ｄを介して受信する。一方、携帯機１０は、ループアンテナ２０ｄから放射される車載機ＩＤが乗せられた電波を、ループアンテナ１２を介して受信する。
【００２１】
（特典付与サービス提供サーバ３０のハードウェア構成）
次に、図３に基づき、特典付与サービス提供サーバ３０のハードウェア構成を説明する。
図３に示すように、特典付与サービス提供サーバ３０は、通信部３０ａと、ＣＰＵ３０ｂと、グループ化情報管理部３０ｃと、ポイント情報管理部３０ｄと、クーポン情報管理部３０ｆと、ＲＴＣ（Real Time Clock）３０ｈとを含んで構成される。
以下、特典付与サービス提供サーバ３０を、単に「サーバ３０」と称す。
通信部３０ａは、ＬＡＮ、ＷＡＮ、インターネット等のネットワーク上の外部装置と通信するためのデバイスであり、一般にＬＡＮカード等と呼ばれる周知のネットワークアダプタなどから構成される。通信部３０ａは、例えば、ネットワークケーブルを介してルータやハブ等に接続され、これらを介して、サーバ３０をネットワーク６０に接続する。
【００２２】
ＣＰＵ３０ｂは、ハードディスク等の記憶媒体（不図示）に予め記憶された各種専用のコンピュータプログラムをＲＡＭ（不図示）に読み込む。そして、ＲＡＭに読み込まれたプログラムに記述された命令に従って、各種リソースを駆使して、後述する個人情報登録処理、グループ化処理、クーポン情報付与処理、特典付与処理、グループ化解除処理等を実行する。
グループ化情報管理部３０ｃは、グループ化要求のあった利用者ＩＤ、グループ化したグループの情報等を記憶する記憶媒体である。この記憶媒体は、例えば、ＲＡＭやハードディスク等の記憶媒体から構成される。
【００２３】
ポイント情報管理部３０ｄは、ポイント管理データベースと、ポイントＩＤデータベースとが記憶された記憶媒体である。この記憶媒体は、例えば、ハードディスク等の大容量の記憶媒体から構成される。
ポイント管理データベースは、利用者の個人情報と、ポイント情報とが対応付けられて登録されたデータベースである。
ここで、個人情報は、例えば、利用者ＩＤ、利用者の名前、住所、電話番号、メールアドレス等を含む情報である。
また、ポイント情報は、各利用者の獲得したポイント数の情報であり、各ポイントＩＤと、各ポイントＩＤに対応するポイント数とから構成される。
また、ポイントＩＤは、ポイントを識別するためのＩＤであり、例えば、店舗単独で発行しているポイント、店舗の所属するグループ等が発行しているポイントを識別するためのＩＤである。
【００２４】
また、ポイントは、例えば、ポイント数に応じた金額を、商品の購入金額から差し引いたり、獲得したポイント数が予め設定されたポイント数に達すると、設定ポイント数のポイントを消費して専用に用意された商品と交換したりできるものである。
ポイントＩＤデータベースは、各ポイントＩＤと、各ポイントＩＤの示すポイント名の情報とが対応付けられて登録されたデータベースである。
ここで、ポイント名の情報は、例えば、「○×電機ポイント」、「○△自動車ポイント」等の各ポイントに付けられた名称の情報である。
クーポン情報管理部３０ｆは、クーポン情報データベースと、店舗情報データベースとが記憶された記憶媒体である。この記憶媒体は、例えば、ハードディスク等の大容量の記憶媒体から構成される。
【００２５】
クーポン情報データベースは、店舗が発行するクーポン情報が登録されたデータベースである。
ここで、クーポン情報は、例えば、クーポンＩＤ、ポイントＩＤ、特典内容、対象人数、有効期限、利用可能な店舗ＩＤ等を含んで構成される情報である。
店舗情報データベースは、店舗ＩＤに対応する店舗の詳細情報が登録されたデータベースである。
ここで、店舗の詳細情報は、例えば、店舗ＩＤ、店舗名、店舗の位置情報等を含んで構成される情報である。
ＲＴＣ３０ｇは、計時専用のＩＣチップであり、年・月・日・時・分・秒（以下、時刻情報という）を測定すると共に、タイマの役割を果たす。ＲＴＣ３０ｇは、電源が切られている間も内蔵電池から電源供給を受けて動作を行う。
【００２６】
（店舗端末４０のハードウェア構成）
次に、図４に基づき、店舗端末４０のハードウェア構成について説明する。
図４に示すように、店舗端末４０は、通信部４０ａと、ＣＰＵ４０ｂと、利用者ＩＤ認証部４０ｃと、クーポン情報記憶部４０ｄと、表示部４０ｆと、商品コード読取部４０ｇと、商品情報管理部４０ｈとを含んで構成される。
通信部４０ａは、ＬＡＮ、ＷＡＮ、インターネット等のネットワーク上の外部装置と通信するためのデバイスであり、一般にＬＡＮカード等と呼ばれる周知のネットワークアダプタなどから構成される。通信部４０ａは、ネットワークケーブルを介してルータやハブ等に接続され、これらを介して、店舗端末４０をネットワーク６０に接続する。
ＣＰＵ４０ｂは、不図示のハードディスク等の記憶媒体に予め記憶された各種専用のコンピュータプログラムを不図示のＲＡＭに読み込む。そして、ＲＡＭに読み込まれたプログラムに記述された命令に従って、各種リソースを駆使して、後述する人数情報取得要求送信処理、利用状況判定処理、特典付与要求送信処理、支払い金額計算処理等を実行する。
【００２７】
利用者ＩＤ認証部４０ｃは、携帯機１０の車載機ＩＤ読取部１０ａと同様に、ＮＦＣリーダ・ライタＬＳＩと、ループアンテナとを含んで構成される。
ＮＦＣリーダ・ライタＬＳＩは、ループアンテナを介して、無線通信範囲内に存在する携帯機１０から利用者ＩＤ記憶部１０ｄ（ＮＦＣタグ）の記憶媒体に記憶された情報を読み取る。ＮＦＣリーダ・ライタＬＳＩは、読み取った情報をＣＰＵ４０ｂに入力する。
クーポン情報記憶部４０ｄは、当該店舗端末４０が設置されている店舗が発行しているクーポン情報が記憶された記憶媒体から構成される。この記憶媒体は、ハードディスク等の大容量の記憶媒体から構成される。
【００２８】
ここで、クーポン情報は、上記クーポン情報管理部３０ｆの記憶するクーポン情報と同等のものであり、例えば、クーポンＩＤ、ポイントＩＤ、特典内容、対象人数、有効期限、利用可能な店舗ＩＤ等を含んで構成される情報である。
表示部４０ｆは、液晶ディスプレイ等の表示装置から構成される。表示部４０ｆは、ＣＰＵ４０ｂからの指令に応じて、商品コード読取部４０ｇで読み取った商品コードに対応する商品名及び金額の情報、客（利用者）の支払う合計金額の情報、クーポンの利用可否の情報等を表示する。
【００２９】
商品コード読取部４０ｇは、商品に取り付けられた商品コードを読み取るリーダである。
第１実施形態において、商品コード読取部４０ｇは、バーコードリーダから構成される。商品コード読取部４０ｇは、商品に貼り付けられたバーコードを読み取り、読み取ったコード情報をＣＰＵ４０ｂに入力する。なお、バーコードリーダに限らず、例えば、ＱＲコード（登録商標）リーダなど商品に取り付けられたコード情報を読み取り可能な他のリーダで構成してもよい。
商品情報管理部４０ｈは、各商品の商品コードと、各商品コードに対応する商品名及び金額の情報とから構成される商品情報が記憶された記憶媒体から構成される。この記憶媒体は、ハードディスク等の記憶媒体から構成される。
【００３０】
（携帯機１０の機能構成）
次に、図５に基づき、携帯機１０のＣＰＵ１０ｃにおいて専用のプログラムを実行することで実現される機能について説明する。
携帯機１０の機能構成は、図５に示すように、グループ化要求送信部１００と、クーポン取得部１０１と、位置情報取得部１０２と、クーポン情報表示部１０３と、個人情報登録要求部１０４とを含んで構成される。
グループ化要求送信部１００は、車載機ＩＤ読取部１０ａが車載機ＩＤを読み取ったことに応じて、読み取った車載機ＩＤと、利用者ＩＤ記憶部１０ｄに記憶された利用者ＩＤとを含むグループ化要求を生成する。そして、生成したグループ化要求を、通信部１０ｆを介してサーバ３０に送信する。加えて、グループ化要求送信部１００は、サーバ３０からのグループ化が完了したことを示す応答（以下、「グループ化完了応答」と称す）を、通信部１０ｆを介して受信する。グループ化要求送信部１００は、グループ化完了応答を受信すると、グループ化が完了したことを示す情報を利用者ＩＤ記憶部１０ｄに記憶する。
【００３１】
クーポン取得部１０１は、タッチパネル１０ｇを介して入力された、利用者からのクーポン取得指示に応じて、まず、位置情報取得部１０２から、携帯機１０の現在位置情報を取得する。そして、取得した現在位置情報と、利用者ＩＤ記憶部１０ｄに記憶された利用者ＩＤとを含むクーポン取得要求を、通信部１０ｆを介してサーバ３０に送信する。加えて、クーポン取得部１０１は、サーバ３０からのクーポン情報（簡易版）を、通信部１０ｆを介して受信する。クーポン取得部１０１は、受信したクーポン情報（簡易版）を、利用者ＩＤ記憶部１０ｄに記憶する。
【００３２】
ここで、クーポン情報（簡易版）は、クーポンＩＤと、該クーポンＩＤに対応するクーポンを利用可能な店舗の位置情報とからなる情報である。
また、クーポン取得部１０１は、タッチパネル１０ｇを介して入力された、利用者からの詳細情報の表示指示に応じて、利用者ＩＤと、先に受信したクーポン情報（簡易版）に含まれるクーポンＩＤとを含む詳細情報取得要求を、通信部１０ｆを介してサーバ３０に送信する。加えて、クーポン取得部１０１は、サーバ３０からのクーポン情報（詳細版）を、通信部１０ｆを介して受信する。クーポン取得部１０１は、受信したクーポン情報（詳細版）を、利用者ＩＤ記憶部１０ｄに記憶する。
【００３３】
ここで、クーポン情報（詳細版）は、クーポン情報管理部３０ｆに記憶された該当クーポンＩＤのクーポン情報及び店舗情報の全てからなる情報である。
位置情報取得部１０２は、クーポン取得部１０１又はクーポン情報表示部１０３からの位置情報の取得要求に応じて、ＧＰＳ受信機１０ｊから、複数のＧＰＳ衛星から受信したＧＰＳ信号を取得する。そして、取得したＧＰＳ信号から、携帯機１０の現在位置を計算する。位置情報取得部１０２は、計算した現在位置情報を、クーポン取得部１０１又はクーポン情報表示部１０３のうち要求元の構成部へと入力する。
【００３４】
クーポン情報表示部１０３は、クーポン取得部１０１が、クーポン情報（簡易版）を取得したことに応じて、このクーポン情報（簡易版）に含まれる店舗の位置情報を読み出す。そして、地図情報記憶部１０ｈから、読み出した位置情報を含む道路地図情報を読み出し、道路地図画像上に店舗の位置を示すマーカを重畳した画像をタッチパネル１０ｇに表示する。
なお、車両Ｖがカーナビゲーションシステムを搭載した車両である場合は、ナビゲーションシステムの道路地図上に店舗の位置を示すマーカを表示する構成としてもよい。
【００３５】
また、クーポン情報表示部１０３は、クーポン取得部１０１が、クーポン情報（詳細版）を取得したことに応じて、このクーポン情報（詳細版）に含まれる詳細情報をタッチパネル１０ｇに表示する。
個人情報登録要求部１０４は、タッチパネル１０ｇを介して入力される、利用者からのアクセス指示に応じて、通信部１０ｆを介して個人情報登録用のＷｅｂページにアクセスし、タッチパネル１０ｇに個人情報登録用Ｗｅｂページを表示する。これにより、タッチパネル１０ｇを介した、利用者からの個人情報の入力を受け付ける。その後、タッチパネル１０ｇを介して入力される、個人情報の送信指示に応じて、入力を受け付けた個人情報を含む個人情報登録要求を、通信部１０ｆを介してサーバ３０に送信する。
また、個人情報登録要求部１０４は、個人情報登録要求を送信後に、通信部１０ｆを介して、サーバ３０からの利用者ＩＤを受信し、受信した利用者ＩＤを利用者ＩＤ記憶部１０ｄに記憶する。
【００３６】
（サーバ３０の機能構成）
次に、図６に基づき、サーバ３０のＣＰＵ３０ｂにおいて専用のプログラムを実行することで実現される機能について説明する。
サーバ３０の機能構成は、図６に示すように、グループ化部３００と、クーポン情報送信部３０１と、グループ人数情報送信部３０２と、特典付与部３０３と、グループ化解除部３０４と、個人情報登録部３０５とを含んで構成される。
グループ化部３００は、携帯機１０からのグループ化要求に応じて、受信したグループ化要求に含まれる車載機ＩＤ及び利用者ＩＤと、利用者ＩＤを登録時の時刻情報とを対応付けてなる利用者ＩＤ情報をグループ化情報管理部３０ｃに記憶する。
【００３７】
ここで、登録時の時刻情報は、登録時の日付（年月日）の情報でもよいし、登録時の日付に加えて、時・分・秒のいずれかまでの情報でもよい。
また、利用者ＩＤを登録時の時刻情報は、例えば、グループ化要求を受信時の時刻情報でもよいし、利用者ＩＤをグループ化情報管理部３０ｃに記憶時（登録時）の時刻情報でもよい。
第１実施形態では、グループ化要求を受信時の日付（年月日）の情報を登録時の時刻情報とする。
加えて、グループ化部３００は、グループ化情報管理部３０ｃに記憶された利用者ＩＤ情報のうち、共通の車載機ＩＤ及び共通の日付情報を有する複数の利用者ＩＤ情報をグループ化する。
ここで、グループ化は、例えば、各グループに固有のグループＩＤを生成し、該グループＩＤを、該グループＩＤに対応するグループに属する利用者ＩＤ情報に付加することで行う。
【００３８】
クーポン情報送信部３０１は、携帯機１０からのクーポン取得要求を、通信部３０ａを介して受信する。そして、クーポン取得要求を受信すると、クーポン情報管理部３０ｆに記憶されたクーポン情報の中から、受信したクーポン取得要求に含まれる利用者ＩＤの属するグループ人数及び現在位置情報に対応するクーポン情報を選定する。クーポン情報送信部３０１は、選定したクーポン情報を、通信部３０ａを介して、取得要求元の携帯機１０に送信する。
グループ人数情報送信部３０２は、店舗端末４０からのＧｒ人数取得要求（後述）を、通信部３０ａを介して受信すると、グループ化情報管理部３０ｃから、受信したＧｒ人数情報取得要求に含まれる利用者ＩＤの属するグループのグループ人数を取得する。そして、取得したグループ人数の情報を、通信部３０ａを介して、要求元の店舗端末４０に送信する。
【００３９】
特典付与部３０３は、店舗端末４０からのクーポン利用者に対する特典付与要求（以下、「利用者付与要求」と称す）を、通信部３０ａを介して受信する。特典付与部３０３は、利用者付与要求を受信すると、受信した利用者付与要求に含まれる利用者ＩＤ及び特典情報に基づき、該利用者ＩＤに対応するポイント情報のうち特典情報で指定されたポイントＩＤのポイントに対して、特典情報で指定されたポイントを付与する処理を実施する。
ここで、特典情報は、ポイントＩＤと、このポイントＩＤのポイントに付与するポイント（以下、「付与ポイント」と称す）とを含んでなる情報である。
【００４０】
加えて、特典付与部３０３は、店舗端末４０からの、クーポン利用者の利用者ＩＤが属するグループの他の利用者ＩＤに対する特典付与要求（以下、「グループ付与要求」と称す）を、通信部３０ａを介して受信する。
特典付与部３０３は、グループ付与要求を受信すると、受信したグループ付与要求に含まれる利用者ＩＤ及び特典情報に基づき、利用者ＩＤの属するグループの他の利用者ＩＤに対応するポイント情報のうち特典情報で指定されたポイントＩＤのポイントに対して、特典情報で指定されたポイントを付与する。
特典付与部３０３は、グループに属する利用者ＩＤの全てに対してポイント付与が完了すると、これら全ての利用者ＩＤに対応する利用者の携帯機１０に対して、通信部３０ａを介して特典取得通知を送信する。
【００４１】
グループ化解除部３０４は、予め設定した一定周期毎に、ＲＴＣ３０ｇから現在時刻情報を取得する。そして、取得した現在時刻情報と、グループ化情報管理部３０ｃに記憶されたグループＩＤの付加された利用者ＩＤ情報の登録時刻情報とを比較し、登録時刻からの経過時間が予め設定した設定時間以上である場合に、その利用者ＩＤ情報を削除する。これにより、同じグループＩＤの付加された利用者ＩＤ情報が削除され、グループ化が解除される。
個人情報登録部３０５は、利用者の個人情報を登録するためのＷｅｂページを提供すると共に、Ｗｅｂページを介して送信されてきた個人情報を、ポイント情報管理部３０ｄに登録する。加えて、個人情報登録部３０５は、個人情報を登録した利用者の利用者ＩＤを生成し、生成した利用者ＩＤを、通信部３０ａを介して携帯機１０に送信する。
【００４２】
（店舗端末４０の機能構成）
次に、図７に基づき、店舗端末４０のＣＰＵ４０ｂにおいて専用のプログラムを実行することで実現される機能について説明する。
店舗端末４０の機能構成は、図７に示すように、クーポンＩＤ取得部４００と、人数情報取得要求送信部４０１と、利用状況判定部４０２と、特典付与要求送信部４０３と、支払い金額算出部４０４とを含んで構成される。
クーポンＩＤ取得部４００は、不図示の操作部を介した利用者ＩＤ及びクーポンＩＤの取得指示に応じて、利用者ＩＤ認証部４０ｃに利用者ＩＤ及びクーポンＩＤの読取指令を入力する。そして、利用者ＩＤ認証部４０ｃを介して携帯機１０から利用者ＩＤ及びクーポンＩＤを取得する。
【００４３】
ここで、クーポンには、その種類毎に利用条件（特典付与条件）が設定されている。この利用条件として、第１実施形態では、特典付与の対象人数と、特典付与の対象となる購入金額と、クーポンの有効期限とが設定されている。
クーポンＩＤ取得部４００は、取得した利用者ＩＤ及びクーポンＩＤを、人数情報取得要求送信部４０１に入力する。
人数情報取得要求送信部４０１は、クーポンＩＤ取得部４００からの利用者ＩＤ及びクーポンＩＤが入力されると、入力された利用者ＩＤを含むグループのグループ人数取得要求（以下、「Ｇｒ人数取得要求」と称す）を、通信部４０ａを介してサーバ３０に送信する。一方、人数情報取得要求送信部４０１は、サーバ３０からのグループ人数を示す人数情報を、通信部４０ａを介して受信すると、受信した人数情報と、入力された利用者ＩＤ及びクーポンＩＤとを利用状況判定部４０２に入力する。
【００４４】
利用状況判定部４０２は、人数情報取得要求送信部４０１から、人数情報、利用者ＩＤ及びクーポンＩＤが入力されると、クーポン情報記憶部４０ｄから、入力されたクーポンＩＤに対応する対象人数の情報を取得する。
そして、利用状況判定部４０２は、取得した対象人数と、入力された人数情報の示すグループ人数とを比較し、グループ人数が対象人数以下であるか否かを判定する。
加えて、利用状況判定部４０２は、支払い金額算出部４０４から支払い合計金額の情報を取得し、不図示のＲＴＣから現在の時刻情報（例えば、年月日時分秒）を取得する。そして、これら取得した情報が、予め設定した利用条件を満たすか否かを判定する。
【００４５】
利用状況判定部４０２は、グループ人数が対象人数以下であると判定し、かつ、支払い合計金額及び現在時刻情報が条件を満足すると判定した場合に、クーポンの利用条件を満足したと判定する。そして、入力された利用者ＩＤ及びクーポンＩＤを特典付与要求送信部４０３に入力する。
一方、利用状況判定部４０２は、グループ人数が対象人数以下では無いと判定したり、支払い合計金額及び現在時刻情報が条件を満足していないと判定したりした場合に、クーポンの利用条件を満足していないと判定する。そして、クーポンの利用条件を満足していない旨のメッセージを表示部４０ｆに表示する。
【００４６】
特典付与要求送信部４０３は、利用状況判定部４０２から、利用者ＩＤ及びクーポンＩＤが入力されると、これら利用者ＩＤ及びクーポンＩＤを含む該利用者ＩＤに対応する利用者への特典付与要求（利用者付与要求）を、通信部４０ａを介してサーバ３０に送信する。引き続き、特典付与要求送信部４０３は、入力された利用者ＩＤ及びクーポンＩＤを含む、該利用者ＩＤに対応するグループの他の構成員への特典付与要求（グループ付与要求）を、通信部４０ａを介してサーバ３０に送信する。
支払い金額算出部４０４は、商品コード読取部４０ｇから商品コードが入力される毎に、商品情報管理部４０ｈから、入力された商品コードに対応する商品の価格情報を取得し、取得した価格を１つ前の計算結果に順次足し合わせて、支払い金額を計算する。支払い金額算出部４０４は、計算結果を、表示部４０ｆに表示する。
【００４７】
（個人情報登録要求処理）
次に、図８に基づき、携帯機１０の個人情報登録要求部１０４で行われる個人情報登録要求処理の処理手順を説明する。
ＣＰＵ１０ｃにおいて、専用のプログラムが実行され個人情報登録要求処理が開始されると、図８に示すように、まず、ステップＳ１００に移行する。
ステップＳ１００では、個人情報登録要求部１０４において、利用者のタッチパネル１０ｇの操作によるアクセス指示に応じて、個人情報登録用のＷｅｂページのＵＲＬにアクセスして、ステップＳ１０２に移行する。
ステップＳ１０２では、個人情報登録要求部１０４において、サーバ３０からの個人情報登録用のＷｅｂページ（以下、「個人情報登録用ページ」と称す）の情報に基づき、タッチパネル１０ｇに、個人情報登録用ページを表示する。その後、ステップＳ１０４に移行する。
【００４８】
ステップＳ１０４では、個人情報登録要求部１０４において、タッチパネル１０ｇを介した、利用者の個人情報の入力を受け付けて、ステップＳ１０６に移行する。
ステップＳ１０６では、個人情報登録要求部１０４において、個人情報の送信指示があったか否かを判定する。そして、送信指示があったと判定した場合（Ｙｅｓ）は、ステップＳ１０８に移行し、そうでない場合（Ｎｏ）は、ステップＳ１０４に移行する。
ステップＳ１０８に移行した場合は、個人情報登録要求部１０４において、入力された個人情報を含む個人情報登録要求を、通信部１０ｆを介してサーバ３０に送信する。その後、ステップＳ１１０に移行する。
【００４９】
ステップＳ１１０では、個人情報登録要求部１０４において、サーバ３０からの個人情報登録完了通知を受信したか否かを判定する。そして、個人情報登録完了通知を受信したと判定した場合（Ｙｅｓ）は、ステップＳ１１２に移行し、そうでないと判定した場合（Ｎｏ）は、受信するか又はタイムオーバとなるまで判定処理を繰り返す。タイムオーバとなった場合は、その旨をタッチパネル１０ｇに表示して、一連の処理を終了する。
ステップＳ１１２では、個人情報登録要求部１０４において、サーバ３０からの利用者ＩＤを受信したか否かを判定する。そして、利用者ＩＤを受信したと判定した場合（Ｙｅｓ）は、ステップＳ１１４に移行し、そうでないと判定した場合（Ｎｏ）は、受信するか又はタイムオーバとなるまで判定処理を繰り返す。タイムオーバとなった場合は、その旨をタッチパネルに表示して、一連の処理を終了する。
【００５０】
ステップＳ１１４に移行した場合は、個人情報登録要求部１０４において、受信した利用者ＩＤを、利用者ＩＤ記憶部１０ｄに記憶する。その後、ステップＳ１１６に移行する。
ステップＳ１１６では、個人情報登録要求部１０４において、ステップＳ１１２で受信した利用者ＩＤを含む利用者ＩＤ登録完了通知を、通信部１０ｆを介してサーバ３０に送信する。その後、一連の処理を終了する。
【００５１】
（個人情報登録処理）
次に、図９に基づき、サーバ３０の個人情報登録部３０５において行われる個人情報登録処理の処理手順を説明する。なお、個人情報登録処理は、予め設定した周期で繰り返し実行される。
ＣＰＵ３０ｂにおいて、専用のプログラムが実行され、個人情報登録処理が開始されると、図９に示すように、まず、ステップＳ１５０に移行する。
ステップＳ１５０では、個人情報登録部３０５において、通信部３０ａを介して、携帯機１０からの個人情報登録要求を受信したか否かを判定する。そして、個人情報登録要求を受信したと判定した場合（Ｙｅｓ）は、ステップＳ１５２に移行し、そうでない場合（Ｎｏ）は、一連の処理を終了する。
ステップＳ１５２では、個人情報登録部３０５において、ステップＳ１５０で受信した個人情報登録要求に対応する利用者に固有の利用者ＩＤを生成して、ステップＳ１５４に移行する。
【００５２】
ステップＳ１５４に移行した場合は、個人情報登録部３０５において、受信した個人情報登録要求に含まれる個人情報と、ステップＳ１５２で生成した利用者ＩＤと、ポイント情報とを対応付けてポイント情報管理部３０ｄのポイント管理データベースに登録する。その後、ステップＳ１５６に移行する。
ステップＳ１５６では、個人情報登録部３０５において、個人情報登録完了通知を、通信部３０ａを介して携帯機１０に送信して、ステップＳ１５８に移行する。
ステップＳ１５８では、個人情報登録部３０５において、ステップＳ１５２で生成した利用者ＩＤを含む利用者ＩＤ登録要求を、通信部３０ａを介して携帯機１０に送信する。その後、ステップＳ１６０に移行する。
ステップＳ１６０では、個人情報登録部３０５において、携帯機１０からの利用者ＩＤ登録完了通知を受信したか否かを判定する。そして、受信したと判定した場合（Ｙｅｓ）は、一連の処理を終了し、そうでないと判定した場合（Ｎｏ）は、受信するか又はタイムオーバとなるまで判定処理を繰り返す。タイムオーバとなった場合は、利用者ＩＤ登録要求を再送する等の処理を行う。
【００５３】
（グループ向け特典付与サービスの流れ）
次に、図１０に基づき、グループ向け特典付与サービスの流れを説明する。
利用者が、自己の個人情報の登録を完了後にグループ向け特典付与サービスを利用する場合、図１０に示すように、まず、携帯機１０によって、車載機２０から車載機ＩＤを読み取ると共に、読み取った車載機ＩＤと利用者ＩＤとを含むグループ化要求をサーバ３０に送信する（ステップＳ２００）。
サーバ３０は、携帯機１０からのグループ化要求に応じて、該グループ化要求に含まれる利用者ＩＤをグループ化する（ステップＳ２０２）。
グループ化が完了後、利用者は、携帯機１０によって、該携帯機１０の現在位置情報と利用者ＩＤとを含むクーポン取得要求をサーバ３０に送信する（ステップＳ２０４）。
【００５４】
サーバ３０は、携帯機１０からのクーポン取得要求に応じて、クーポン情報管理部３０ｆに登録されたクーポン情報の中から、携帯機１０の現在位置と利用者の属するグループの人数とを加味したクーポン情報を選定する。そして、選定したクーポン情報を、携帯機１０に送信する（ステップＳ２０６）。
店舗端末４０は、利用者のクーポンの利用状況を監視し、クーポンの利用があった場合、クーポンの利用条件を満足しているか否かを判定する（ステップＳ２０８）。そして、クーポンの利用条件を満足している場合、利用者及びその属するグループ構成員への特典付与要求をサーバ３０に送信する。
【００５５】
サーバ３０は、店舗端末４０からの特典付与要求に応じて、クーポンの利用条件を満足する利用者に対して特典を付与することに加えて、該利用者の属するグループの他の構成員に対しても特典を付与する（ステップＳ２１０）。
一方、サーバ３０は、定期的に、現在時刻とグループ化された利用者ＩＤの登録時刻とに基づき、登録時刻からの経過時間が予め設定した設定時間を経過しているか否かを判定する。そして、設定時間を経過していると判定したグループのグループ化を解除する（ステップＳ２１２）。これにより、グループ向け特典付与サービスの一連の流れが終了する。
【００５６】
（グループ化要求送信処理）
次に、図１１に基づき、携帯機１０のグループ化要求送信部１００で行われるグループ化要求送信処理の処理手順を説明する（上記ステップＳ２００に対応）。なお、グループ化要求送信処理は、予め設定した周期で繰り返し実行される。
ＣＰＵ１０ｃにおいて、専用のプログラムが実行されグループ化要求送信処理が開始されると、図１１に示すように、まず、ステップＳ３００に移行する。
ステップＳ３００では、グループ化要求送信部１００において、車載機ＩＤの読取モードへの移行指示があったか否かを判定する。そして、移行指示があったと判定した場合（Ｙｅｓ）は、ステップＳ３０２に移行し、そうでないと判定した場合（Ｎｏ）は、一連の処理を終了する。
【００５７】
ステップＳ３０２に移行した場合は、グループ化要求送信部１００において、車載機ＩＤ読取部１０ａに対して、車載機ＩＤの読取モードへの移行指令を車載機ＩＤ読取部１０ａに送信する。その後、ステップＳ３０４に移行する。
これにより、車載機ＩＤ読取部１０ａは、ループアンテナ１２から、車載機ＩＤの取得要求を乗せた電波を放射する。
ステップＳ３０４では、グループ化要求送信部１００において、車載機ＩＤ読取部１０ａを介して、車載機ＩＤを取得したか否かを判定する。そして、車載機ＩＤを取得したと判定した場合（Ｙｅｓ）は、ステップＳ３０６に移行し、そうでないと判定した場合（Ｎｏ）は、ステップＳ３０８に移行する。
【００５８】
ステップＳ３０６に移行した場合は、グループ化要求送信部１００において、ステップＳ３０４で取得した車載機ＩＤと、利用者ＩＤ記憶部１０ｄに記憶された利用者ＩＤとを含むグループ化要求を生成する。そして、生成したグループ化要求を、通信部１０ｆを介してサーバ３０に送信する。その後、一連の処理を終了する。
一方、ステップＳ３０８に移行した場合は、グループ化要求送信部１００において、ＩＤ読取モードの終了指示があったか否かを判定する。そして、終了指示があったと判定した場合（Ｙｅｓ）は、一連の処理を終了し、そうでないと判定した場合（Ｎｏ）は、ステップＳ３０４に移行する。
【００５９】
（グループ化処理）
次に、図１２に基づき、サーバ３０のグループ化部３００で行われるグループ化処理の処理手順を説明する（上記ステップＳ２０２に対応）。なお、グループ化処理は、予め設定した周期で繰り返し実行される。
ＣＰＵ３０ｂにおいて、専用のプログラムが実行されグループ化処理が開始されると、図１２に示すように、まず、ステップＳ４００に移行する。
ステップＳ４００では、グループ化部３００において、携帯機１０からのグループ化要求を受信したか否かを判定する。そして、受信したと判定した場合（Ｙｅｓ）は、ステップＳ４０２に移行し、そうでないと判定した場合（Ｎｏ）は、一連の処理を終了する。
ステップＳ４０２に移行した場合は、グループ化部３００において、まず、ＲＴＣ３０ｇから現在時刻情報を取得する。そして、受信したグループ化要求に含まれる車載機ＩＤ及び利用者ＩＤに、取得した現在時刻情報のうち日付（年月日）情報を付加してなる利用者ＩＤ情報を、グループ化情報管理部３０ｃに記憶する。その後、ステップＳ４０４に移行する。
【００６０】
ステップＳ４０４では、グループ化部３００において、グループ化情報管理部３０ｃに記憶された利用者ＩＤ情報のうち、同一の車載機ＩＤと日付とを有する利用者ＩＤ情報をグループ化して、ステップＳ４０６に移行する。
具体的に、グループ毎に固有の識別情報であるグループ化ＩＤを生成し、該グループ化ＩＤを、同じグループに属する利用者ＩＤ情報に付加することでグループ化を行う。
ステップＳ４０６では、グループ化部３００において、グループ化完了通知を、通信部３０ａを介して、同じグループに属する各利用者ＩＤに対応する携帯機１０（例えば、登録された個人情報に含まれるメールアドレス宛）に送信する。その後、一連の処理を終了する。
【００６１】
（クーポン取得処理）
次に、図１３に基づき、携帯機１０のクーポン取得部１０１で行われるクーポン取得処理の処理手順を説明する（上記ステップＳ２０４に対応）。なお、クーポン取得処理は、予め設定した周期で繰り返し実行される。
ＣＰＵ１０ｃにおいて、専用のプログラムが実行されクーポン取得処理が開始されると、図１３に示すように、まず、ステップＳ５００に移行する。
ステップＳ５００では、クーポン取得部１０１において、タッチパネル１０ｇを介した、利用者からのクーポン取得指示があったか否かを判定する。そして、クーポン取得指示があったと判定した場合（Ｙｅｓ）は、ステップＳ５０２に移行し、そうでないと判定した場合（Ｎｏ）は、ステップＳ５１８に移行する。
ステップＳ５０２に移行した場合は、クーポン取得部１０１において、位置情報取得部１０２を介して、携帯機１０の現在位置情報を取得して、ステップＳ５０４に移行する。
【００６２】
ステップＳ５０４では、クーポン取得部１０１において、利用者ＩＤ記憶部１０ｄから利用者ＩＤを読み出し、読み出した利用者ＩＤと、ステップＳ５０２で取得した現在位置情報とを含むクーポン取得要求を生成する。そして、生成したクーポン取得要求を、通信部１０ｆを介してサーバ３０に送信する。その後、ステップＳ５０６に移行する。
ステップＳ５０６では、クーポン取得部１０１において、サーバ３０からのクーポン情報（簡易版）を受信したか否かを判定する。そして、受信したと判定した場合（Ｙｅｓ）は、ステップＳ５０８に移行し、そうでないと判定した場合（Ｎｏ）は、一連の処理を終了する。
【００６３】
ステップＳ５０８に移行した場合は、クーポン取得部１０１において、受信したクーポン情報に含まれる店舗の位置情報に基づき、タッチパネル１０ｇに、道路地図上に店舗の位置を示すマーカを表示した画像を表示する。その後、ステップＳ５１０に移行する。
ステップＳ５１０では、クーポン取得部１０１において、タッチパネル１０ｇを介した、利用者からのクーポン情報の詳細情報の表示指示があったか否かを判定する。そして、詳細情報の表示指示があったと判定した場合（Ｙｅｓ）は、ステップＳ５１２に移行し、そうでないと判定した場合（Ｎｏ）は、一連の処理を終了する。
ステップＳ５１２に移行した場合は、クーポン取得部１０１において、クーポンＩＤを含む該当クーポンの詳細情報取得要求を、通信部１０ｆを介してサーバ３０に送信する。その後、ステップＳ５１４に移行する。
【００６４】
ステップＳ５１４では、クーポン取得部１０１において、サーバ３０からの詳細情報取得応答を受信したか否かを判定する。そして、受信したと判定した場合（Ｙｅｓ）は、ステップＳ５１６に移行し、そうでないと判定した場合（Ｎｏ）は、一連の処理を終了する。
ステップＳ５１６に移行した場合は、クーポン取得部１０１において、ステップＳ５１４で取得した詳細情報取得応答に含まれる該当クーポンのクーポン情報（詳細版）に基づき、詳細情報をタッチパネル１０ｇに表示して、一連の処理を終了する。
一方、ステップＳ５００において、クーポン取得指示が無くステップＳ５１８に移行した場合は、クーポン取得部１０１において、既に取得したクーポン情報（簡易版）があるか否かを判定する。そして、既に取得したクーポン情報（簡易版）があると判定した場合（Ｙｅｓ）は、ステップＳ５１０に移行し、そうでないと判定した場合（Ｎｏ）は、一連の処理を終了する。
【００６５】
（クーポン情報送信処理）
次に、図１４に基づき、サーバ３０のクーポン情報送信部３０１で行われるクーポン情報送信処理の処理手順を説明する（上記ステップＳ２０６に対応）。なお、クーポン情報送信処理は、予め設定した周期で繰り返し実行される。
ＣＰＵ３０ｂにおいて、専用のプログラムが実行されクーポン情報送信処理が開始されると、図１４に示すように、まず、ステップＳ６００に移行する。
ステップＳ６００では、クーポン情報送信部３０１において、携帯機１０からのクーポン取得要求を受信したか否かを判定する。そして、クーポン取得要求を受信したと判定した場合（Ｙｅｓ）は、ステップＳ６０２に移行し、そうでないと判定した場合（Ｎｏ）は、ステップＳ６１０に移行する。
ステップＳ６０２に移行した場合は、クーポン情報送信部３０１において、クーポン情報管理部３０ｆに記憶されたクーポン情報データベースから、受信したクーポン取得要求に含まれる現在位置情報及び利用者ＩＤに対応するクーポン情報を選定する。その後、ステップＳ６０４に移行する。
【００６６】
具体的に、クーポン情報送信部３０１は、まず、店舗情報データベースに登録された各店舗の位置情報と、携帯機１０の現在位置情報とから、携帯機１０の現在位置から予め設定した距離範囲内に存在する店舗の店舗ＩＤを抽出する。そして、クーポン情報データベースから、抽出した店舗ＩＤに対応するクーポン情報を選定する。次に、このようにして選定したクーポン情報の中から、利用者ＩＤの属するグループのグループ人数以上の人数を特典付与の対象人数とするクーポン情報を選定する。
ステップＳ６０４では、クーポン情報送信部３０１において、店舗情報データベースから、ステップＳ６０２で選定したクーポン情報に含まれるクーポンＩＤに対応する店舗の位置情報を取得する。その後、ステップＳ６０６に移行する。
【００６７】
ステップＳ６０６では、クーポン情報送信部３０１において、ステップＳ６０２で選定したクーポン情報に含まれるクーポンＩＤと、ステップＳ６０４で取得した店舗の位置情報とから構成されるクーポン情報（簡易版）を生成する。その後、ステップＳ６０８に移行する。
ステップＳ６０８では、クーポン情報送信部３０１において、ステップＳ６０６で生成したクーポン情報（簡易版）を含むクーポン取得応答を生成する。そして、生成したクーポン取得応答を、通信部３０ａを介して携帯機１０に送信する。その後、一連の処理を終了する。
【００６８】
一方、ステップＳ６００において、クーポン取得要求を受信していないと判定しステップＳ６１０に移行した場合は、クーポン情報送信部３０１において、携帯機１０からの詳細情報取得要求を受信したか否かを判定する。そして、詳細情報取得要求を受信したと判定した場合（Ｙｅｓ）は、ステップＳ６１２に移行し、そうでないと判定した場合（Ｎｏ）は、一連の処理を終了する。
ステップＳ６１２に移行した場合は、クーポン情報送信部３０１において、クーポン情報管理部３０ｆから、受信した詳細情報取得要求に含まれるクーポンＩＤに対応する詳細情報を取得する。その後、ステップＳ６１４に移行する。
【００６９】
具体的に、クーポン情報送信部３０１は、詳細情報として、クーポン情報管理部３０ｆのクーポン情報データベース及び店舗情報データベースに記憶されている、該当クーポンＩＤのクーポン情報及び店舗情報を取得する。
ステップＳ６１４では、クーポン情報送信部３０１において、ステップＳ６０８で取得したクーポン情報及び店舗情報の全てからなるクーポン情報（詳細版）を含む詳細情報取得応答を生成する。そして、生成した詳細情報取得応答を、通信部３０ａを介して携帯機１０に送信する。その後、一連の処理を終了する。
【００７０】
（利用状況判定処理及び特典付与要求送信処理）
次に、図１５に基づき、店舗端末４０のクーポンＩＤ取得部４００、人数情報取得要求送信部４０１、利用状況判定部４０２及び特典付与要求送信部４０３で行われる利用状況判定処理及び特典付与要求送信処理（上記ステップＳ２０８に対応）の処理手順を説明する。なお、利用状況判定処理及び特典付与要求送信処理は、予め設定した周期で繰り返し実行される。
ＣＰＵ３０ｂにおいて、専用のプログラムが実行され利用状況判定処理及び特典付与要求送信処理が開始されると、図１５に示すように、まず、ステップＳ７００に移行する。
ステップＳ７００では、クーポンＩＤ取得部４００において、利用者ＩＤ認証部４０ｃを介して、携帯機１０から、利用者ＩＤ及びクーポンＩＤを取得したか否かを判定する。そして、取得したと判定した場合（Ｙｅｓ）は、取得した利用者ＩＤ及びクーポンＩＤを、人数情報取得要求送信部４０１に入力して、ステップＳ７０２に移行し、そうでないと判定した場合（Ｎｏ）は、一連の処理を終了する。
【００７１】
ステップＳ７０２に移行した場合は、人数情報取得要求送信部４０１において、ステップＳ７００で取得した利用者ＩＤの属するグループのグループ人数の取得要求（Ｇｒ人数取得要求）を、通信部４０ａを介してサーバ３０に送信する。その後、ステップＳ７０４に移行する。
ステップＳ７０４では、人数情報取得要求送信部４０１において、サーバ３０からの人数情報を受信したか否かを判定する。そして、受信したと判定した場合（Ｙｅｓ）は、受信した人数情報と、入力された利用者ＩＤ及びクーポンＩＤとを利用状況判定部４０２に入力して、ステップＳ７０６に移行する。一方、受信していないと判定した場合（Ｎｏ）は、受信するか又はタイムオーバとなるまで判定処理を繰り返す。
【００７２】
ステップＳ７０６に移行した場合は、利用状況判定部４０２において、クーポン利用時の時刻情報（年月日時分秒）や支払い金額情報等のクーポンの利用条件を満足しているか否かを判定するために必要な情報を取得する。その後、ステップＳ７０８に移行する。
ステップＳ７０８では、利用状況判定部４０２において、グループ人数、クーポン利用時の時刻情報及び支払い合計金額等の取得情報に基づき、クーポンの利用条件を満たすか否かを判定する。そして、クーポンの利用条件を満たすと判定した場合（Ｙｅｓ）は、利用者ＩＤ及びクーポンＩＤを、特典付与要求送信部４０３に入力して、ステップＳ７１０に移行する。一方、クーポンの利用条件を満たさないと判定した場合（Ｎｏ）は、ステップＳ７１８に移行する。
【００７３】
ここで、クーポンの利用条件は、クーポンの種類毎に予め設定されており、例えば、特典付与の対象人数、クーポンの有効期限、購入金額等の条件が設定されている。
そして、例えば、グループ人数が対象人数以下であり、クーポン利用時の時刻（年月日時分秒）がクーポンの有効期限内であり、かつ、支払い金額が設定購入金額以上である場合に、クーポン利用条件を満たすと判定する。また、グループ人数が対象人数を超えていたり、クーポン利用時の時刻（年月日時分秒）が有効期限を越えていたり、支払い金額が設定購入金額未満であったりした場合に、クーポンの利用条件を満たさないと判定する。
【００７４】
ステップＳ７１０に移行した場合は、特典付与要求送信部４０３において、クーポン情報管理部３０ｆから、入力されたクーポンＩＤに対応するポイントＩＤと、付与ポイントの情報とを取得する。加えて、取得したポイントＩＤと、付与ポイントとを含んでなる特典情報を生成し、生成した特典情報及び利用者ＩＤを含む、クーポンを利用した利用者への特典付与要求である利用者付与要求を生成する。そして、生成した利用者付与要求を、通信部４０ａを介してサーバ３０に送信する。その後、ステップＳ７１２に移行する。
ステップＳ７１２では、特典付与要求送信部４０３において、サーバ３０からの、利用者付与要求に対する特典付与の完了通知である利用者付与完了通知を受信したか否かを判定する。そして、受信したと判定した場合（Ｙｅｓ）は、ステップＳ７１４に移行し、そうでないと判定した場合（Ｎｏ）は、受信するまで又はタイムオーバとなるまで判定処理を繰り返す。
【００７５】
ステップＳ７１４に移行した場合は、特典付与要求送信部４０３において、ステップＳ７１０で生成した特典情報及び利用者ＩＤを含む、クーポンを利用した利用者の属するグループの他の構成員への特典付与要求であるグループ付与要求を生成する。そして、生成したグループ付与要求を、通信部４０ａを介してサーバ３０に送信する。その後、ステップＳ７１６に移行する。
ステップＳ７１６では、特典付与要求送信部４０３において、サーバ３０からの、グループ付与要求に対する完了通知であるグループ付与完了通知を受信したか否かを判定する。そして、受信したと判定した場合（Ｙｅｓ）は、一連の処理を終了し、そうでないと判定した場合（Ｎｏ）は、受信するまで又はタイムオーバとなるまで判定処理を繰り返す。
一方、ステップＳ７０８において、クーポン利用条件を満たさないと判定してステップＳ７１８に移行した場合は、利用状況判定部４０２において、表示部４０ｆに、利用条件を満たさない旨のメッセージを表示して、一連の処理を終了する。
【００７６】
（Ｇｒ人数取得応答送信処理）
次に、図１６に基づき、サーバ３０のグループ人数情報送信部３０２で行われるＧｒ人数取得応答送信処理の処理手順を説明する。なお、Ｇｒ人数取得応答送信処理は、予め設定した周期で繰り返し実行される。
ＣＰＵ３０ｂにおいて、専用のプログラムが実行されＧｒ人数取得応答送信処理が開始されると、図１６に示すように、まず、ステップＳ７３０に移行する。
ステップＳ７３０では、グループ人数情報送信部３０２において、店舗端末４０からのＧｒ人数取得要求を受信したか否かを判定する。そして、受信したと判定した場合（Ｙｅｓ）は、ステップＳ７３２に移行し、そうでないと判定した場合（Ｎｏ）は、一連の処理を終了する。
ステップＳ７３２に移行した場合は、グループ人数情報送信部３０２において、グループ化情報管理部３０ｃから、受信したＧｒ人数取得要求に含まれる利用者ＩＤに対応するグループのグループ人数を取得する。その後、ステップＳ７３４に移行する。
【００７７】
具体的に、第１実施形態では、グループ人数情報送信部３０２は、Ｇｒ人数取得要求に含まれる利用者ＩＤに付与されたグループＩＤに基づき、該グループＩＤが付与された利用者ＩＤの数を計数し、グループ人数を算出する。これにより、グループ人数を取得する。
ステップＳ７３４では、グループ人数情報送信部３０２において、ステップＳ７３２で取得したグループ人数の情報を含むＧｒ人数取得応答を、通信部３０ａを介して要求元の店舗端末４０に送信する。その後、一連の処理を終了する。
【００７８】
（特典付与処理）
次に、図１７に基づき、サーバ３０の特典付与部３０３で行われる特典付与処理の処理手順を説明する（上記ステップＳ２１０に対応）。なお、特典付与処理は、予め設定した周期で繰り返し実行される。
ＣＰＵ３０ｂにおいて、専用のプログラムが実行され特典付与処理が開始されると、図１７に示すように、まず、ステップＳ７５０に移行する。
ステップＳ７５０では、特典付与部３０３において、店舗端末４０からの利用者付与要求を受信したか否かを判定する。そして、受信したと判定した場合（Ｙｅｓ）は、ステップＳ７５２に移行し、そうでないと判定した場合（Ｎｏ）は、ステップＳ７５６に移行する。
ステップＳ７５２に移行した場合は、特典付与部３０３において、利用者付与要求に含まれる利用者ＩＤに対して、利用者付与要求に含まれる特典情報に対応する特典を付与する。その後、ステップＳ７５４に移行する。
【００７９】
具体的に、特典付与部３０３は、ポイント管理データベースに登録された、利用者付与要求に含まれる利用者ＩＤに対応するポイント情報における、特典情報で指定されたポイントＩＤのポイントに対して特典情報で指定された付与ポイントを加算する。これにより、クーポンを利用した利用者に対して特典を付与する。
ステップＳ７５４では、特典付与部３０３において、利用者ＩＤを含む利用者付与完了通知を、通信部３０ａを介して店舗端末４０に送信する。その後、ステップＳ７５６に移行する。
ステップＳ７５６では、特典付与部３０３において、店舗端末４０からのグループ付与要求を受信したか否かを判定する。そして、受信したと判定した場合（Ｙｅｓ）は、ステップＳ７５８に移行し、そうでないと判定した場合（Ｎｏ）は、一連の処理を終了する。
【００８０】
ステップＳ７５８では、特典付与部３０３において、グループ付与要求に含まれる利用者ＩＤの属するグループの他の利用者ＩＤに対して、グループ付与要求に含まれる特典情報に対応する特典を付与する。その後、ステップＳ７６０に移行する。
具体的に、特典付与部３０３は、ポイント管理データベースに登録された、利用者付与要求に含まれる利用者ＩＤの属するグループの他の利用者ＩＤのポイント情報における、特典情報で指定されたポイントＩＤのポイントに対して特典情報で指定された付与ポイントを加算する。これにより、クーポンを利用した利用者の属する他の利用者に対して特典を付与する。
【００８１】
ステップＳ７６０では、特典付与部３０３において、利用者ＩＤを含むグループ付与完了通知を、通信部３０ａを介して店舗端末４０に送信する。その後、ステップＳ７６２に移行する。
ステップＳ７６２では、特典付与部３０３において、特典付与が完了したポイントのポイント名及び付与ポイント数の情報を含む特典取得通知を生成し、生成した特典取得通知を、通信部３０ａを介して、特典を付与した全ての利用者ＩＤに対応する利用者の携帯機１０に送信する。その後、一連の処理を終了する。
【００８２】
（グループ化解除処理）
次に、図１８に基づき、サーバ３０のグループ化解除部３０４で行われるグループ化解除処理の処理手順を説明する（上記ステップＳ２１２に対応）。なお、グループ化解除処理は、予め設定した周期で繰り返し実行される。
ＣＰＵ３０ｂにおいて、専用のプログラムが実行されグループ化解除処理が開始されると、図１８に示すように、まず、ステップＳ８００に移行する。
ステップＳ８００では、グループ化解除部３０４において、グループ化情報管理部３０ｃに記憶されているグループ化された各グループの利用者ＩＤ情報から日付情報を取得する。その後、ステップＳ８０２に移行する。
ステップＳ８０２では、グループ化解除部３０４において、ＲＣＴ３０ｇから、現在の日付情報を取得して、ステップＳ８０４に移行する。
【００８３】
ステップＳ８０４では、グループ化解除部３０４において、ステップＳ８００で取得した各グループの日付と、ステップＳ８０４で取得した現在の日付とに基づき、各グループの日付からの経過日数が、予め設定した設定日数以上となるグループがあるか否かを判定する。そして、設定日数以上となるグループがあると判定した場合（Ｙｅｓ）は、ステップＳ８０６に移行し、そうでないと判定した場合（Ｎｏ）は、一連の処理を終了する。
ステップＳ８０６に移行した場合は、グループ化解除部３０４において、ステップＳ８０４で、設定日数以上となると判定されたグループの利用者ＩＤ情報を削除する。その後、一連の処理を終了する。
【００８４】
（動作）
次に、図１〜図１８を参照しつつ、図１９〜図２６に基づき、第１実施形態の特典付与システム１の動作を説明する。
まず、利用者が、携帯機１０を用いて、サーバ３０に個人情報を登録する際の動作を説明する。
図１９に示すように、利用者は、まず、携帯機１０を操作して、個人情報登録用ページを表示する（ステップＳ２０００）。
具体的に、携帯機１０は、利用者からのタッチパネル１０ｇを介した個人情報登録用ページへのアクセス指示に応じて、個人情報登録用ページにアクセスする（ステップＳ１００）。そして、サーバ３０から送られてくるページ情報を用いて、タッチパネル１０ｇに個人情報登録用ページを表示する（ステップＳ１０２）。
【００８５】
続いて、携帯機１０は、個人情報登録用ページが表示されると、利用者の個人情報の入力を受け付ける（ステップＳ２００２）。
具体的に、利用者は、登録フォームに従って、タッチパネル１０ｇを介して、個人情報を入力する。この入力は、携帯機１０において受け付けられ、ＲＡＭ等のメモリに入力された個人情報が記憶される（ステップＳ１０４）。
その後、携帯機１０は、入力された個人情報を含む個人情報登録要求をサーバ３０に送信する（ステップＳ２００４）。
【００８６】
具体的に、利用者は、個人情報の入力が終了すると、タッチパネル１０ｇに表示された送信ボタンをタッチすることで、個人情報の送信指示を入力する。
携帯機１０は、利用者のタッチパネル１０ｇを介した個人情報の送信指示に応じて（ステップＳ１０６のＹｅｓ）、入力を受け付けた個人情報を含む個人情報登録要求を、通信部１０ｆを介して、サーバ３０に送信する（ステップＳ１０８）。
一方、ステップＳ２００６では、サーバ３０は、携帯機１０からの個人情報登録要求を、通信部３０ａを介して受信すると（ステップＳ１５０のＹｅｓ）、受信した個人情報登録要求に対応する利用者の利用者ＩＤを生成する（ステップＳ１５２）。
【００８７】
引き続き、サーバ３０は、受信した個人情報登録要求に基づき、個人情報を登録する（ステップＳ２００８）。
具体的に、サーバ３０は、個人情報登録部３０５において、受信した個人情報登録要求に含まれる個人情報と、生成した利用者ＩＤと、新規のポイント情報（獲得ポイント数０）とを対応付けて、ポイント情報管理部３０ｄのポイント管理データベースに登録する（ステップＳ１５４）。
例えば、ポイント管理データベースには、図２０（ａ）に示すように、個人情報として、利用者の名前、住所及びメールアドレスが登録される。加えて、ポイント情報として、各店舗のポイントＩＤ及び各ポイントＩＤに対するポイント数が登録される。
【００８８】
また、図２０（ｂ）に示すように、各ポイントＩＤと、各ポイントＩＤに対応するポイント名とがポイントＩＤデータベースに登録されている。従って、携帯機１０は、ポイントＩＤデータベースを参照することで、例えば、ポイントＩＤ「Ｐ０００００００１」に対応するポイント名が「○○電機ポイント」であることを認識することができる。
続いて、ステップＳ２０１０では、サーバ３０は、個人情報登録完了通知を、通信部３０ａを介して携帯機１０に送信する（ステップＳ１５６）。更に、サーバ３０は、ステップＳ２０１２において、利用者ＩＤを含む利用者ＩＤ登録要求を、通信部３０ａを介して携帯機１０に送信する（ステップＳ１５８）。
【００８９】
続いて、ステップＳ２０１４では、携帯機１０は、サーバ３０からの利用者ＩＤ登録要求を受信すると（ステップＳ１１２のＹｅｓ）、受信した利用者ＩＤ登録要求に含まれる利用者ＩＤを利用者ＩＤ記憶部１０ｄに記憶する（ステップＳ１１４）。これにより、利用者ＩＤを携帯機１０に登録する。
続いて、携帯機１０は、利用者ＩＤを記憶すると、該利用者ＩＤを含む利用者ＩＤ登録完了通知を、通信部１０ｆを介してサーバ３０に送信する（ステップＳ１１６）。
その後、携帯機１０は、タッチパネル１０ｇに、初期設定終了通知画面を表示して、利用者に初期設定が終了したことを通知する（ステップＳ２０１８）。
サーバ３０は、携帯機１０からの登録完了通知を受信することで（ステップＳ１６０のＹｅｓ）、一連の処理を終了する。
【００９０】
次に、携帯機１０に利用者ＩＤを登録後のグループ化が完了するまでの動作を説明する。
ここでは、同じ車両Ｖに、利用者ＩＤの登録が完了した携帯機１０Ａ〜１０Ｄを携帯した利用者Ａ〜Ｄの４人が同乗していることとする。以下、利用者Ａ〜Ｄは、区別する必要が無い場合に、単に「利用者」と称す。
まず、携帯機１０は、利用者のタッチパネル１０ｇを介した車載機ＩＤの読取モードへの移行指示に応じて（ステップＳ３００のＹｅｓ）、ＩＤ読取モードへと移行する（ステップＳ３０２）。
これにより、車載機ＩＤ取得部１０ａは、図２１に示すように、車載機ＩＤ取得要求（デジタル情報）を乗せた電波をループアンテナ１２から放射する（ステップＳ２１００）。
続いて、携帯機１０は、車載機２０から車載機ＩＤを含む車載機ＩＤ取得応答を受信する（ステップＳ２１０２）。
【００９１】
具体的に、利用者がＩＤ読取モードの状態にある携帯機１０を、車載機２０に近づけることで、車載機ＩＤ取得要求を乗せた電波が車載機２０に到達する。
車載機２０は、携帯機１０からの車載機ＩＤ取得要求を乗せた電波を、ループアンテナ２０ｄを介して受信する。
車載機２０は、ＲＦ・Ｉ／Ｆ回路２０ｃを介して、受信信号から車載機ＩＤ取得要求を取り出すと、制御回路２０ｂにおいて車載機ＩＤ記憶部２０ａから車載機ＩＤを読み出す。そして、ＲＦ・Ｉ／Ｆ回路２０ｃを介して、車載機ＩＤを含む車載機ＩＤ取得応答の乗った電波をループアンテナ２０ｄから放射する。
【００９２】
携帯機１０は、車載機ＩＤ読取部１０ａを介して、車載機２０からの車載機ＩＤ取得応答を受信し、受信した車載機ＩＤ取得応答に含まれる車載機ＩＤを取得する（ステップＳ３０４のＹｅｓ）。
携帯機１０は、車載機２０から車載機ＩＤを取得すると、グループ化要求をサーバ３０に送信する（ステップＳ２１０４）。
具体的に、携帯機１０は、グループ化要求送信部１００において、利用者ＩＤ記憶部１０ｄに記憶された利用者ＩＤを読み出し、読み出した利用者ＩＤと、取得した車載機ＩＤとを含むグループ化要求を生成する。そして、生成したグループ化要求を、通信部１０ｆを介してサーバ３０に送信する（ステップＳ３０６）。
【００９３】
一方、サーバ３０は、通信部３０ａを介して携帯機１０からのグループ化要求を受信すると、受信したグループ化要求に含まれる利用者ＩＤをグループ化する（ステップＳ２１０６）。
具体的に、サーバ３０は、グループ化部３００において、グループ化要求を受信すると（ステップＳ４００のＹｅｓ）、受信時の日付情報をＲＴＣ３０ｇから取得する。そして、取得した日付情報を、受信したグループ化要求に含まれる利用者ＩＤ及び車載機ＩＤに付加してなる利用者ＩＤ情報を、グループ化情報管理部３０ｃに記憶する（ステップＳ４０２）。
【００９４】
ここでは、利用者Ａ〜Ｄが、順番に携帯機１０Ａ〜１０Ｄを車載機２０に近づけて、携帯機１０Ａ〜１０Ｄから、グループ化要求が順次サーバ３０に送信されたとする。
また、ここでは、利用者Ａの所持する携帯機１０Ａに登録された利用者ＩＤを「Ｕ００００００１」、利用者Ｂの所持する携帯機１０Ｂに登録された利用者ＩＤを「Ｕ０００００００２」とする。加えて、利用者Ｃの所持する携帯機１０Ｃに登録された利用者ＩＤを「Ｕ０００００００３」、利用者Ｄの所持する携帯機１０Ｄに登録された利用者ＩＤを「Ｕ０００００００４」とする。また、車両Ｖの車載機ＩＤは、「Ｃ０００００００１」とする。
【００９５】
サーバ３０は、携帯機１０Ａ〜１０Ｄから順次送られてくるグループ化要求に含まれる利用者ＩＤ及び車載機ＩＤを、順次、日付情報と対応付けてグループ化情報管理部３０ｃに記憶する。そして、共通の車載機ＩＤ及び日付情報を有する利用者ＩＤ情報をグループ化する（ステップＳ４０４）。
具体的に、サーバ３０は、グループ化部３００において、図２２に示すように、車載機ＩＤ及び登録日が共通となる利用者Ａ〜Ｄに対応する利用者ＩＤ情報に対して、それぞれ固有のグループＩＤ「Ｇ０００００００１」を付加することでグループ化を行う。
【００９６】
引き続き、サーバ３０は、グループ化が完了すると、グループ化完了通知を携帯機１０に送信する（ステップＳ２１０８）。
具体的に、サーバ３０は、グループ化部３００において、利用者Ａ〜Ｄの利用者ＩＤのグループ化が完了すると、車載機ＩＤ及び利用者ＩＤを含むグループ化完了通知を生成する。そして、生成したグループ化完了通知を、通信部３０ａを介して、携帯機１０に送信する（ステップＳ４０６）。
即ち、利用者Ａの利用者ＩＤと車載機ＩＤとを含むグループ化完了通知を携帯機１０Ａに送信し、利用者Ｂの利用者ＩＤと車載機ＩＤとを含むグループ化完了通知を携帯機１０Ｂに送信する。加えて、利用者Ｃの利用者ＩＤと車載機ＩＤとを含むグループ化完了通知を携帯機１０Ｃに送信し、利用者Ｄの利用者ＩＤと車載機ＩＤとを含むグループ化完了通知を携帯機１０Ｄに送信する。
【００９７】
次に、グループ化完了後における、クーポン情報の取得指示を受け付けてから、クーポンの詳細情報を表示するまでの動作について説明する。
図２３に示すように、まず、携帯機１０は、利用者からのクーポン取得指示を受け付ける（ステップＳ２２００）。
具体的に、利用者が、タッチパネル１０ｇに表示されたクーポン取得ボタンをタッチすることで、携帯機１０において、クーポン取得指示が受け付けられる（ステップＳ５００のＹｅｓ）。
引き続き、携帯機１０は、クーポン取得部１０１において、位置情報取得部１０２を介して、当該携帯機１０の現在位置情報を取得する（ステップＳ２２０２）。
具体的に、携帯機１０は、位置情報取得部１０２において、ＧＰＳ受信機１０ｊから、複数のＧＰＳ衛星から発信されたＧＰＳ信号を取得し、取得したＧＰＳ信号に基づき、携帯機１０の現在位置を計算する。
【００９８】
携帯機１０は、クーポン取得部１０１において、位置情報取得部１０２から当該携帯機１０の現在位置情報を取得する（ステップＳ５０２）。
引き続き、携帯機１０は、取得した現在位置情報と利用者ＩＤとを含むクーポン取得要求をサーバ３０に送信する（ステップＳ２２０４）。
具体的に、クーポン取得部１０１は、利用者ＩＤ記憶部１０ｄから利用者ＩＤを読み出し、読み出した利用者ＩＤと取得した現在位置情報とを含むクーポン取得要求を生成する。そして、生成したクーポン取得要求を、通信部１０ｆを介してサーバ３０に送信する（ステップＳ５０４）。
一方、サーバ３０は、携帯機１０からのクーポン取得要求を受信すると、クーポン情報送信部３０１において、携帯機１０に送信するクーポン情報を選定する（ステップＳ２２０６）。
【００９９】
具体的に、クーポン情報送信部３０１は、グループ化情報管理部３０ｃから、受信したクーポン取得要求に含まれる利用者ＩＤに対応するグループの人数情報を取得する。ここでは、携帯機１０Ａからのクーポン取得要求を受信したとして、利用者Ａの利用者ＩＤの属するグループのグループ人数情報（４人）を取得したとする。
引き続き、クーポン情報送信部３０１は、クーポン情報管理部３０ｆに記憶されたクーポン情報データベースから、受信したクーポン取得要求に含まれる現在位置情報の示す位置から予め設定した設定距離範囲内（例えば、現在位置を中心とした半径１［ｋｍ］の円内）に存在する店舗で利用可能なクーポン情報を選定する。
【０１００】
これにより、例えば、図２４（ａ）に示すクーポン情報データベースから、クーポンＩＤ「Ｑ０００００００１」、「Ｑ０００００００２」及び「Ｑ０００００００３」に対応する３種類のクーポン情報が選定されたとする。
次に、クーポン情報送信部３０１は、グループ人数が「４人」であることから、更に、選定した３種類のクーポン情報の中から、対象人数が４人以上であるクーポンＩＤ「Ｑ０００００００３」に対応するクーポン情報を選定する（ステップＳ６０２）。
続いて、クーポン情報送信部３０１は、選定したクーポン情報に基づき、クーポン情報（簡易版）を含むクーポン取得応答を、携帯機１０に送信する（ステップＳ２２０８）。
【０１０１】
具体的に、クーポン情報送信部３０１は、店舗情報データベースから、選定したクーポン情報に含まれる店舗ＩＤ「Ａ０００００００１」に対応する店舗の位置情報を取得する（ステップＳ６０４）。
これにより、例えば、図２４（ｂ）に示す店舗情報データベースから、店舗ＩＤ「Ａ０００００００１」に対応する店舗の位置情報「緯度：３５．６５８６２５、経度：１３９．７４５４１５」が取得される。
クーポン情報送信部３０１は、選定したクーポン情報のうちクーポンＩＤ「Ｑ０００００００３」と、取得した店舗の位置情報「緯度：３５．６５８６２５、経度：１３９．７４５４１５」とからなるクーポン情報（簡易版）を生成する（ステップＳ６０６）。更に、生成したクーポン情報（簡易版）を含むクーポン取得応答を生成し、生成したクーポン取得応答を、通信部３０ａを介して携帯機１０Ａに送信する（ステップＳ６０８）。
【０１０２】
携帯機１０Ａは、サーバ３０からのクーポン取得応答を受信すると、クーポン取得部１０１において、受信したクーポン取得応答に含まれるクーポン情報（簡易版）に基づき、店舗の位置を示すマーカを地図上に表示する（ステップＳ２２１０）。
具体的に、クーポン取得部１０１は、サーバ３０からのクーポン取得応答を受信すると（ステップＳ５０６のＹｅｓ）、受信したクーポン取得応答に含まれるクーポン情報（簡易版）から店舗の位置情報を抽出する。そして、抽出した位置情報と、地図情報記憶部１０ｈに記憶された道路地図情報とに基づき、道路地図上の位置情報の示す位置に店舗の位置を示すマーカを表示した画像を、タッチパネル１０ｇに表示する（ステップＳ５０８）。また、クーポン取得部１０１は、取得したクーポン情報（簡易版）を、利用者ＩＤ記憶部１０ｄに記憶する。
【０１０３】
引き続き、携帯機１０Ａは、利用者Ａからの、クーポン情報の詳細表示指示を受け付ける（ステップＳ２２１２）。
具体的に、利用者がタッチパネル１０ｇに表示されたマーカをタッチする等によって、携帯機１０Ａに詳細表示指示が入力される（ステップＳ５１０のＹｅｓ）。
携帯機１０Ａは、詳細表示指示を受け付けると、クーポン取得部１０１において、該当クーポンの詳細情報取得要求をサーバ３０に送信する（ステップＳ２２１４）。
具体的に、クーポン取得部１０１は、利用者ＩＤ記憶部１０ｄから利用者ＩＤを読み出し、読み出した利用者ＩＤと、該当クーポンのクーポンＩＤとを含む詳細情報取得要求を生成する。そして、生成した詳細情報取得要求を、通信部１０ｆを介してサーバ３０に送信する（ステップＳ５１２）。
サーバ３０は、携帯機１０Ａからの詳細情報取得要求を受信すると、クーポン情報送信部３０１において、該当クーポンの詳細情報を含む詳細情報取得応答を、携帯機１０Ａに送信する（ステップＳ２２１６）。
【０１０４】
具体的に、クーポン情報送信部３０１は、携帯機１０Ａからの詳細情報取得要求を受信すると（ステップＳ６１０のＹｅｓ）、クーポン情報管理部３０ｆから、受信した詳細情報取得要求に含まれるクーポンＩＤに対応するクーポン情報及び店舗情報を取得する（ステップＳ６１２）。更に、取得したクーポン情報及び店舗情報の全てからなるクーポン情報（詳細版）を生成する。そして、生成したクーポン情報（詳細版）を含む詳細情報取得応答を生成し、生成した詳細情報取得応答を、通信部３０ａを介して携帯機１０Ａに送信する（ステップＳ６１４）。
携帯機１０Ａは、サーバ３０からの詳細情報取得応答を受信すると、クーポン取得部１０１において、該当クーポンの詳細を表示する（ステップＳ２２１８）。
具体的に、クーポン取得部１０１は、サーバ３０からの詳細情報取得応答を受信すると（ステップＳ５１４のＹｅｓ）、受信した詳細情報取得応答に含まれるクーポン情報（詳細版）を、タッチパネル１０ｇに表示する（ステップＳ５１６）。
【０１０５】
次に、店舗端末４０が携帯機１０Ａから利用者ＩＤ及びクーポンＩＤを取得してから、利用者Ａの利用者ＩＤの属するグループを構成する全ての利用者ＩＤに対応する利用者に対して特典が付与されるまでの動作を説明する。
図２５に示すように、店舗端末４０は、クーポンの利用を告げた利用者Ａの携帯機１０Ａから、利用者ＩＤ及びクーポンＩＤを取得する（ステップＳ２３００）。
具体的に、店舗において、利用者Ａが、クーポンの利用をレジの店員に告げると、店員は、店舗端末４０を操作して、利用者ＩＤ認証部４０ｃをＩＤ読取モードに移行する。利用者ＩＤ認証部４０ｃは、ＩＤ読取モードへ移行すると、利用者ＩＤ及びクーポンＩＤの取得要求を乗せた電波をループアンテナから放射する。
【０１０６】
その後、利用者Ａが携帯機１０Ａを利用者ＩＤ認証部４０ｃに近づける又は接触させることで、携帯機１０Ａは、利用者ＩＤ記憶部１０ｄにおいて、利用者ＩＤ認証部４０ｃからの取得要求を受信する。これにより、利用者ＩＤ記憶部１０ｄは、ＮＦＣタグＬＳＩ１３において、記憶している利用者ＩＤ「Ｕ０００００００１」と取得要求で指定されたクーポンＩＤ「Ｑ０００００００３」とを読み出し、これら利用者ＩＤとクーポンＩＤとを含む取得応答を生成する。そして、生成した取得応答を乗せた電波を、ループアンテナ１４から放射する。
【０１０７】
これにより、利用者ＩＤ認証部４０ｃは、ループアンテナ１４から放射された取得応答を含む電波を受信して、取得応答に含まれる利用者Ａの利用者ＩＤ「Ｕ０００００００１」及びクーポンＩＤ「Ｑ０００００００３」を取得する（ステップＳ７００のＹｅｓ）。
引き続き、店舗端末４０は、人数情報取得要求送信部４０１において、グループ人数取得要求（Ｇｒ人数取得要求）をサーバ３０に送信する（ステップＳ２３０２）。
具体的に、人数情報取得要求送信部４０１は、取得した利用者ＩＤ「Ｕ０００００００１」を含むＧｒ人数取得要求を生成し、生成したＧｒ人数取得要求を、通信部４０ａを介してサーバ３０に送信する（ステップＳ７０２）。
【０１０８】
サーバ３０は、店舗端末４０からのＧｒ人数取得要求を受信すると、グループ人数情報送信部３０２において、該当利用者ＩＤの属するグループのグループ人数の情報を含むＧｒ人数取得応答を、店舗端末４０に送信する（ステップＳ２３０４）。
具体的に、グループ人数情報送信部３０２は、店舗端末４０からのＧｒ人数取得要求を受信すると（ステップＳ７３０のＹｅｓ）、グループ化情報管理部３０ｃに記憶されたグループ化された利用者ＩＤ情報に基づき、受信したＧｒ人数取得要求に含まれる利用者Ａの利用者ＩＤ「Ｕ０００００００１」に対応するグループの人数を算出する（ステップＳ７３２）。
【０１０９】
ここで、利用者ＩＤ「Ｕ０００００００１」の所属するグループは、グループＩＤ「Ｇ０００００００１」となるので、他にグループＩＤ「Ｇ０００００００１」を有する利用者ＩＤは、図２２に示すように、「Ｕ０００００００２」〜「Ｕ０００００００４」の３つとなる。従って、グループＩＤ「Ｇ０００００００１」のグループ人数は、「４人」と計算できる。従って、サーバ３０は、このグループ人数（４人）の情報を含むＧｒ人数取得応答を生成し、生成したＧｒ人数取得応答を、通信部３０ａを介して店舗端末４０に送信する（ステップＳ７３４）。
【０１１０】
店舗端末４０は、サーバ３０からＧｒ人数取得応答を受信すると、受信したＧｒ人数取得応答に含まれるグループ人数の情報等に基づき、クーポンの利用状況を判定する（ステップＳ２３０６）。
具体的に、店舗端末４０は、サーバ３０からのＧｒ人数取得応答を受信すると、利用状況判定部４０２において、クーポン情報記憶部４０ｄに記憶されたクーポン情報データベースから、取得したクーポンＩＤ「Ｑ０００００００３」に対応する対象人数の情報を取得する。
ここで、店舗端末４０は、店舗ＩＤ「Ａ０００００００１」に対応する店舗に設置された端末である。そして、店舗端末４０は、図２５（ａ）に示すように、店舗ＩＤ「Ａ０００００００１」の店舗で利用可能なクーポンについて、サーバ３０の有するクーポン情報データベースと共通の情報を有している。従って、店舗端末４０は、このクーポン情報データベースから、クーポンＩＤ「Ｑ０００００００３」に対応する対象人数「４人」の情報を取得する。
【０１１１】
一方、図２６（ａ）に示すように、クーポンＩＤ「Ｑ０００００００３」に対応するクーポンは、対象人数の他に、購入金額の条件と、有効期限の条件とを有している。
従って、利用状況判定部４０２は、クーポン情報データベースから、設定購入金額の情報「１０，０００円」と有効期限の情報「２０１２１１２９＿０８００〜２０１２１２３１＿１７００」とを取得する。なお、有効期限の情報は、２０１２年１１月２９日の８：００〜２０１２年１２月３１日の１７：００の期間を意味する。
更に、利用状況判定部４０２は、支払い金額算出部４０４から支払い合計金額の情報を取得し、不図示のＲＴＣから現在時刻情報（年月日時分秒）を取得する。
ここでは、支払い合計金額の情報「１２，５００円」と、現在時刻情報「２０１２年１２月１５日の１２：３０」とを取得したとする。
【０１１２】
なお、支払い金額算出部４０４は、レジの店員が商品コード読取部４０ｇを用いて、利用者Ａの購入する各商品に付されたバーコードを読み取ることで、商品コードを取得する。そして、支払い金額算出部４０４は、商品情報管理部４０ｈから、取得した商品コードに対応する商品の単価情報を取得し、取得した単価情報の示す単価を現在までの計算結果（初期値は「０」）に加算する。
商品情報管理部４０ｈは、例えば、図２６（ｂ）に示すように、商品「ＡＡＡ」等の店舗で取り扱っている商品の商品情報を有している。
【０１１３】
従って、支払い金額算出部４０４は、商品コード「４９００００１００００１」を取得した場合に、図２６（ｂ）に示す、商品「ＡＡＡ」の単価「９，８００円」を取得し、これを現在までの計算結果に加算する。
利用状況判定部４０２は、取得した情報に基づき、グループ人数「４人」が対象人数「４人」以下であり、支払い合計金額「１２，５００円」が設定購入金額「１０，０００円」以上であると判定する。加えて、現在時刻「２０１２年１２月１５日の１２：３０」が、有効期限「２０１２年１１月２９日の８：００〜２０１２年１２月３１日の１７：００」の期間内であると判定する。
【０１１４】
以上の判定結果から、利用状況判定部４０２は、利用者Ａの利用するクーポンが、クーポンの利用条件（特典付与の条件）を満足していると判定する。そして、利用者ＩＤ「Ｕ０００００００１」及びクーポンＩＤ「Ｑ０００００００３」を、特典付与要求送信部４０３に入力する。
特典付与要求送信部４０３は、利用者ＩＤ及びクーポンＩＤが入力されると、利用者Ａに対する特典付与要求である利用者付与要求をサーバ３０に送信する（ステップＳ２３０８）。
【０１１５】
具体的に、特典付与要求送信部４０３は、クーポン情報データベースから、入力されたクーポンＩＤ「Ｑ０００００００３」に対応するポイントＩＤ「Ｐ０００００００１」及び付与ポイント数「６５」を取得する。
更に、特典付与要求送信部４０３は、入力された利用者ＩＤ「Ｕ０００００００１」と、ポイントＩＤ「Ｐ０００００００１」及び付与ポイント数「６５」を含んでなる特典情報とを含む、利用者Ａに対する特典付与要求である利用者付与要求を生成する。そして、生成した利用者付与要求を、通信部４０ａを介してサーバ３０に送信する（ステップＳ７１０）。
【０１１６】
サーバ３０は、店舗端末４０からの利用者付与要求を受信すると、特典付与部３０３において、受信した利用者付与要求に含まれる利用者ＩＤ「Ｕ０００００００１」及び特典情報に基づき特典を付与する。そして、特典付与応答を店舗端末４０に送信する（ステップＳ２３１０）。
具体的に、特典付与部３０３は、ポイント管理データベースの利用者ＩＤ「Ｕ０００００００１」に対応するポイント情報における、クーポンＩＤ「Ｐ０００００００１」のポイントに６５ポイントを加算する。これにより、クーポンを利用した利用者Ａに対して特典を付与する（ステップＳ７５２）。
【０１１７】
特典付与部３０３は、利用者Ａに対して特典を付与すると、利用者ＩＤ「Ｕ０００００００１」及び特典情報を含む利用者付与完了通知を生成し、生成した利用者付与完了通知を、通信部３０ａを介して店舗端末４０に送信する（ステップＳ７５４）。
店舗端末４０は、サーバ３０からの利用者付与完了通知を受信すると、特典付与要求送信部４０３において、グループ付与要求をサーバ３０に送信する（ステップＳ２３１２）。
具体的に、特典付与要求送信部４０３は、受信した利用者付与完了通知に含まれる利用者ＩＤ及び特典情報を含む、利用者Ａの属するグループの他の構成員に対する特典付与要求であるグループ付与要求を生成する。そして、生成したグループ付与要求を、通信部４０ａを介してサーバ３０に送信する（ステップＳ７１４）。
【０１１８】
サーバ３０は、店舗端末４０からのグループ付与要求を受信すると、特典付与部３０３において、受信したグループ付与要求に含まれる利用者ＩＤ及び特典情報に基づき、利用者Ａの属するグループの他の構成員に対して特典を付与する。その後、グループ付与完了通知（以下、「Ｇｒ付与完了通知」と称す）を店舗端末４０に送信する（ステップＳ２３１４）。
具体的に、特典付与部３０３は、グループ化情報管理部３０ｃから、利用者ＩＤ「Ｕ０００００００１」の属するグループの他の構成員の利用者ＩＤを取得する。
【０１１９】
ここで、図２２に示すように、利用者ＩＤ「Ｕ０００００００１」は、グループＩＤ「Ｇ０００００００１」のグループに属する。そのため、特典付与部３０３は、同じグループＩＤを有する利用者ＩＤ「Ｕ０００００００２」、「Ｕ０００００００３」及び「Ｕ０００００００４」を取得する。即ち、利用者Ｂ〜Ｄの利用者ＩＤを取得する。
そして、特典付与部３０３は、ポイント管理データベースにおける、利用者ＩＤ「Ｕ０００００００２」、「Ｕ０００００００３」及び「Ｕ０００００００４」のポイントＩＤ「Ｐ０００００００１」のポイントにそれぞれ６５ポイントを加算する。これにより、クーポンを利用した利用者Ａの利用者ＩＤの属するグループを構成する他の利用者ＩＤに対応する利用者（利用者Ｂ〜Ｄ）に対して特典を付与する（ステップＳ７５８）。
【０１２０】
特典付与部３０３は、利用者Ｂ〜Ｄに対して特典を付与すると、利用者ＩＤ「Ｕ０００００００１」及び特典情報を含むＧｒ付与完了通知を生成する。そして、生成したＧｒ付与完了通知を、通信部３０ａを介して店舗端末４０に送信する（ステップＳ７６０）。
引き続き、サーバ３０は、特典付与部３０３において、特典取得通知を携帯機１０に送信する（ステップＳ２３１６）。
具体的に、特典付与部３０３は、図２０（ｂ）に示すポイントＩＤデータベースを参照して、ポイントＩＤ「Ｐ０００００００１」に対応する「○○電機ポイント」に６５ポイントを付加したことを示す情報を含む特典取得通知を生成する。そして、生成した特典取得通知を、通信部３０ａを介して利用者Ａ〜Ｄの携帯機１０Ａ〜１０Ｄにそれぞれ送信する（ステップＳ７６２）。
【０１２１】
一方、サーバ３０は、グループ化解除部３０４において、一定周期で、グループ化情報管理部３０ｃから、各グループの利用者ＩＤ情報に付加された日付情報（登録日情報）を取得する（ステップＳ８００）。加えて、ＲＴＣ３０Ｇから現在の日付情報を取得する（ステップＳ８０２）。そして、登録日から現在の日付までの経過日数を計算し、該経過日数が設定日数以上であるか否かを判定する（ステップＳ８０４）。グループ化解除部３０４は、設定日数以上であると判定した場合に（ステップＳ８０４のＹｅｓ）、グループ化情報管理部３０ｃから、該当グループの利用者ＩＤ情報を削除する（ステップＳ８０６）。
【０１２２】
具体的に、利用者Ａ〜Ｄが属するグループの登録日が「２０１２年１２月１５日」で、現在の日付が「２０１２年１２月１６日」であり、設定日数が「１日」であるとする。この場合、グループ化解除部３０４は、グループ化情報管理部３０ｃから、利用者Ａ〜Ｄの利用者ＩＤの属するグループのグループＩＤ及び利用者ＩＤ情報を削除する。
このようにして、グループ化が解除されることで、上記一連のグループ向け特典付与サービスが終了する。
ここで、利用者ＩＤ記憶部１０ｄが、利用者識別情報記憶部を構成し、通信部１０ｆ及びグループ化要求送信部１００が、グループ化要求送信部を構成する。
【０１２３】
また、位置情報取得部１０２が、位置情報取得部を構成し、通信部１０ｆ及びクーポン取得部１０１が、クーポン取得要求送信部を構成する。
また、車載機ＩＤ読取部１０ａ及びグループ化要求送信部１００が、機器識別情報取得部を構成する。
また、車載機２０が、乗り物に搭載された機器を構成し、車載機ＩＤ記憶部２０ａが、機器識別情報記憶部を構成する。
また、ポイント情報管理部３９ｄが、特典情報記憶部を構成し、通信部３０ａ及びグループ化部３００が、グループ化要求受信部を構成し、グループ化部３００が、グループ化部を構成し、グループ化情報管理部３０ｃが、識別情報記憶部を構成し、特典付与部３０３が、特典付与部を構成する。
【０１２４】
また、クーポン情報管理部３０ｆが、クーポン情報記憶部を構成し、クーポン情報送信部３０１が、クーポン情報選定部を構成し、通信部３０ａ及びクーポン情報送信部３０１が、クーポン情報送信部を構成する。
また、店舗端末４０が、施設端末を構成し、利用者ＩＤ認証部４０ｃ及びクーポンＩＤ取得部４００が、利用者識別情報取得部を構成し、利用状況判定部４０２が、利用状況判定部を構成し、通信部４０ａ及び特典付与要求送信部４０３が、特典付与要求送信部を構成する。
【０１２５】
（第１実施形態の効果）
第１実施形態は、次のような効果を奏する。
（１）ポイント情報管理部３０ｄが、予め登録された利用者に固有の識別情報である利用者ＩＤと、該利用者ＩＤに対して付与された特典情報（ポイント）である獲得特典情報（ポイント情報）とを対応付けて記憶する。グループ化部３００が、登録された利用者ＩＤのうちグループ化要求のあった利用者ＩＤをグループ化する。利用状況判定部４０２が、グループ化したグループに属する各利用者ＩＤに対応する利用者の、予め登録されたグループ向け特典付与サービスの利用状況が、予め設定した特典付与条件を満足したか否かを判定する。特典付与部３０３が、利用状況判定部４０２が特典付与条件を満足したと判定すると、ポイント情報管理部３０ｄに記憶された、該判定結果に対応する利用者の利用者ＩＤに対応する獲得特典情報（ポイント情報）に対して特典情報（ポイント）を付与する。加えて、該利用者ＩＤの属するグループの他の利用者ＩＤに対応する獲得特典情報（ポイント情報）に対しても特典情報（ポイント）を付与する。
【０１２６】
この構成であれば、グループ化要求のあった利用者ＩＤをグループ化することが可能となる。加えて、グループに属する各利用者ＩＤに対応する利用者の、グループ向け特典付与サービスの利用状況が、予め設定した特典付与条件を満足したと判定すると、該判定結果に対応する利用者の利用者ＩＤと、該利用者ＩＤの属するグループの他の利用者ＩＤとに対応する獲得特典情報（ポイント情報）に対して特典情報（ポイント）を付与することが可能となる。
その結果、店舗等において、グループの全員の利用者ＩＤを取得する等の煩わしい作業をすることなく、簡易に、グループ向けの特典付与サービスを提供することが可能となる。
【０１２７】
（２）利用者に携帯される携帯機１０と、グループ向けの特典付与の対象となるサービスを提供する施設（店舗）に設置された店舗端末４０と、特典付与サービス提供サーバ３０とを備える。加えて、特典付与サービス提供サーバ３０と携帯機１０とを通信回線を介して互いにデータ通信可能に接続すると共に、特典付与サービス提供サーバ３０と店舗端末４０とを通信回線を介して互いにデータ通信可能に接続する。
携帯機１０は、利用者ＩＤ記憶部１０ｄが、特典付与サービス提供サーバ３０に予め登録された、利用者に固有の識別情報である利用者ＩＤを記憶する。グループ化要求送信部１００が、利用者ＩＤ記憶部１０ｄに記憶された利用者ＩＤを含むグループ化要求を通信部１０ｆを介して特典付与サービス提供サーバ３０に送信する。
【０１２８】
店舗端末４０は、クーポンＩＤ取得部４００が、利用者ＩＤ認証部４０ｃを介して携帯機１０から利用者ＩＤを取得する。利用状況判定部４０２が、クーポンＩＤ取得部４００が取得した利用者ＩＤに対応する利用者の、グループ向け特典付与対象サービスの利用状況が、予め設定した特典付与条件を満足するか否かを判定する。特典付与要求送信部４０３が、利用状況判定部４０２が特典付与条件を満足したと判定した場合に、該特典付与条件を満足した利用状況に対応する利用者の利用者ＩＤを含む特典付与要求を通信部４０ａを介して特典付与サービス提供サーバ３０に送信する。
【０１２９】
特典付与サービス提供サーバ３０は、グループ化部３００が、携帯機１０からのグループ化要求を通信部３０ａを介して受信すると、受信したグループ化要求に含まれる利用者ＩＤをグループ化情報管理部３０ｃに記憶する。グループ化部３００が、グループ化情報管理部３０ｃに記憶された利用者ＩＤのうち、予め設定したグループ化条件を満たす利用者ＩＤをグループ化する。特典付与部３０３が、店舗端末４０からの特典付与要求を通信部３０ａを介して受信すると、受信した特典付与要求に含まれる利用者ＩＤに対応する獲得特典情報（ポイント情報）に対して特典情報（ポイント）を付与する。加えて、該利用者ＩＤの属するグループの他の利用者ＩＤに対応する獲得特典情報に対しても特典情報を付与する。
【０１３０】
この構成であれば、特典付与サービス提供サーバ３０において、受信したグループ化要求に含まれる利用者ＩＤのうち、例えば、共通の登録情報を有する利用者の利用者ＩＤ等の予め設定したグループ化条件を満たす利用者ＩＤをグループ化することが可能である。加えて、店舗端末４０において、グループ化された利用者ＩＤのうちのいずれか１に対応する利用者の、グループ向け特典付与対象サービスの利用状況が、例えば、支払金額が設定金額以上等の予め設定した特典付与条件を満足するか否かを判定することが可能となる。更に、特典付与条件を満足した利用状況に対応する利用者の利用者ＩＤを含む特典付与要求を特典付与サービス提供サーバ３０に送信することが可能である。そして、特典付与サービス提供サーバ３０は、店舗端末４０からの特典付与要求に応じて、該特典付与要求に含まれる利用者ＩＤに対応する獲得特典情報と、該利用者ＩＤの属するグループの他の利用者ＩＤに対応する獲得特典情報とに対して特典情報を付与することが可能となる。
その結果、店舗等において、グループの全員の利用者ＩＤを取得する等の煩わしい作業をすることなく、特典付与条件を満足した利用者の属するグループに対して、簡易に、グループ向けの特典付与サービスを提供することが可能となる。
【０１３１】
（３）携帯機１０は、位置情報取得部１０２が、当該携帯機１０の現在位置情報を取得する。クーポン取得部１０１が、利用者ＩＤ記憶部１０ｄに記憶された利用者ＩＤと位置情報取得部１０２が取得した現在位置情報とを含むクーポン取得要求を、通信部１０ｆを介して特典付与サービス提供サーバ３０に送信する。
特典付与サービス提供サーバ３０は、クーポン情報管理部３０ｆが、施設（店舗）の位置情報と該施設で提供されるグループ向け特典付与対象サービスに適用可能なクーポンの情報とを含むクーポン情報を記憶する。クーポン情報送信部３０１が、携帯機１０からの現在位置情報及び利用者ＩＤを受信すると、クーポン情報管理部３０ｆに記憶されたクーポン情報のうちから、受信した現在位置情報の示す位置から予め設定した設定距離範囲内に存在する施設に対応するクーポン情報を選定する。クーポン情報送信部３０１が、選定したクーポン情報を、通信部３０ａを介して、受信した利用者ＩＤに対応する利用者の携帯機１０に送信する。
【０１３２】
特典付与条件は、クーポンの種類毎に異なる条件を設定した。
店舗端末４０は、利用状況判定部４０２が、クーポンＩＤ取得部４００が取得した利用者ＩＤに対応する利用者の、クーポンを用いたグループ向け特典付与対象サービスの利用状況が、該クーポンに対して設定された特典付与条件を満足したか否かを判定する。
この構成であれば、携帯機１０は、特典付与サービス提供サーバ３０からグループ向け特典付与対象サービスに適用可能なクーポンを取得することが可能となる。加えて、店舗端末４０は、グループ化された利用者ＩＤのうちの１に対応する利用者の、取得したクーポンを用いたグループ向け特典付与対象サービスの利用状況が、例えば、グループの人数が設定人数以下、支払金額が設定金額以上等の特典付与条件を満足したか否かを判定する。そして、特典付与条件を満足した利用状況に対応する利用者の利用者ＩＤを含む特典付与要求を特典付与サービス提供サーバ３０に送信することが可能である。
その結果、店舗等においてグループの全員の利用者ＩＤを取得する等の煩わしい作業をすることなく、特典付与条件を満足した利用状況に対応する利用者の属するグループに対して、簡易に、グループ向け特典付与サービスを提供することが可能となる。
【０１３３】
（４）クーポン情報を、クーポンを用いることによって特典を付与可能なグループ人数の情報を含むものとした。
特典付与サービス提供サーバ３０は、クーポン情報送信部３０１が、クーポン情報管理部３０ｆに記憶されたクーポン情報のなかから、受信した利用者ＩＤに対応するグループの全員に特典を付与可能で、かつ、受信した現在位置情報の示す位置から予め設定した設定距離範囲内に存在する施設に対応するクーポン情報を選定する。
この構成であれば、特典付与サービス提供サーバ３０は、クーポン取得要求に含まれる利用者ＩＤの属するグループの全ての利用者ＩＤに対応する利用者が特典を得ることが可能なクーポンのクーポン情報を、該利用者の携帯機１０に送信することが可能となる。
その結果、例えば、利用者は、該利用者の現在位置の近くに存在する店舗で利用可能で、かつ、グループ全員が特典を得ることが可能なクーポン情報を得ることが可能となるので、利用者のグループ向け特典付与サービスの利用に対する意欲を向上することが可能となる。
【０１３４】
（５）複数の利用者が同乗可能な乗り物（車両Ｖ）に搭載された機器（車載機２０）を更に備える。
車載機２０は、車載機ＩＤ記憶部２０ａが、特典付与サービス提供サーバ３０に予め登録された、当該車載機２０に固有の識別情報である車載機ＩＤを記憶する。
携帯機１０は、グループ化要求送信部１００が、車載機ＩＤ読取部１０ａを介して車載機２０から車載機ＩＤを取得する。グループ化要求送信部１００が、車載機ＩＤを取得すると、該取得した車載機ＩＤと利用者ＩＤ記憶部１０ｄに記憶された利用者ＩＤとを含むグループ化要求を通信部１０ｆを介して特典付与サービス提供サーバ３０に送信する。
【０１３５】
特典付与サービス提供サーバ３０は、グループ化情報管理部３０ｃが、通信部３０ａを介して受信した、携帯機１０からのグループ化要求に含まれる利用者ＩＤ及び車載機ＩＤを対応付けて記憶する。グループ化部３００が、同じ車載機ＩＤが対応付けられた利用者ＩＤを、グループ化条件を満たす利用者ＩＤとしてグループ化する。
この構成であれば、特典付与サービス提供サーバ３０は、例えば、車両等の乗り物に同乗している複数の利用者の利用者ＩＤを同じグループにグループ化することが可能となる。その結果、乗り物に同乗する家族や友人等のグループに対して、簡易に、グループ向け特典付与サービスを提供することが可能となる。
【０１３６】
（６）乗物に搭載された機器を車両Ｖに搭載された車載機２０とした。
この構成であれば、特典付与サービス提供サーバ３０は、車両Ｖに同乗している複数の利用者の利用者ＩＤを同じグループにグループ化することが可能となる。その結果、車両Ｖに同乗する家族や友人等のグループに対して、簡易に、グループ向け特典付与サービスを提供することが可能となる。
【０１３７】
（７）特典付与サービス提供サーバ３０は、グループ化解除部３０４が、グループ化部３００がグループ化したグループのうち、予め設定した解除条件を満たしたグループのグループ化を解除する。
この構成であれば、特典付与サービス提供サーバ３０は、例えば、グループ化されてからの経過時間が設定時間以上となったグループ等の予め設定した解除条件を満たすグループのグループ化を解除することが可能となる。その結果、不要となったグループの情報を削除することが可能となり、かかる情報の保持に必要なメモリの利用効率を向上することが可能となる。
【０１３８】
（８）特典付与サービス提供サーバ３０は、グループ化解除部３０４が、グループ化部３００がグループ化したグループのうち、予め設定した解除条件を満たしたグループのグループ化を解除する。グループ化情報管理部１０ｃが、グループ化要求に含まれる利用者ＩＤ及び車載機ＩＤを、該グループ化要求を受信時の日付情報と対応付けて記憶する。グループ化部３００が、同じ日付情報及び同じ車載機ＩＤが対応付けられた利用者ＩＤを、グループ化条件を満たす利用者ＩＤとしてグループ化する。グループ化解除部３０４が、グループ化情報管理部３０ｃに記憶されたグループ化された利用者ＩＤのうち、グループ化要求を受信時の日付からの経過日数が予め設定した設定日数以上になった利用者ＩＤを削除することでグループ化を解除する。
【０１３９】
この構成であれば、同じ日に同じ乗り物（車両Ｖ）に同乗している複数の利用者を同じグループにグループ化することが可能となる。加えて、グループ化されてからの経過日数が設定日数以上となったグループのグループ化を解除することが可能となる。その結果、同じ乗り物に同乗している複数の利用者をより確実にグループ化することができると共に、このようにしてグループ化されたグループのうち、不要となったグループの情報をより適切に削除することが可能となる。
【０１４０】
（第２実施形態）
（構成）
第２実施形態の特典付与システム２（図２７参照）は、第１実施形態の車載機２０に代えて車載機８０（図２８参照）と、第１実施形態の携帯機１０に代えて携帯機７０（図２８参照）とを備える。そして、車載機８０が、携帯機７０から利用者ＩＤを取得し、取得した利用者ＩＤ及び車載機ＩＤを含むグループ化要求をサーバ３０に送信する点が上記第１実施形態と異なる。加えて、車載機８０が、車両Ｖのイグニッションがオン状態からオフ状態になったことを検出すると、車両Ｖの現在位置が予め設定した設定領域内か否かを判定し、設定領域内である場合に、車載機ＩＤを含むグループ化解除要求をサーバ３０に送信する点が上記第１実施形態と異なる。
【０１４１】
更に、第２実施形態の特典付与システム２は、サーバ３０が、クーポン情報送信部３０１を有さない点と、グループ化解除部３０４が、車載機８０からのグループ化解除要求に応じてグループ化を解除する点とが上記第１実施形態と異なる。
更に、第２実施形態は、店舗端末４０が、クーポンＩＤ取得部４００に代えて、携帯機７０から利用者ＩＤのみを取得する利用者ＩＤ取得部４０５を備える点が上記第１実施形態と異なる。加えて、利用状況判定部４０２が、取得した利用者ＩＤに対応するグループ人数等の情報に基づき、該利用者ＩＤに対応する利用者が利用可能なクーポンがあるか否かを判定し、利用可能なクーポンがある場合に、特典付与条件を満足すると判定する点が上記第１実施形態と異なる。
【０１４２】
以下、上記第１実施形態と同様の構成部については同じ符号を付して適宜説明を省略し、異なる部分を詳細に説明する。
ここで、特典付与システム２は、上記第１実施形態の特典付与システム１と同様に、利用者に対して、グループ向け特典付与サービスを提供するシステムである。
特典付与システム２は、図２７（ａ）及び（ｂ）に示すように、携帯機７０Ａ〜７０Ｄと、車両Ｖに搭載された車載機８０と、特典付与サービス提供サーバ３０と、店舗端末４０とを含んで構成される。
【０１４３】
第２実施形態において、携帯機７０Ａ〜７０Ｄは、当該携帯機７０に固有の識別情報である利用者ＩＤを記憶する記憶媒体を含んで構成される。第２実施形態において、携帯機７０は、ＮＦＣタグから構成される。
なお、携帯機７０は、ＮＦＣタグに限らず、例えば、ＲＦＩＤタグ等から構成してもよい。また、タグに限らず、赤外線の送受信機を備える機器、無線ＬＡＮの送受信機を備える機器、Bluetooth（登録商標）の送受信機を備える機器等、車載機８０と通信可能な機能を備えていれば、携帯性を損なわない範囲で他の機器から構成してもよい。
また、携帯機７０は、例えば、タグの形態でＩＣカードに実装してもよいし、上記第１実施形態と同様に携帯電話等の利用者が携帯可能な通信端末に実装してもよい。
以下、携帯機７０Ａ〜７０Ｄは、区別する必要が無い場合に「携帯機７０」と称す。
【０１４４】
なお、図２７（ａ）及び（ｂ）では、説明の便宜上、１台の車両Ｖを例示しており、かつ、携帯機７０Ａ〜７０Ｄの４台の携帯機を例示しているが、この構成に限らない。システムの実施時には、利用者の人数に応じて、車両Ｖの台数は、複数台で構成され、各車両Ｖ内に存在する携帯機７０の台数も、４台に限らず３台以下や５台以上で構成される。また、携帯機７０が車両Ｖ内に存在する場合を例示しているが、携帯機７０は、利用者が携帯して移動することによって、車両Ｖの内外へと移動するものである。
【０１４５】
車載機８０は、車両Ｖに搭載され、当該車載機８０に固有の識別情報である車載機ＩＤが記憶された記憶媒体と、携帯電話と同等の通信機能と、携帯機７０の有する記憶媒体から利用者ＩＤを取得する機能とを含んで構成される。
また、車載機８０と、特典付与サービス提供サーバ３０とは、基地局５０及びネットワーク６０を介して相互にデータ通信可能に接続されている。
第２実施形態の特典付与サービス提供サーバ３０は、利用者の個人情報を登録する処理、利用者をグループ化する処理、利用者に対して特典を付与する処理、グループ化を解除する処理等を行う。
【０１４６】
（携帯機７０のハードウェア構成）
次に、図２８（ｂ）に基づき、携帯機７０のハードウェア構成を説明する。
第２実施形態において、携帯機７０は、ＮＦＣタグから構成されており、例えば、ＩＣカードに内蔵されるか、ＮＦＣリーダ・ライタ機能を有する携帯通信端末等に内蔵されるか、又は、携帯通信端末に後から貼り付けられる形態で実装される。
第２実施形態では、携帯機７０は、携帯通信端末に実装されることとする。
ここで、携帯通信端末は、例えば、ＰＤＡ、タブレット端末、携帯電話（スマートフォン、フィーチャーフォン等）、ノートＰＣ等が該当する。
図２８（ｂ）に示すように、携帯機７０は、利用者ＩＤ記憶部７０ａと、制御回路７０ｂと、ＲＦ・Ｉ／Ｆ回路７０ｃと、ループアンテナ７０ｄとを含んで構成される。
【０１４７】
利用者ＩＤ記憶部７０ａは、特典付与サービス提供サーバ３０に予め登録された利用者に固有の識別情報である利用者ＩＤを記憶する記憶媒体から構成される。この記憶媒体は、フラッシュメモリや強誘電体メモリ等の不揮発性の記憶媒体から構成される。
制御回路７０ｂは、上記第１実施形態の制御回路２０ｂと同等の回路である。制御回路７０ｂは、車載機８０等のＮＦＣリーダ・ライタの機能を有する外部機器からの利用者ＩＤの読出要求に応じて、利用者ＩＤ記憶部７０ａに記憶された利用者ＩＤを読み出す。そして、ＲＦ・Ｉ／Ｆ回路７０ｃを介して、読み出した利用者ＩＤを乗せた電波を、ループアンテナ２０ｄから放射する。
【０１４８】
ＲＦ・Ｉ／Ｆ回路７０ｃは、上記第１実施形態のＲＦ・Ｉ／Ｆ回路２０ｃと同等の回路である。
ループアンテナ７０ｄは、上記第１実施形態のループアンテナ２０ｄと同等のアンテナである。
なお、第２実施形態では、携帯機７０が実装された携帯通信端末を利用して、利用者の個人情報を登録する。具体的に、携帯通信端末で、個人情報登録用のＷｅｂページにアクセスし、タッチパネル等の表示部に個人情報登録用Ｗｅｂページを表示する。その後、タッチパネル等の入力デバイスを介した、個人情報の入力を受け付けると共に、個人情報の送信指示に応じて、個人情報登録用Ｗｅｂページの登録フォームに入力された個人情報を含む個人情報登録要求をサーバ３０に送信する。
【０１４９】
また、携帯機７０を実装した携帯通信端末は、サーバ３０からの利用者ＩＤを受信し、受信した利用者ＩＤを、ＮＦＣリーダ・ライタ機能を用いて利用者ＩＤ記憶部７０ａに記憶する。
なお、例えば、携帯機７０がＩＣカード等のカードデバイスである場合、利用者は、自身の所持する携帯電話やＰＣ等を利用して、個人情報登録用のＷｅｂページにアクセスし、個人情報を入力する。そして、個人情報の登録後に、郵送によって、利用者ＩＤ記憶部７０ａに利用者ＩＤが記憶された携帯機７０を内蔵するカードデバイスを受け取る構成としてもよい。
【０１５０】
（車載機８０のハードウェア構成）
次に、図２８（ａ）に基づき、車載機８０のハードウェア構成を説明する。
図２８（ａ）に示すように、車載機８０は、利用者ＩＤ読取部８０ａと、ＣＰＵ８０ｃと、車載機ＩＤ記憶部８０ｄと、通信部８０ｆと、ＧＰＳ受信機８０ｇと、地図情報記憶部８０ｈとを含んで構成される。
利用者ＩＤ読取部８０ａは、第２実施形態において、ＮＦＣリーダ・ライタＬＳＩ８１と、ループアンテナ８２とを含んで構成される。
ＮＦＣリーダ・ライタＬＳＩ８１は、上記第１実施形態のＮＦＣリーダ・ライタＬＳＩ１１と同等のＬＳＩであり、ループアンテナ８２を介して、無線通信範囲内に存在する携帯機７０から利用者ＩＤを読み取る。ＮＦＣリーダ・ライタＬＳＩ８１は、読み取った利用者ＩＤをＣＰＵ８０ｃに入力する。
【０１５１】
ループアンテナ８２は、上記第１実施形態のループアンテナ１２と同等のアンテナである。
ＣＰＵ８０ｃは、不図示の記憶媒体に予め記憶された各種専用のコンピュータプログラムに記述された命令に従って、後述するグループ化要求送信処理、グループ化解除要求送信処理等を実行する。
車載機ＩＤ記憶部８０ｄは、特典付与サービス提供サーバ３０に予め登録された車載機ＩＤが記憶された記憶媒体を含んで構成される。第２実施形態において、車載機ＩＤ記憶部８０ｄは、ＮＦＣタグＬＳＩ８３と、ループアンテナ８４とから構成される。
ＮＦＣタグＬＳＩ８３は、上記第１実施形態のＮＦＣタグＬＳＩ１３と同等のＬＳＩであり、車載機ＩＤを記憶する記憶媒体と、制御回路と、ＲＦ・Ｉ／Ｆ回路と、シリアル通信回路とを含んで構成される。
【０１５２】
制御回路は、ＮＦＣタグＬＳＩ８３の各種動作を制御する回路である。制御回路は、シリアル通信回路を介したＣＰＵ８０ｃからの車載機ＩＤの読出要求に応じて、記憶媒体に記憶された車載機ＩＤを読み出す。そして、読み出した車載機ＩＤを、ＣＰＵ８０ｃに入力する。また、制御回路は、ＮＦＣリーダ・ライタ機能を有する外部機器からの読み出し要求に応じて、記憶媒体に記憶された車載機ＩＤ等の情報を読み出す。そして、読み出した情報を、ＲＦ・Ｉ／Ｆ回路に入力する。また、制御回路は、シリアル通信回路を介したＣＰＵ８０ｃからの書込要求に応じて指定された情報を記憶媒体に書き込む。
【０１５３】
ＲＦ・Ｉ／Ｆ回路は、制御回路からのデジタル情報を含む信号を生成し、この信号をループアンテナ８４から電波として放射する送信回路と、ループアンテナ８４からの信号を復調して該信号に乗せられたデジタル情報を取り出す受信回路とを含んで構成される。
ループアンテナ８４は、上記第１実施形態のループアンテナ１２と同等のアンテナである。
通信部８０ｆは、上記第１実施形態の通信部１０ｆと同等の機能を有し、携帯電話の基地局５０を介してネットワーク６０に接続された特典付与サービス提供サーバ３０等の外部機器とデータの送受信を可能とする。
【０１５４】
ＧＰＳ受信機８０ｇは、上記第１実施形態のＧＰＳ受信機１０ｊと同等の機器である。
地図情報記憶部８０ｈは、道路地図情報が記憶された記憶媒体から構成されている。この記憶媒体は、例えば、フラッシュメモリ、ＤＶＤ（Digital Versatile Disk ）、ＢＤ（Blu-ray（登録商標）Disc）、ハードディスク等の不揮発性の記憶媒体から構成される。
以上の構成により、利用者が携帯機７０を車載機８０に近づけることで、図２８（ａ）及び（ｂ）に示すように、携帯機７０は、ループアンテナ８２から放射される利用者ＩＤの取得要求が乗せられた電波を、ループアンテナ７０ｄを介して受信する。一方、車載機８０は、ループアンテナ７０ｄから放射される利用者ＩＤが乗せられた電波を、ループアンテナ８２を介して受信する。
【０１５５】
（車載機８０の機能構成）
次に、図２９に基づき、車載機８０のＣＰＵ８０ｃにおいて専用のプログラムを実行することで実現される機能について説明する。
車載機８０の機能構成は、図２９に示すように、グループ化要求送信部８００と、イグニッション状態検出部１０１と、位置情報取得部８０２と、グループ化解除要求送信部８０３とを含んで構成される。
グループ化要求送信部８００は、利用者ＩＤ読取部８０ａが利用者ＩＤを読み取ったことに応じて、読み取った利用者ＩＤと、車載機ＩＤ記憶部８０ｄに記憶された車載機ＩＤとを含むグループ化要求を生成する。そして、生成したグループ化要求を、通信部８０ｆを介して、サーバ３０に送信する。加えて、グループ化要求送信部８００は、サーバ３０からのグループ化完了応答を、通信部８０ｆを介して受信する。グループ化要求送信部８００は、グループ化完了応答を受信すると、グループ化が完了したことを示す情報を車載機ＩＤ記憶部８０ｄに記憶する。
【０１５６】
イグニッション状態検出部８０１は、車両Ｖのイグニッションスイッチからの信号に基づき、イグニッションがオン状態からオフ状態になったか否かを検出する。イグニッション状態検出部８０１は、この検出結果を、グループ化解除要求送信部８０３に入力する。
位置情報取得部８０２は、上記第１実施形態の位置情報取得部１０２と同等の機能を有し、グループ化解除要求送信部８０３からの取得要求に応じて、ＧＰＳ受信機８０ｇを介して、車載機８０（車両Ｖ）の現在位置情報を取得する。そして、取得した現在位置情報を、グループ化解除要求送信部８０３に入力する。
【０１５７】
グループ化解除要求送信部８０３は、イグニッション状態検出部８０１からの検出結果に基づき、イグニッションスイッチがオン状態からオフ状態になったと判定すると、現在位置情報の取得要求を位置情報取得部８０２に入力する。加えて、位置情報取得部８０２から、現在位置情報を取得すると、取得した現在位置情報の示す現在位置が、予め設定した設定領域内か否かを判定する。そして、現在位置が設定領域内であると判定すると、車載機ＩＤ記憶部８０ｄに記憶された車載機ＩＤを含むグループ化解除要求を生成し、生成したグループ化解除要求を、通信部８０ｆを介してサーバ３０に送信する。
ここで、設定領域とは、例えば、利用者の自宅の領域、利用者の利用する自宅から離れた位置にある駐車場の領域、レンタカーの集配所の領域等が該当する。
なお、車両Ｖがカーナビゲーションシステムを搭載した車両である場合は、車載機８０をナビゲーションシステムに実装する構成としてもよい。
【０１５８】
（サーバ３０の機能構成）
次に、図３０に基づき、第２実施形態のサーバ３０のＣＰＵ３０ｂにおいて専用のプログラムを実行することで実現される機能について説明する。
サーバ３０の機能構成は、図３０に示すように、グループ化部３００と、グループ人数情報送信部３０２と、特典付与部３０３と、グループ化解除部３０４と、個人情報登録部３０５とを含んで構成される。
第２実施形態のグループ化部３００は、車載機８０からのグループ化要求に応じて、受信したグループ化要求に含まれる車載機ＩＤ及び利用者ＩＤと、利用者ＩＤを登録時の日付情報とを対応付けてなる利用者ＩＤ情報をグループ化情報管理部３０ｃに記憶する。なお、その他の機能は、上記第１実施形態と同様となる。
【０１５９】
第２実施形態のグループ化解除部３０４は、車載機８０からのグループ化解除要求を受信すると、該グループ化解除要求に含まれる車載機ＩＤを有するグループの利用者ＩＤ情報を、グループ化情報管理部３０ｃから削除する。これにより、同じグループＩＤ及び同じ車載機ＩＤを有する利用者ＩＤ情報が削除され、グループ化が解除される。
第２実施形態の個人情報登録部３０５は、利用者の個人情報を登録するためのＷｅｂページを提供すると共に、Ｗｅｂページを介して送信されてきた個人情報を、ポイント情報管理部３０ｄに登録する。加えて、個人情報登録部３０５は、個人情報を登録した利用者の利用者ＩＤを生成し、生成した利用者ＩＤを、通信部３０ａを介して携帯機７０の実装された携帯通信端末に送信する。
第２実施形態の特典付与部３０３は、特典を付与後の特典取得通知を、車載機８０に通知する以外は、上記第１実施形態と同様の機能を有する。
なお、グループ人数情報送信部３０２の機能については、上記第１実施形態と同様となる。
【０１６０】
（店舗端末４０の機能構成）
次に、図３１に基づき、第２実施形態の店舗端末４０のＣＰＵ４０ｂにおいて専用のプログラムを実行することで実現される機能について説明する。
店舗端末４０の機能構成は、図３１に示すように、利用者ＩＤ取得部４０５と、人数情報取得要求送信部４０１と、利用状況判定部４０２と、特典付与要求送信部４０３と、支払い金額算出部４０４とを含んで構成される。
利用者ＩＤ取得部４０５は、不図示の操作部を介した取得指示に応じて、利用者ＩＤ認証部４０ｃに利用者ＩＤの読取指令を入力する。そして、利用者ＩＤ認証部４０ｃを介して携帯機７０から利用者ＩＤを取得する。利用者ＩＤ取得部４０５は、取得した利用者ＩＤを、人数情報取得要求送信部４０１に入力する。
【０１６１】
第２実施形態の人数情報取得要求送信部４０１は、利用者ＩＤ取得部４０５からの利用者ＩＤが入力されると、入力された利用者ＩＤを含むＧｒ人数取得要求を、通信部４０ａを介してサーバ３０に送信する。一方、人数情報取得要求送信部４０１は、サーバ３０からのグループ人数を示す人数情報を、通信部４０ａを介して受信すると、受信した人数情報と、入力された利用者ＩＤとを利用状況判定部４０２に入力する。
第２実施形態の利用状況判定部４０２は、人数情報取得要求送信部４０１から、人数情報及び利用者ＩＤが入力されると、クーポン情報記憶部４０ｄに記憶されたクーポン情報の中に、入力された利用者ＩＤに対応する利用者の利用可能なクーポン情報があるか否かを判定する。
【０１６２】
具体的に、第２実施形態の利用状況判定部４０２は、不図示のＲＴＣから現在の時刻情報を取得し、支払い金額算出部４０４から支払い合計金額の情報を取得する。そして、これら取得した情報が、予め設定した利用条件を満たしているクーポン情報があるか否かを判定する。
即ち、第２実施形態の利用状況判定部４０２は、入力されたグループ人数以上の対象人数が設定され、取得した支払い合計金額未満の設定金額が設定され、かつ、取得した時刻情報を期限内に含む有効期限が設定されたクーポン情報があるか否かを判定する。そして、これらの利用条件を満たすクーポン情報があると判定した場合に、入力された利用者ＩＤ及び該当のクーポン情報のクーポンＩＤを特典付与要求送信部４０３に入力する。一方、利用状況判定部４０２は、利用条件を満たすクーポンが無いと判定した場合に、利用可能なクーポンが無い旨のメッセージを表示部４０ｆに表示する。
なお、特典付与要求送信部４０３、及び支払い金額算出部４０４の各機能は、上記第１実施形態と同様となる。
【０１６３】
（グループ向け特典付与サービスの流れ）
次に、図３２に基づき、第２実施形態のグループ向け特典付与サービスの流れを説明する。
利用者が、自己の個人情報の登録を完了後にグループ向け特典付与サービスを利用する場合、図３２に示すように、まず、車載機８０に、携帯機７０の利用者ＩＤを読み取らせる。これにより、車載機８０は、読み取った利用者ＩＤと車載機ＩＤとを含むグループ化要求をサーバ３０に送信する（ステップＳ９００）。
サーバ３０は、車載機８０からのグループ化要求に応じて、該グループ化要求に含まれる利用者ＩＤ及び車載機ＩＤをグループ化する（ステップＳ９０２）。
店舗端末４０は、利用者のサービス利用状況を監視し、サービスの利用があった場合、携帯機７０から利用者ＩＤを取得する。そして、利用者ＩＤに対応する利用者が利用可能なクーポンがあるか否かを判定する。そして、利用可能なクーポンがあると判定した場合、特典付与条件を満足していると判定して、利用者及びその属するグループ構成員への特典付与要求をサーバ３０に送信する（ステップＳ９０４）。
【０１６４】
サーバ３０は、店舗端末４０からの特典付与要求に応じて、特典付与条件を満足する利用者に対して特典を付与することに加えて、該利用者の属するグループの他の構成員に対しても特典を付与する（ステップＳ９０６）。
車載機８０は、車両Ｖのイグニッションスイッチがオン状態からオフ状態になったか否かを監視し、オフ状態になったと判定すると、そのときの現在位置情報を取得する。そして、取得した現在位置情報が予め設定した設定領域内であると判定すると、当該車載機８０の車載機ＩＤを含むグループ化解除要求をサーバ３０に送信する（ステップＳ９０８）。
サーバ３０は、車載機８０からのグループ化解除要求に応じて、該当グループのグループ化を解除する（ステップＳ９１０）。これにより、第２実施形態のグループ向け特典付与サービスの一連の流れが終了する。
【０１６５】
（グループ化要求送信処理）
次に、図３３に基づき、車載機８０のグループ化要求送信部８００で行われるグループ化要求送信処理の処理手順を説明する（上記ステップＳ９００に対応）。なお、グループ化要求送信処理は、予め設定した周期で繰り返し実行される。
ＣＰＵ８０ｃにおいて、専用のプログラムが実行されグループ化要求送信処理が開始されると、図３３に示すように、まず、ステップＳ１０００に移行する。
ステップＳ１０００では、グループ化要求送信部８００において、利用者ＩＤの読取モードへの移行指示があったか否かを判定する。そして、移行指示があったと判定した場合（Ｙｅｓ）は、ステップＳ１００２に移行し、そうでないと判定した場合（Ｎｏ）は、一連の処理を終了する。
ステップＳ１００２に移行した場合は、グループ化要求送信部８００において、利用者ＩＤ読取部８０ａに対して、利用者ＩＤの読取モードへの移行指令を利用者ＩＤ読取部８０ａに送信する。その後、ステップＳ１００４に移行する。
【０１６６】
これにより、利用者ＩＤ読取部８０ａは、ループアンテナ８２から、利用者ＩＤの取得要求を乗せた電波を放射する。
ステップＳ１００４では、グループ化要求送信部８００において、利用者ＩＤ読取部８０ａを介して、利用者ＩＤを取得したか否かを判定する。そして、利用者ＩＤを取得したと判定した場合（Ｙｅｓ）は、ステップＳ１００６に移行し、そうでないと判定した場合（Ｎｏ）は、ステップＳ１００８に移行する。
ステップＳ１００６に移行した場合は、グループ化要求送信部８００において、ステップＳ１００４で取得した利用者ＩＤと、車載機ＩＤ記憶部８０ｄに記憶された車載機ＩＤとを含むグループ化要求を生成する。そして、生成したグループ化要求を、通信部８０ｆを介してサーバ３０に送信する。その後、一連の処理を終了する。
一方、ステップＳ１００８に移行した場合は、グループ化要求送信部８００において、ＩＤ読取モードの終了指示があったか否かを判定する。そして、終了指示があったと判定した場合（Ｙｅｓ）は、一連の処理を終了し、そうでないと判定した場合（Ｎｏ）は、ステップＳ１００４に移行する。
【０１６７】
（利用状況判定処理及び特典付与要求送信処理）
次に、図３４に基づき、店舗端末４０の利用者ＩＤ取得部４０５、人数情報取得要求送信部４０１、利用状況判定部４０２及び特典付与要求送信部４０３で行われる利用状況判定処理及び特典付与要求送信処理（上記ステップＳ９０４に対応）の処理手順を説明する。なお、利用状況判定処理及び特典付与要求送信処理は、予め設定した周期で繰り返し実行される。
ＣＰＵ３０ｂにおいて、専用のプログラムが実行され利用状況判定処理及び特典付与要求送信処理が開始されると、図３４に示すように、まず、ステップＳ１１００に移行する。
ステップＳ１１００では、利用者ＩＤ取得部４０５において、利用者ＩＤ認証部４０ｃを介して、携帯機７０から、利用者ＩＤを取得したか否かを判定する。そして、取得したと判定した場合（Ｙｅｓ）は、取得した利用者ＩＤを、人数情報取得要求送信部４０１に入力して、ステップＳ１１０２に移行し、そうでないと判定した場合（Ｎｏ）は、一連の処理を終了する。
【０１６８】
ステップＳ１１０２に移行した場合は、人数情報取得要求送信部４０１において、利用者ＩＤを含む、該利用者ＩＤの属するグループのグループ人数の取得要求（Ｇｒ人数取得要求）を、通信部４０ａを介してサーバ３０に送信する。その後、ステップＳ１１０４に移行する。
ステップＳ１１０４では、人数情報取得要求送信部４０１において、サーバ３０からの人数情報を受信したか否かを判定する。そして、受信したと判定した場合（Ｙｅｓ）は、受信した人数情報と、入力された利用者ＩＤとを利用状況判定部４０２に入力して、ステップＳ１１０６に移行する。一方、受信していないと判定した場合（Ｎｏ）は、受信するか又はタイムオーバとなるまで判定処理を繰り返す。
ステップＳ１１０６に移行した場合は、利用状況判定部４０２において、現在時刻情報（年月日時分秒）や支払い金額情報等のクーポンの利用条件に係る情報を取得する。その後、ステップＳ１１０８に移行する。
【０１６９】
ステップＳ１１０８では、利用状況判定部４０２において、クーポン情報記憶部４０ｄに記憶されたクーポン情報の中に、取得したグループ人数、現在時刻情報及び支払い金額等の情報が、予め設定した利用条件を満足しているクーポン情報があるか否かを判定する。そして、利用条件を満足しているクーポン情報があると判定した場合（Ｙｅｓ）は、特典付与条件を満足すると判定して、利用者ＩＤ及び該当クーポン情報のクーポンＩＤを、特典付与要求送信部４０３に入力する。その後、ステップＳ１１１０に移行する。一方、クーポンの利用条件を満足するクーポン情報が無いと判定した場合（Ｎｏ）は、特典付与条件を満足しないと判定して、ステップＳ１１１８に移行する。
ここで、以降のステップＳ１１１０〜Ｓ１１１６までの処理は、上記第１実施形態のステップＳ７１０〜７１６の処理と同様となるので説明を省略する。
一方、ステップＳ１１０８において、クーポン利用条件を満たすクーポン情報が無いと判定してステップＳ１１１８に移行した場合は、利用状況判定部４０２において、表示部４０ｆに、利用条件を満たすクーポン情報が無い旨のメッセージを表示して、一連の処理を終了する。
【０１７０】
（グループ化解除要求送信処理）
次に、図３５に基づき、車載機８０のグループ化解除要求送信部８０３で実行されるグループ化解除要求送信処理の処理手順について説明する（上記ステップＳ９０８に対応）。なお、グループ化解除要求送信処理は、予め設定した周期で繰り返し実行される。
ＣＰＵ８０ｃにおいて、専用のプログラムが実行されグループ化解除要求送信処理が開始されると、図３５に示すように、まず、ステップＳ１２００に移行する。
ステップＳ１２００では、グループ化解除要求送信部８０３において、イグニッション状態検出部８０１からの検出結果に基づき、イグニッションスイッチ９０がオン状態からオフ状態になったか否かを判定する。そして、オン状態からオフ状態になったと判定した場合（Ｙｅｓ）は、ステップＳ１２０２に移行し、そうでないと判定した場合（Ｎｏ）は、一連の処理を終了する。
【０１７１】
ステップＳ１２０２に移行した場合は、グループ化解除要求送信部８０３において、位置情報取得部８０２を介して、車載機８０の現在位置情報を取得する。その後、ステップＳ１２０４に移行する。
ステップＳ１２０４では、グループ化解除要求送信部８０３において、ステップＳ１２０２で取得した現在位置情報の示す現在位置が、予め設定した設定領域内であるか否かを判定する。そして、設定領域内であると判定した場合（Ｙｅｓ）は、ステップＳ１２０６に移行し、そうでないと判定した場合（Ｎｏ）は、一連の処理を終了する。
【０１７２】
ステップＳ１２０６に移行した場合は、グループ化解除要求送信部８０３において、車載機ＩＤ記憶部８０ｄに記憶された車載機ＩＤを含むグループ化解除要求を生成する。そして、生成したグループ化解除要求を、通信部８０ｆを介してサーバ３０に送信する。その後、ステップＳ１２０８に移行する。
ステップＳ１２０８では、グループ化解除要求送信部８０３において、サーバ３０からのグループ化解除応答を受信したか否かを判定する。そして、受信したと判定した場合（Ｙｅｓ）は、一連の処理を終了し、そうでないと判定した場合（Ｎｏ）は、受信するか又はタイムオーバとなるまで判定処理を繰り返す。
【０１７３】
（グループ化解除処理）
次に、図３６に基づき、第２実施形態のグループ化解除部３０４で行われるグループ化解除処理の処理手順を説明する（上記ステップＳ９１０に対応）。なお、グループ化解除処理は、予め設定した一定周期で繰り返し実行される。
ＣＰＵ３０ｂにおいて、専用のプログラムが実行されグループ化解除処理が開始されると、図３６に示すように、まず、ステップＳ１３００に移行する。
ステップＳ１３００では、グループ化解除部３０４において、車載機８０からのグループ化解除要求を受信したか否かを判定する。そして、受信したと判定した場合（Ｙｅｓ）は、ステップＳ１３０２に移行し、そうでないと判定した場合（Ｎｏ）は、一連の処理を終了する。
ステップＳ１３０２に移行した場合は、グループ化解除部３０４において、グループ化情報管理部３０ｃから、ステップＳ１３００で受信したグループ化解除要求に含まれる車載機ＩＤを有する利用者ＩＤ情報を削除する。その後、ステップＳ１３０４に移行する。
【０１７４】
ステップＳ１３０４では、グループ化解除部３０４において、ステップＳ１３００で受信したグループ化解除要求に含まれる車載機ＩＤを含むグループ化解除応答を生成する。そして、生成したグループ化解除応答を、通信部３０ａを介して車載機８０に送信する。その後、一連の処理を終了する。
なお、クーポン取得処理及びクーポン情報送信処理を除くその他の処理については、クーポン付与処理において、特典取得通知を車載機８０に送信する点と、グループ化処理において、グループ化完了通知を車載機８０に送信する点以外は、上記第１実施形態と同様となるので説明を省略する。
【０１７５】
（動作）
次に、図１〜図３６を参照しつつ、図３７〜図３９に基づき、第２実施形態の特典付与システム２の動作を説明する。
ここで、利用者が個人情報を登録して、携帯機７０の利用者ＩＤ記憶部７０ａに自己の利用者ＩＤが記憶されるまでの動作については、上記第１実施形態と同様となるので説明を省略する。なお、サーバ３０で発行された利用者ＩＤは、携帯機７０が実装された携帯通信端末の機能によって受信され、かつ、利用者ＩＤ記憶部７０ａに記憶される。また、サーバ３０のグループ化の動作についても、特典取得通知を車載機８０に送信する以外は上記第１実施形態と同様となるので説明を省略する。
まず、携帯機７０に利用者ＩＤを登録後のグループ化が完了するまでの動作を説明する。
【０１７６】
ここでは、同じ車両Ｖに、利用者ＩＤの登録が完了した携帯機７０Ａ〜７０Ｄを携帯した利用者Ａ〜Ｄの４人が同乗していることとする。以下、利用者Ａ〜Ｄは、区別する必要が無い場合に、単に「利用者」と称す。
まず、車載機８０は、利用者の不図示の操作部を介した利用者ＩＤの読取モードへの移行指示に応じて（ステップＳ１０００のＹｅｓ）、ＩＤ読取モードへと移行する（ステップＳ１００２）。
これにより、利用者ＩＤ読取部８０ａは、図３７に示すように、利用者ＩＤ取得要求（デジタル情報）を乗せた電波をループアンテナ８２から放射する（ステップＳ３１００）。
【０１７７】
続いて、車載機８０は、携帯機７０から利用者ＩＤを含む利用者ＩＤ取得応答を受信する（ステップＳ３１０２）。
具体的に、利用者が携帯機７０を、ＩＤ読取モードに移行した車載機８０に近づけることで、利用者ＩＤ取得要求を乗せた電波が携帯機７０に到達する。
携帯機７０は、車載機８０からの利用者ＩＤ取得要求を乗せた電波を、ループアンテナ７０ｄを介して受信する。
携帯機７０は、ＲＦ・Ｉ／Ｆ回路７０ｃを介して、受信信号から利用者ＩＤ取得要求を取り出すと、制御回路７０ｂにおいて利用者ＩＤ記憶部７０ａから利用者ＩＤを読み出す。そして、ＲＦ・Ｉ／Ｆ回路７０ｃを介して、利用者ＩＤを含む利用者ＩＤ取得応答の乗った電波をループアンテナ７０ｄから放射する。
【０１７８】
車載機８０は、利用者ＩＤ読取部８０ａを介して、携帯機７０からの利用者ＩＤ取得応答を受信し、受信した利用者ＩＤ取得応答に含まれる利用者ＩＤを取得する（ステップＳ１００４のＹｅｓ）。
車載機８０は、携帯機７０から利用者ＩＤを取得すると、グループ化要求をサーバ３０に送信する（ステップＳ３１０４）。
具体的に、車載機８０は、グループ化要求送信部８００において、車載機ＩＤ記憶部８０ｄに記憶された車載機ＩＤを読み出し、読み出した車載機ＩＤと、取得した利用者ＩＤとを含むグループ化要求を生成する。そして、生成したグループ化要求を、通信部８０ｆを介してサーバ３０に送信する（ステップＳ１００６）。
【０１７９】
一方、サーバ３０は、通信部３０ａを介して車載機８０からのグループ化要求を受信すると、受信したグループ化要求に含まれる利用者ＩＤをグループ化する（ステップＳ３１０６）。
具体的に、サーバ３０は、グループ化部３００において、グループ化要求を受信すると（ステップＳ４００のＹｅｓ）、受信時の日付情報をＲＴＣ３０ｇから取得する。そして、取得した日付情報を、受信したグループ化要求に含まれる利用者ＩＤ及び車載機ＩＤに付加してなる利用者ＩＤ情報を、グループ化情報管理部３０ｃに記憶する（ステップＳ４０２）。
【０１８０】
ここでは、利用者Ａ〜Ｄが、順番に携帯機７０Ａ〜７０Ｄを車載機８０に近づけて、車載機８０から、グループ化要求が順次サーバ３０に送信されたとする。
また、ここでは、利用者Ａの所持する携帯機７０Ａに登録された利用者ＩＤを「Ｕ００００００１」、利用者Ｂの所持する携帯機７０Ｂに登録された利用者ＩＤを「Ｕ０００００００２」とする。加えて、利用者Ｃの所持する携帯機７０Ｃに登録された利用者ＩＤを「Ｕ０００００００３」、利用者Ｄの所持する携帯機７０Ｄに登録された利用者ＩＤを「Ｕ０００００００４」とする。また、車両Ｖの車載機ＩＤは、「Ｃ０００００００１」とする。
【０１８１】
サーバ３０は、車載機８０から順次送られてくるグループ化要求に含まれる利用者ＩＤ及び車載機ＩＤを、順次、日付情報と対応付けてグループ化情報管理部３０ｃに記憶する。そして、共通の車載機ＩＤ及び日付情報を有する利用者ＩＤ情報をグループ化する（ステップＳ４０４）。
ここでは、利用者Ａ〜Ｄに対応する利用者ＩＤ情報に対して、それぞれ固有のグループＩＤ「Ｇ０００００００１」を付加することでグループ化を行ったこととする。
引き続き、サーバ３０は、グループ化が完了すると、グループ化完了通知を車載機８０に送信する（ステップＳ３１０８）。
具体的に、サーバ３０は、グループ化部３００において、利用者Ａ〜Ｄの利用者ＩＤのグループ化が完了すると、車載機ＩＤ及び利用者ＩＤを含むグループ化完了通知を生成する。そして、生成したグループ化完了通知を、通信部３０ａを介して、車載機８０に送信する（ステップＳ４０６）。
【０１８２】
次に、店舗端末４０が携帯機７０Ａから利用者ＩＤを取得してから、利用者Ａの利用者ＩＤに対応するグループの全員に特典が付与されるまでの動作を説明する。
図３８に示すように、店舗端末４０は、店舗において商品を購入する利用者Ａの所持する携帯機７０Ａから、利用者ＩＤを取得する（ステップＳ３３００）。
具体的に、店舗において、利用者Ａが、商品を持ってレジに行き、レジにおいて支払い金額の計算が終わると、店員は、店舗端末４０を操作して、利用者ＩＤ認証部４０ｃをＩＤ読取モードに移行する。利用者ＩＤ認証部４０ｃは、ＩＤ読取モードへ移行すると、利用者ＩＤの取得要求を乗せた電波をループアンテナから放射する。
その後、利用者Ａが携帯機７０Ａを利用者ＩＤ認証部４０ｃに近づける又は接触させることで、携帯機７０Ａは、ループアンテナ７０ｄ及びＲＦ・Ｉ／Ｆ回路７０ｃを介して、利用者ＩＤ認証部４０ｃからの利用者ＩＤの取得要求を受信する。これにより、携帯機７０Ａは、制御回路７０ｂにおいて、利用者ＩＤ記憶部７０ａに記憶された利用者ＩＤ「Ｕ０００００００１」を読み出し、読み出した利用者ＩＤを含む取得応答を生成する。そして、生成した取得応答を乗せた電波を、ループアンテナ７０ｄから放射する。
【０１８３】
これにより、利用者ＩＤ認証部４０ｃは、ループアンテナ７０ｄから放射された取得応答を含む電波を受信して、取得応答に含まれる利用者Ａの利用者ＩＤ「Ｕ０００００００１」を取得する（ステップＳ１１００のＹｅｓ）。
引き続き、店舗端末４０は、人数情報取得要求送信部４０１において、グループ人数取得要求（Ｇｒ人数取得要求）をサーバ３０に送信する（ステップＳ３３０２）。
具体的に、人数情報取得要求送信部４０１は、取得した利用者ＩＤ「Ｕ０００００００１」を含むＧｒ人数取得要求を生成し、生成したＧｒ人数取得要求を、通信部４０ａを介してサーバ３０に送信する（ステップＳ１１０２）。
【０１８４】
サーバ３０は、店舗端末４０からのＧｒ人数取得要求を受信すると、グループ人数情報送信部３０２において、該当利用者ＩＤの属するグループのグループ人数の情報を含むＧｒ人数取得応答を、店舗端末４０に送信する（ステップＳ３３０４）。
ここでは、サーバ３０は、グループ人数「４人」の情報を含むＧｒ人数取得応答を生成し、生成したＧｒ人数取得応答を、通信部３０ａを介して店舗端末４０に送信したこととする（ステップＳ７３４）。
店舗端末４０は、サーバ３０からＧｒ人数取得応答を受信すると、受信したＧｒ人数取得応答に含まれるグループ人数の情報等に基づき、利用条件を満足するクーポン情報があるか否かを判定する（ステップＳ３３０６）。
【０１８５】
具体的に、店舗端末４０は、サーバ３０からのＧｒ人数取得応答を受信すると、利用状況判定部４０２において、受信したＧｒ人数取得応答に含まれるグループ人数「４人」を取得する（ステップＳ１１０４のＹｅｓ）。
次に、利用状況判定部４０２は、支払い金額算出部４０４から支払い合計金額の情報を取得し、不図示のＲＴＣから現在時刻情報を取得する（ステップＳ１１０６）。
ここでは、支払い合計金額の情報「１２，５００円」と、現在時刻情報「２０１２年１２月１５日の１２：３０」とを取得したとする。
【０１８６】
引き続き、利用状況判定部４０２は、クーポン情報記憶部４０ｄに記憶されたクーポン情報データベースから、特典付与の対象人数が取得したグループ人数以上に設定され、設定金額が支払い合計金額未満に設定され、かつ、有効期限が現在時刻を含む範囲に設定されたクーポン情報があるか否かを判定する。即ち、対象人数が４人以上に設定され、設定金額が「１２，５００円」未満に設定され、かつ、有効期限が「２０１２年１２月１５日の１２：３０」を含む範囲に設定されたクーポン情報があるか否かを判定する。
ここでは、図２６（ａ）に示すように、クーポンＩＤ「Ｑ０００００００３」に対応するクーポン情報が上記条件を満足しているため、利用状況判定部４０２は、利用条件を満足するクーポン情報があると判定する。即ち、利用状況判定部４０２は、特典付与条件を満足すると判定し、利用者ＩＤ「Ｕ０００００００１」及びクーポンＩＤ「Ｑ０００００００３」を特典付与要求送信部４０３に入力する（ステップＳ１１０８のＹｅｓ）。
【０１８７】
以降のステップＳ３３０８〜Ｓ３３１４の処理は、上記第１実施形態のステップＳ２３０８〜Ｓ２３１４と同様となるので、説明を省略する。
サーバ３０は、特典付与が完了すると、特典付与部３０３において、図２０（ｂ）に示すポイントＩＤデータベースを参照して、ポイントＩＤ「Ｐ０００００００１」に対応する「○○電機ポイント」に６５ポイントを付加したことを示す特典取得通知を生成する。そして、生成した特典取得通知を、通信部３０ａを介して車載機８０に送信する（ステップＳ３３１６）。
車載機８０は、サーバ３０からの特典取得通知を受信すると、不図示の表示部に特典取得通知の内容を表示する。これにより、車両Ｖに乗車している利用者Ａ〜Ｄは、特典が付与されたことを認識することができる。
【０１８８】
次に、車載機８０においてイグニッションスイッチがオン状態からオフ状態になったことを検出してから、グループ化解除応答を受信するまでの車載機８０及びサーバ３０の動作を説明する。
図３９に示すように、車載機８０のイグニッション状態検出部８０１において、イグニッションスイッチ９０の状態が検出される（ステップＳ３４００）。
具体的に、イグニッション状態検出部８０１は、イグニッションスイッチ９０からの信号に基づき、イグニッションスイッチ９０がオン状態からオフ状態になったか否かを判定する（ステップＳ１２００）。
イグニッション状態検出部８０１は、イグニッションスイッチ９０がオン状態からオフ状態になったことを検出すると（ステップＳ１２００のＹｅｓ）、この検出結果を、グループ化解除要求送信部８０３に入力する。
次に、車載機８０は、グループ化解除要求送信部８０３において、車載機８０の現在位置情報を取得する（ステップＳ３４０２）。
【０１８９】
具体的に、グループ化解除要求送信部８０３は、イグニッション状態検出部８０１からの検出結果に基づき、イグニッションスイッチ９０がオン状態からオフ状態になったと判定すると、現在位置情報の取得要求を位置情報取得部８０２に入力する。
位置情報取得部８０２は、グループ化解除要求送信部８０３からの取得要求に応じて、ＧＰＳ受信機８０ｇから、複数のＧＰＳ衛星から受信したＧＰＳ信号を取得する。そして、これら複数のＧＰＳ信号に基づき、車載機８０（車両Ｖ）の現在位置を計算する。位置情報取得部８０２は、計算した現在位置の情報を、グループ化解除要求送信部８０３に入力する。
これにより、グループ化解除要求送信部８０３は、車載機８０の現在位置情報を取得する（ステップＳ１２０２）。
次に、車載機８０は、グループ化解除要求送信部８０３において、車載機８０の現在位置の領域を判定する（ステップＳ３４０４）。
具体的に、グループ化解除要求送信部８０３は、位置情報取得部８０２から取得した現在位置情報の示す位置が、予め設定した設定領域内か否かを判定する（ステップＳ１２０４）。
【０１９０】
ここで、設定領域は、利用者Ａの自宅の領域が設定されているとする。また、車載機８０（即ち車両Ｖ）の現在位置として、例えば、利用者Ａの自宅の敷地内にある駐車場の位置（設定領域内の位置）を取得したとする。
これにより、グループ化解除要求送信部８０３は、車両Ｖの現在位置が設定領域内であると判定する（ステップＳ１２０４のＹｅｓ）。
以上により、グループ化解除要求送信部８０３は、設定領域内において、車両Ｖのイグニッションスイッチがオンからオフにされたことを検出する。
これにより、車載機８０は、グループ化解除要求送信部８０３において、グループ化解除要求をサーバ３０に送信する（ステップＳ３４０６）。
具体的に、グループ化解除要求送信部８０３は、車載機ＩＤ「Ｃ０００００００１」を含むグループ化解除要求を生成し、生成したグループ化解除要求を、通信部８０ｆを介してサーバ３０に送信する（ステップＳ１２０６）。
【０１９１】
一方、サーバ３０は、グループ化解除部３０４において、車載機８０からのグループ化解除要求を受信すると、該当グループのグループ化を解除する（ステップＳ３４０８）。
具体的に、グループ化解除部３０４は、グループ化解除要求を受信すると（ステップＳ１３００のＹｅｓ）、グループ化情報管理部３０ｃに記憶された、受信したグループ化解除要求に含まれる車載機ＩＤを含む利用者ＩＤ情報を削除する（ステップＳ１３０２）。その後、グループ化解除部３０４は、車載機ＩＤ「Ｃ０００００００１」を含むグループ化解除応答を生成し、生成したグループ化解除応答を、通信部３０ａを介して車載機８０に送信する（ステップＳ１３０４）。
グループ化解除応答は、車載機８０において受信され（ステップＳ１２０８）、グループ化解除が完了する。そして、グループ化が解除されることで、上記一連のグループ向け特典付与サービスが終了する。
【０１９２】
ここで、利用者ＩＤ記憶部７０ａが、利用者識別情報記憶部を構成する。
また、車載機８０が、乗り物に搭載された機器を構成し、車載機ＩＤ記憶部８０ｄが、機器識別情報記憶部を構成し、利用者ＩＤ読取部８０ａが、利用者識別情報取得部を構成し、グループ化要求送信部８００が、グループ化要求送信部を構成する。
また、イグニッション状態検出部８０１が、イグニッション状態検出部を構成し、位置情報取得部８０２が、位置情報取得部を構成し、グループ化解除要求送信部８０３が、グループ化解除要求送信部を構成し、地図情報記憶部８０ｈが、地図情報記憶部を構成する。
また、通信部３０ａ及びグループ化部３００が、グループ化要求受信部を構成し、グループ化部３００が、グループ化部を構成し、グループ化情報管理部３０ｃが、識別情報記憶部を構成し、特典付与部３０３が、特典付与部を構成する。
また、ポイント情報管理部３０ｄが、特典情報記憶部を構成する。
また、店舗端末４０が、施設端末を構成し、利用者ＩＤ取得部４０５が、利用者識別情報取得部を構成し、利用状況判定部４０２が、利用状況判定部を構成し、通信部４０ａ及び特典付与要求送信部４０３が、特典付与要求送信部を構成する。
【０１９３】
（第２実施形態の効果）
第２実施形態は、上記第１実施形態の効果に加えて、以下の効果を奏する。
（１）利用者に携帯される携帯機７０と、複数の利用者が同乗可能な乗り物（車両Ｖ）に搭載された機器（車載機８０）と、グループ向けの特典付与の対象となるサービスを提供する施設（店舗）に設置された店舗端末４０と、特典付与サービス提供サーバ３０とを備える。加えて、特典付与サービス提供サーバ３０と車載機８０とを通信回線を介して互いにデータ通信可能に接続すると共に、特典付与サービス提供サーバ３０と店舗端末４０とを通信回線を介して互いにデータ通信可能に接続する。
【０１９４】
携帯機７０は、利用者ＩＤ記憶部７０ａが、特典付与サービス提供サーバ３０に予め登録された、利用者に固有の識別情報である利用者ＩＤを記憶する。
車載機８０は、車載機ＩＤ記憶部８０ｄが、特典付与サービス提供サーバ３０に予め登録された、当該車載機８０に固有の識別情報である車載機ＩＤを記憶する。利用者ＩＤ読取部８０ａが、携帯機７０から利用者ＩＤを取得する。グループ化要求送信部８００が、利用者ＩＤ読取部８０ａが利用者ＩＤを取得すると、該取得した利用者ＩＤと車載機ＩＤ記憶部８０ｄに記憶された車載機ＩＤとを含むグループ化要求を特典付与サービス提供サーバ３０に送信する。
【０１９５】
店舗端末４０は、利用者ＩＤ取得部４０５が、携帯機７０から利用者ＩＤを取得する。利用状況判定部４０２が、利用者ＩＤ取得部４０５が取得した利用者ＩＤに対応する利用者のグループ向け特典付与サービスの利用状況が、予め設定した特典付与条件を満足したか否かを判定する。特典付与要求送信部４０３が、利用状況判定部４０２が特典付与条件を満足したと判定した場合に、該特典付与条件を満足した利用状況に対応する利用者の利用者ＩＤを含む特典付与要求を特典付与サービス提供サーバ３０に送信する。
【０１９６】
特典付与サービス提供サーバ３０は、通信部３０ａ及びグループ化部３００が、車載機８０からのグループ化要求を受信する。グループ化情報管理部３０ｃが、グループ化部３００が受信したグループ化要求に含まれる利用者ＩＤ及び車載機ＩＤを対応付けて記憶する。グループ化部３００が、グループ化情報管理部３０ｃに記憶された利用者ＩＤのうち、同じ車載機ＩＤが対応付けられた利用者ＩＤをグループ化する。特典付与部３０３が、店舗端末４０からの特典付与要求を受信すると、該特典付与要求に含まれる利用者ＩＤに対応する獲得特典情報（ポイント情報）に対して特典情報（ポイント）を付与する。加えて、該利用者ＩＤの属するグループの他の利用者ＩＤに対応する獲得特典情報に対しても特典情報を付与する。
【０１９７】
この構成であれば、特典付与サービス提供サーバ３０において、グループ化情報管理部３０ｃに記憶された利用者ＩＤのうち、共通の車載機ＩＤを有する利用者ＩＤをグループ化することが可能である。加えて、店舗端末４０において、グループに属する利用者ＩＤのうちのいずれ１に対応する利用者の、グループ向け特典付与対象サービスの利用状況が、例えば、支払い合計金額が設定金額以上等の予め設定した特典付与条件を満足するか否かを判定することが可能となる。更に、特典付与条件を満足した利用状況に対応する利用者の利用者ＩＤを含む特典付与要求を特典付与サービス提供サーバ３０に送信することが可能となる。そして、特典付与サービス提供サーバ３０は、店舗端末４０からの特典付与要求に含まれる利用者ＩＤと、該利用者ＩＤの属するグループの他の利用者ＩＤとに対応する獲得特典情報に対して特典情報を付与することが可能となる。
【０１９８】
その結果、車両Ｖ等の乗り物に同乗する家族や友人等の複数の利用者の利用者ＩＤをグループ化することが可能となる。加えて、このようにしてグループ化された利用者ＩＤに対応する利用者に対して、店舗等においてグループの全員の利用者ＩＤを取得する等の煩わしい作業をすることなく、簡易に、グループ向けの特典付与サービスを提供することが可能となる。
【０１９９】
（２）店舗端末４０は、クーポン情報記憶部４０ｄが、店舗で提供されるグループ向けの特典付与の対象となるサービスであるグループ向け特典付与サービスに適用可能なクーポンの情報を含むクーポン情報を記憶する。特典付与条件は、クーポンの種類毎に異なる条件を設定した。利用状況判定部４０２が、利用者ＩＤ取得部４０５が取得した利用者ＩＤの属するグループの全ての利用者ＩＤに対応する獲得特典情報に対して特典情報を付与可能なクーポンが、クーポン情報記憶部４０ｄに記憶されたクーポン情報の中にあるか否かを判定する。そして、付与可能なクーポンがあると判定した場合に、特典付与条件を満足したと判定する。
【０２００】
この構成であれば、店舗端末４０は、クーポン情報記憶部４０ｄに記憶されたクーポン情報の中に、例えば、取得した利用者ＩＤの属するグループの全利用者ＩＤ数（グループ人数）以上の特典付与の対象人数が設定されているクーポン情報などの、全利用者ＩＤに対応する獲得特典情報に対して特典情報を付与可能なクーポン情報があるか否かを判定する。そして、かかるクーポン情報があると判定すると、特典付与条件を満足したと判定し、特典付与条件を満足した利用者ＩＤを含む特典付与要求を特典付与サービス提供サーバ３０に送信することが可能となる。
その結果、利用者がクーポン情報を取得することなく、かつ、店舗等においてグループの全員の利用者ＩＤを取得する等の煩わしい作業をすることなく、特典付与条件を満足した利用者ＩＤに対応する利用者のグループに対して、簡易に、グループ向け特典付与サービスを提供することが可能となる。
【０２０１】
（３）特典付与サービス提供サーバ３０は、グループ化解除部３０４が、グループ化部３００がグループ化したグループのうち、予め設定した解除条件を満たしたグループのグループ化を解除する。
この構成であれば、特典付与サービス提供サーバ３０は、例えば、グループ化されてからの経過時間が設定時間以上となったグループ等の予め設定した解除条件を満たすグループのグループ化を解除することが可能となる。その結果、不要となったグループの情報を削除することが可能となり、かかる情報の保持に必要なメモリの利用効率を向上することが可能となる。
【０２０２】
（４）乗り物に搭載された機器を、車両Ｖに搭載された車載機８０とした。
車載機８０は、位置情報取得部８０２が、当該車載機８０の現在位置情報を取得する。地図情報記憶部８０ｈが、道路地図情報を記憶する。グループ化解除要求送信部８０３が、イグニッション状態検出部８０１が、イグニッションがオン状態からオフ状態になったことを検出すると、位置情報取得部８０２が取得した現在位置情報の示す位置（車載機８０の現在位置）が予め設定した設定領域内であるか否かを判定する。グループ化解除要求送信部８０３が、現在位置情報の示す位置が設定領域内であると判定した場合に、車載機ＩＤ記憶部８０ｄに記憶された車載機ＩＤを含むグループ化解除要求を特典付与サービス提供サーバ３０に送信する。
【０２０３】
特典付与サービス提供サーバ３０は、グループ化解除部３０４が、車載機８０からのグループ化解除要求を受信すると、解除条件を満たしたと判定し、受信したグループ化解除要求に含まれる車載機ＩＤに対応付けられた利用者ＩＤの属するグループのグループ化を解除する。
この構成であれば、車載機８０（車両Ｖ）の現在位置が、例えば、利用者の契約している駐車場等の設定領域内に含まれる位置であった場合に、該車両Ｖの車載機ＩＤに対応するグループのグループ化を解除することが可能となる。即ち、出先から戻ってきて車両Ｖを駐車場に駐車してイグニッションをオフにしたタイミング等の車両Ｖに乗車している利用者のグループが解散するタイミングで、グループ化を解除することが可能となる。
【０２０４】
（５）イグニッション状態検出部８０１が、車両Ｖのイグニッションがオン状態からオフ状態になったか否かを検出する。位置情報取得部８０２が、イグニッション状態検出部８０１が、車両Ｖのイグニッションがオン状態からオフ状態になったことを検出すると、当該車載機８０の現在位置情報を取得する。
この構成であれば、車両Ｖのイグニッションがオン状態からオフ状態となったときの該車両Ｖの現在位置が、例えば、利用者の契約している駐車場等の設定領域内に含まれる位置であった場合に、該車両Ｖの車載機ＩＤを有するグループのグループ化を解除することが可能となる。その結果、より適切なタイミングで、グループ化を解除することが可能となる。
【０２０５】
（６）設定領域を、利用者の自宅の領域と、レンタカーの集配所の領域とを含むように設定した。
この構成であれば、車載機８０の現在位置が、利用者の自宅を含む領域内又はレンタカーの集配所の領域内である場合に、該車両Ｖの車載機ＩＤを有するグループのグループ化を解除することが可能となる。
例えば、自宅の領域内（例えば、自宅の敷地内にある駐車場）で車両Ｖのイグニッションがオン状態からオフ状態となった場合、車両Ｖに乗車している利用者が帰宅した可能性が高い。また、レンタカーの集配所の領域内で、車両Ｖのイグニッションがオン状態からオフ状態となった場合は、レンタルしていた車両Ｖを返却した可能性が高い。これらは、いずれも、車両Ｖを用いた用件を済ませて、車両Ｖに同乗していた利用者のグループが解散する状況である可能性が高い。このような状況において、グループ化を解除するようにしたので、不要な情報をより適切に削除することが可能となる。
【０２０６】
（第３実施形態）
（構成）
第３実施形態の特典付与システム３は、第１実施形態の特典付与サービス提供サーバ３０に代えて特典付与サービス提供サーバ３５を備える一方、店舗端末４０を備えていない点が上記第１実施形態と異なる（図４０参照）。
更に、携帯機１０が、自己の現在位置情報と利用者ＩＤとを含む特典取得要求をサーバ３５に送信する。一方、サーバ３５は、携帯機１０からの特典取得要求に応じて、該携帯機１０に対して特典（電子アイテム）を含む特典取得応答を送信すると共に、該携帯機１０の利用者と同じグループに属する他の利用者の携帯機１０に対して特典を含む特典取得通知を送信する点が上記第１実施形態と異なる。
【０２０７】
以下、上記第１実施形態と同様の構成部については同じ符号を付して適宜説明を省略し、異なる部分を詳細に説明する。
まず、第３実施形態の特典付与システム３の構成について説明する。
特典付与システム３は、図４０（ａ）及び（ｂ）に示すように、携帯機１０Ａ〜１０Ｄと、車両Ｖに搭載された車載機２０と、特典付与サービス提供サーバ３５とを含んで構成される。
携帯機１０と、特典付与サービス提供サーバ３５とは、基地局５０及びネットワーク６０を介して相互にデータ通信可能に接続されている。
第３実施形態の特典付与サービス提供サーバ３５は、利用者の個人情報を登録する処理、利用者をグループ化する処理、利用者に対して特典を付与する処理、グループ化を解除する処理等を行う。
【０２０８】
（特典付与サービス提供サーバ３５のハードウェア構成）
次に、図４１に基づき、第３実施形態の特典付与サービス提供サーバ３５のハードウェア構成を説明する。
図４１に示すように、特典付与サービス提供サーバ３５は、通信部３０ａと、ＣＰＵ３０ｂと、グループ化情報管理部３０ｃと、ＲＴＣ３０ｇと、電子アイテム管理部３０ｊとを含んで構成される。
以下、特典付与サービス提供サーバ３５を、単に「サーバ３５」と称す。
第３実施形態のＣＰＵ３０ｂは、ハードディスク等の記憶媒体（不図示）に予め記憶された各種専用のコンピュータプログラムをＲＡＭ（不図示）に読み込む。そして、ＲＡＭに読み込まれたプログラムに記述された命令に従って、各種リソースを駆使して、後述する個人情報登録処理、グループ化処理、特典付与処理、グループ化解除処理等を実行する。
【０２０９】
電子アイテム管理部３０ｊは、アイテム管理データベースと、アイテム情報データベースとが記憶された記憶媒体である。この記憶媒体は、例えば、ハードディスク等の大容量の記憶媒体から構成される。
ここで、アイテム管理データベースは、利用者の個人情報と、獲得したアイテムの情報とが対応付けられて登録されたデータベースである。
ここで、個人情報は、例えば、利用者ＩＤ、利用者の名前、住所、電話番号、メールアドレス等を含む情報である。
また、獲得したアイテムの情報は、各利用者が獲得した電子アイテムのアイテムＩＤから構成される情報である。
また、アイテムＩＤは、電子アイテムを識別するためのＩＤである。
【０２１０】
電子アイテムは、例えば、予め登録された地域等に関わりのあるアイテム等であり、携帯電話機等の壁紙として利用できる登録地域に縁のある景色等のＣＧや、登録された地域で有名な楽曲のデータ等が含まれる。
また、アイテム情報データベースは、予めサーバ３５に登録された電子アイテムの情報であるアイテム情報が登録されたデータベースである。
ここで、アイテム情報は、例えば、アイテムＩＤ、各アイテムＩＤに対応する電子アイテム、各電子アイテムの取得条件、各電子アイテムの取得有効期限等を含んで構成される情報である。
【０２１１】
（携帯機１０の機能構成）
次に、図４２に基づき、第３実施形態の携帯機１０のＣＰＵ１０ｃにおいて専用のプログラムを実行することで実現される機能について説明する。
第３実施形態の携帯機１０の機能構成は、図４２に示すように、グループ化要求送信部１００と、位置情報取得部１０２と、個人情報登録要求部１０４と、特典取得要求送信部１０５とを含んで構成される。
特典取得要求送信部１０５は、タッチパネル１０ｇを介した、利用者からの特典取得指示に応じて、まず、位置情報取得部１０２から、携帯機１０の現在位置情報を取得する。そして、取得した現在位置情報と、利用者ＩＤ記憶部１０ｄに記憶された利用者ＩＤとを含む特典取得要求を、通信部１０ｆを介して、サーバ３５に送信する。加えて、特典取得要求送信部１０５は、サーバ３５からの特典取得応答を、通信部１０ｆを介して受信する。特典取得要求送信部１０５は、受信した特典取得応答に含まれる電子アイテム等を、不図示の記憶媒体に記憶する。
第３実施形態の位置情報取得部１０２は、特典取得要求送信部１０５からの位置情報の取得要求に応じて、ＧＰＳ受信機１０ｊから、複数のＧＰＳ衛星から受信したＧＰＳ信号を取得する。そして、取得したＧＰＳ信号から、携帯機１０の現在位置を計算する。位置情報取得部１０２は、計算した現在位置情報を、特典取得要求送信部１０５に入力する。
【０２１２】
（サーバ３５の機能構成）
次に、図４３に基づき、サーバ３５のＣＰＵ３０ｂにおいて専用のプログラムを実行することで実現される機能について説明する。
サーバ３５の機能構成は、図４３に示すように、グループ化部３００と、特典付与部３０３と、グループ化解除部３０４と、個人情報登録部３０５とを含んで構成される。
第３実施形態の特典付与部３０３は、携帯機１０からの特典取得要求を、通信部３０ａを介して受信する。特典付与部３０３は、特典取得要求を受信すると、まず、受信した特典取得要求に含まれる利用者ＩＤに基づき、グループ化情報管理部３０ｃから、該利用者ＩＤに対応するグループのグループ人数を取得する。
次に、特典付与部３０３は、取得したグループ人数と、受信した特典取得要求に含まれる現在位置情報とに基づき、アイテム情報データベースから、予め設定したアイテム取得条件を満たす電子アイテムを選定する。
【０２１３】
具体的に、各電子アイテムには、特典を取得可能なグループ人数と、特典を取得可能な位置情報とが予め設定されている。即ち、取得可能なグループ人数がサーバ３５から取得したグループ人数以上で、取得可能な位置が携帯機１０から取得した現在位置情報の示す位置に設定された電子アイテムが選定される。
特典付与部３０３は、アイテム取得条件を満足する電子アイテムを選定すると、選定した電子アイテムと、受信した特典取得要求に含まれる利用者ＩＤ、電子アイテムの取扱説明書等を含む詳細情報とを含む特典取得応答を生成する。そして、生成した特典取得応答を、通信部３０ａを介して、受信した特典取得要求の送信元の携帯機１０に送信する。
加えて、特典付与部３０３は、受信した特典取得要求に含まれる利用者ＩＤに対応するグループの他の利用者の携帯機１０に対して、選定した電子アイテムと各特典付与先の利用者の利用者ＩＤとを含む特典取得通知を生成する。そして、生成した特典取得通知を、通信部３０ａを介して、各携帯機１０に送信する。
【０２１４】
（グループ向け特典付与サービスの流れ）
次に、図４４に基づき、第３実施形態のグループ向け特典付与サービスの流れを説明する。
利用者が、サーバ３５に個人情報の登録を完了後にグループ向け特典付与サービスを利用する場合、図１０に示すように、まず、携帯機１０によって、車載機２０から車載機ＩＤを読み取る。そして、読み取った車載機ＩＤと利用者ＩＤとを含むグループ化要求をサーバ３５に送信する（ステップＳ１４００）。
サーバ３５は、携帯機１０からのグループ化要求に応じて、該グループ化要求に含まれる利用者ＩＤをグループ化する（ステップＳ１４０２）。
グループ化が完了後、利用者は、携帯機１０によって、該携帯機１０の現在位置情報と利用者ＩＤとを含む特典取得要求をサーバ３０に送信する（ステップＳ１４０４）。
【０２１５】
サーバ３５は、携帯機１０からの特典取得要求に応じて、特典付与条件を満たす特典（電子アイテム）を選定する（ステップＳ１４０６）。
引き続き、サーバ３５は、選定した電子アイテムを、要求元の携帯機１０と、受信した利用者ＩＤの属するグループの他の利用者の携帯機１０とに送信する（ステップＳ１４０６）。これにより、要求元の利用者と、該利用者の属するグループの他の構成員とに対して特典を付与する。
一方、サーバ３５は、定期的に、現在時刻とグループ化された利用者ＩＤの登録時刻とに基づき、登録時刻からの経過時間が予め設定した設定時間を経過しているか否かを判定する。そして、設定時間を経過していると判定したグループのグループ化を解除する（ステップＳ１４１０）。これにより、グループ向け特典付与サービスの一連の流れが終了する。
【０２１６】
（特典取得要求送信処理）
次に、図４５に基づき、第３実施形態の携帯機１０の特典取得要求送信部１０５で行われる特典取得要求送信処理の処理手順を説明する（上記ステップＳ１４０４に対応）。なお、特典取得要求送信処理は、予め設定した周期で繰り返し実行される。
ＣＰＵ１０ｃにおいて、専用のプログラムが実行され特典取得要求送信処理が開始されると、図４５に示すように、まず、ステップＳ１５００に移行する。
ステップＳ１５００では、特典取得要求送信部１０５において、タッチパネル１０ｇを介した、利用者からの位置情報送信指示があったか否かを判定する。そして、位置情報送信指示があったと判定した場合（Ｙｅｓ）は、ステップＳ１５０２に移行し、そうでないと判定した場合（Ｎｏ）は、ステップＳ１５１０に移行する。
ステップＳ１５０２に移行した場合は、特典取得要求送信部１０５において、位置情報取得部１０２を介して、携帯機１０の現在位置情報を取得して、ステップＳ１５０４に移行する。
【０２１７】
ステップＳ１５０４では、特典取得要求送信部１０５において、利用者ＩＤ記憶部１０ｄから利用者ＩＤを読み出し、読み出した利用者ＩＤと、ステップＳ１５０２で取得した現在位置情報とを含む特典取得要求を生成する。そして、生成した特典取得要求を、通信部１０ｆを介してサーバ３５に送信する。その後、ステップＳ１５０６に移行する。
ステップＳ１５０６では、特典取得要求送信部１０５において、サーバ３５からの特典取得応答を受信したか否かを判定する。そして、受信したと判定した場合（Ｙｅｓ）は、ステップＳ１５０８に移行し、そうでないと判定した場合（Ｎｏ）は、受信するか又はタイムオーバとなるまで判定を繰り返す。
【０２１８】
ステップＳ１５０８に移行した場合は、特典取得要求送信部１０５において、受信した特典取得応答又は特典取得通知に含まれる電子アイテム及び取扱説明書等を、不図示の記憶媒体に記憶する。その後、一連の処理を終了する。
一方、ステップＳ１５００で、特典取得要求を受信せずにステップＳ１５１０に移行した場合は、特典取得要求送信部１０５において、サーバ３５からの特典取得通知を受信したか否かを判定する。そして、受信したと判定した場合（Ｙｅｓ）は、ステップＳ１５０８に移行し、そうでないと判定した場合（Ｎｏ）は、一連の処理を終了する。
【０２１９】
（特典付与処理）
次に、図４６に基づき、サーバ３５の特典付与部３０３で行われる特典付与処理の処理手順を説明する（上記ステップＳ１４０６〜Ｓ１４０８に対応）。なお、特典付与処理は、予め設定した周期で繰り返し実行される。
ＣＰＵ３０ｂにおいて、専用のプログラムが実行され特典付与処理が開始されると、図４６に示すように、まず、ステップＳ１６００に移行する。
ステップＳ１６００では、特典付与部３０３において、携帯機１０からの特典取得要求を受信したか否かを判定する。そして、受信したと判定した場合（Ｙｅｓ）は、ステップＳ１６０２に移行し、そうでないと判定した場合（Ｎｏ）は、一連の処理を終了する。
ステップＳ１６０２に移行した場合は、特典付与部３０３において、グループ化情報管理部３０ｃから、特典取得要求に含まれる利用者ＩＤに対応する利用者の属するグループ人数情報を取得する。その後、ステップＳ１６０４に移行する。
【０２２０】
ステップＳ１６０４では、特典付与部３０３において、ステップＳ１６０２で取得したグループ人数と、受信した特典取得要求に含まれる携帯機１０の現在位置情報とに基づき、アイテム情報データベースから、アイテム取得条件を満たす電子アイテムを選定する。その後、ステップＳ１６０６に移行する。
具体的に、アイテム情報データベースに登録された電子アイテムの中から、アイテム取得条件として予め設定した電子アイテムを取得可能なグループ人数が、取得したグループ人数情報の示す人数以上となり、かつ、アイテム取得条件として予め設定した設定場所が、取得した現在位置情報の示す位置となる電子アイテムを選定する。
【０２２１】
ステップＳ１６０６では、特典付与部３０３において、ステップＳ１６０４で選定した電子アイテムの情報と、受信した特典取得要求に含まれる利用者ＩＤ、電子アイテムの取扱説明書等の詳細情報等とを含む特典取得応答を生成する。そして、生成した特典取得応答を、通信部３０ａを介して特典取得要求の送信元の携帯機１０に送信する。その後、ステップＳ１６０８に移行する。
ステップＳ１６０８では、特典付与部３０３において、受信した特典取得要求に含まれる利用者ＩＤの属するグループの他の利用者ＩＤに対応する利用者の携帯機１０に対して、通信部３０ａを介して特典取得通知を送信する。その後、一連の処理を終了する。
具体的に、特典付与部３０３は、ステップＳ１６０４で選定した電子アイテムの情報と、特典付与対象の他の利用者ＩＤとを含む特典取得通知を生成する。そして、生成した特典取得通知を、各利用者の携帯機１０に送信する。例えば、利用者Ａの携帯機１０Ａから特典取得要求を受信した場合に、同じグループに属する利用者Ｂ〜Ｄの携帯機１０Ｂ〜１０Ｄに対して特典取得通知を送信する。
【０２２２】
（動作）
次に、図１〜図４６を参照しつつ、図４７〜図４８に基づき、第３実施形態の特典付与システム３の動作を説明する。
ここで、利用者が個人情報を登録して、携帯機１０の利用者ＩＤ記憶部１０ｄに自己の利用者ＩＤが記憶されるまでの動作については、上記第１実施形態と同様となるので説明を省略する。また、サーバ３５のグループ化の動作及びグループ化解除の動作についても、上記第１実施形態と同様となるので説明を省略する。
以下、グループ化を完了後の動作から説明する。
ここでは、同じ車両Ｖに、利用者ＩＤの登録が完了した携帯機１０Ａ〜１０Ｄを携帯した利用者Ａ〜Ｄの４人が同乗しており、この４人が同じグループに属することとする。
【０２２３】
以下、利用者Ａ〜Ｄは、区別する必要が無い場合に、単に「利用者」と称す。
利用者ＩＤの登録が完了すると、図４７に示すように、携帯機１０Ａは、特典取得要求送信部１０５において、利用者Ａからの位置情報送信指示を受け付ける（ステップＳ３５００）。
具体的に、特典取得要求送信部１０５は、利用者Ａのタッチパネル１０ｇを介した位置情報送信指示の入力があったか否かを判定する（ステップＳ１５００のＹｅｓ）。
これにより、特典取得要求送信部１０５は、位置情報送信指示の入力があったと判定すると、特典取得要求をサーバ３５に送信する（ステップＳ３５０２）。
【０２２４】
具体的に、特典取得要求送信部１０５は、位置情報送信指示が入力されると（ステップＳ１５００のＹｅｓ）、まず、位置情報の取得要求を位置情報取得部１０２に入力する。これにより、位置情報取得部１０２から、携帯機１０Ａの現在位置情報を取得する（ステップＳ１５０２）。
引き続き、特典取得要求送信部１０５は、携帯機１０Ａの現在位置情報を取得すると、取得した現在位置情報と、利用者ＩＤ記憶部１０ｄに記憶された利用者ＩＤとを含む特典取得要求を生成する。そして、生成した特典取得要求を、通信部１０ｆを介してサーバ３５に送信する（ステップＳ１５０４）。
【０２２５】
また、ここでは、利用者Ａの所持する携帯機１０Ａに登録された利用者ＩＤを「Ｕ００００００１」、利用者Ｂの所持する携帯機１０Ｂに登録された利用者ＩＤを「Ｕ０００００００２」とする。加えて、利用者Ｃの所持する携帯機１０Ｃに登録された利用者ＩＤを「Ｕ０００００００３」、利用者Ｄの所持する携帯機１０Ｄに登録された利用者ＩＤを「Ｕ０００００００４」とする。
一方、サーバ３５は、携帯機１０Ａからの特典取得要求を受信すると、特典付与部３０３において、利用者Ａの属するグループのグループ人数を取得する（ステップＳ３５０４）。
【０２２６】
具体的に、特典付与部３０３は、特典取得要求を受信すると（ステップＳ１６００のＹｅｓ）、グループ化情報管理部３０ｃから、受信した特典取得要求に含まれる利用者ＩＤの属するグループのグループ人数を取得する。ここでは、グループ人数「４人」が取得される。
引き続き、サーバ３５は、特典付与部３０３において、利用者Ａの利用者ＩＤが属するグループのグループ人数と、携帯機１０Ａの現在位置情報とに基づき、アイテム取得条件を満たす電子アイテムを選定する（ステップＳ３５０６）。
【０２２７】
具体的に、特典付与部３０３は、アイテム情報データベースに登録された電子アイテムの中から、取得可能なグループ人数が「４」人以上に設定され、かつ、設定場所が携帯機１０Ａの現在位置又は現在位置を含む位置範囲に設定された電子アイテムを選定する（ステップＳ１６０４）。
ここで、電子アイテム管理部３０ｊが備えるアイテム管理データベースは、例えば、図４８（ａ）のように構成され、アイテム情報データベースは、例えば、図４８（ｂ）のように構成されているとする。
【０２２８】
即ち、アイテム管理データベースは、図４８（ａ）に示すように、利用者ＩＤと、利用者Ａの名前、住所及びメールアドレスと、獲得した電子アイテムのアイテムＩＤとが対応付けられて登録されている。
また、アイテム情報データベースは、アイテムＩＤと、各アイテムＩＤに対応する電子アイテムと、各電子アイテムの取得条件（特典付与条件）と、各電子アイテムの取得有効期限とが対応付けられて登録されている。なお、取得条件としては、電子アイテムを取得可能なグループ人数と、電子アイテムを取得可能な場所とが設定されている。
【０２２９】
電子アイテムは、該電子アイテムを受信した携帯端末において利用できるアイテム等であり、例えば、壁紙として使用可能なＣＧデータや、該携帯端末において再生可能な楽曲データなどが該当する。
また、取得条件である電子アイテムを取得可能な場所は、例えば、緯度及び経度の範囲で指定される場合や、ピンポイントの緯度及び経度で指定される場合がある。また、ピンポイントで指定される場所の電子アイテムとして、例えば、希少価値のあるアイテムを設定してもよい。
【０２３０】
特典付与部３０３は、図４８（ｂ）に示すアイテム情報データベースから、特典の付与対象となるグループ人数が「４人」以上で、かつ、設定場所が携帯機１０Ａの現在位置を含む電子アイテムを選定する。ここでは、アイテムＩＤ「Ｉ０００００００３」に対応する電子アイテムが選定されたこととする。
このとき、第３実施形態の特典付与部３０３は、ＲＴＣ３０ｇから現在時刻情報を取得し、有効期限内の電子アイテムの中から、アイテム取得条件を満足する電子アイテムを選定する。
【０２３１】
引き続き、特典付与部３０３は、アイテム取得条件を満たす電子アイテムを選定すると、該電子アイテムを含む特典取得応答を、携帯機１０Ａに送信する（ステップＳ３５０８）。
具体的に、特典付与部３０３は、選定した電子アイテムと、利用者Ａの利用者ＩＤ「Ｕ００００００１」、電子アイテムの取扱説明書等を含む詳細情報とを含む特典取得応答を生成する。そして、生成した特典取得応答を、通信部３０ａを介して携帯機１０Ａに送信する（ステップＳ１６０６）。
【０２３２】
続いて、特典付与部３０３は、選定した電子アイテム及び詳細情報を含む特典取得通知を、グループの他の構成員の携帯機１０Ｂ〜１０Ｄにそれぞれ送信する（ステップＳ３５１０）。
具体的に、特典付与部３０３は、選定した電子アイテムと、利用者Ｂの利用者ＩＤ「Ｕ００００００２」、電子アイテムの取扱説明書等を含む詳細情報とを含む特典取得通知を生成し、生成した特典取得通知を、通信部３０ａを介して携帯機１０Ｂに送信する。加えて、選定した電子アイテムと、利用者Ｃの利用者ＩＤ「Ｕ００００００３」、電子アイテムの取扱説明書等を含む詳細情報とを含む特典取得通知を生成し、生成した特典取得通知を、通信部３０ａを介して携帯機１０Ｃに送信する。更に、選定した電子アイテムと、利用者Ｄの利用者ＩＤ「Ｕ００００００４」、電子アイテムの取扱説明書等を含む詳細情報とを含む特典取得通知を生成し、生成した特典取得通知を、通信部３０ａを介して携帯機１０Ｄに送信する（ステップＳ１６０８）。
【０２３３】
携帯機１０Ａは、サーバ３５からの特典取得応答を受信すると、受信した特典取得応答に含まれる、アイテムＩＤ「Ｉ０００００００３」に対応する電子アイテム及び取扱説明書等を、携帯機１０Ａが備える不図示の記憶媒体に記憶する。
一方、携帯機１０Ｂ〜１０Ｄは、それぞれ、サーバ３５からの特典取得通知を受信すると、受信した特典取得通知に含まれる、アイテムＩＤ「Ｉ０００００００３」に対応する電子アイテム及び取扱説明書等を、携帯機１０Ｂ〜１０Ｄが備える不図示の記憶媒体に記憶する。
利用者は、携帯機１０において、電子アイテムを取得すると、例えば、取得した電子アイテムが壁紙等の画像データであればタッチパネル１０ｇに画像を表示し、楽曲データであれば、携帯機１０が予め備える再生ソフトを用いて楽曲を再生する。
【０２３４】
ここで、利用者ＩＤ記憶部１０ｄが、利用者識別情報記憶部を構成し、通信部１０ｆ及びグループ化要求送信部１００が、グループ化要求送信部を構成する。
また、位置情報取得部１０２が、位置情報取得部を構成し、通信部１０ｆ及び特典取得要求送信部１０５が、特典取得要求送信部を構成する。
また、車載機ＩＤ読取部１０ａ及びグループ化要求送信部１００が、機器識別情報取得部を構成する。
また、車載機２０が、乗り物に搭載された機器を構成し、車載機ＩＤ記憶部２０ａが、機器識別情報記憶部を構成する。
また、通信部３０ａ及びグループ化部３００が、識別情報受信部及びグループ化要求受信部を構成し、グループ化部３００が、グループ化部を構成し、グループ化情報管理部３０ｃが、識別情報記憶部を構成し、特典付与部３０３が、特典付与部を構成する。
また、電子アイテム管理部３０ｊが、電子アイテム情報記憶部を構成する。
【０２３５】
（第３実施形態の効果）
第３実施形態は、上記第１実施形態の効果に加えて、次のような効果を奏する。
（１）利用者に携帯される携帯機１０と、特典付与サービス提供サーバ３０とを備える。加えて、特典付与サービス提供サーバ３５と携帯機１０とを通信回線を介して互いにデータ通信可能に接続する。
携帯機１０は、利用者ＩＤ記憶部１０ｄが、特典付与サービス提供サーバ３５に予め登録された、利用者に固有の識別情報である利用者ＩＤを記憶する。グループ化要求送信部１００が、利用者ＩＤ記憶部１０ｄに記憶された利用者ＩＤを含むグループ化要求を、通信部１０ｆを介して特典付与サービス提供サーバ３５に送信する。位置情報取得部１０２が、当該携帯機１０の現在位置情報を取得する。特典取得要求送信部１０５が、位置情報取得部１０２が取得した現在位置情報と、利用者ＩＤ記憶部１０ｄに記憶された利用者ＩＤとを含む特典取得要求を特典付与サービス提供サーバ３５に送信する。
【０２３６】
特典付与サービス提供サーバ３５は、グループ化部３００が、携帯機１０からのグループ化要求を、通信部３０ａを介して受信すると、受信したグループ化要求に含まれる利用者ＩＤをグループ化情報管理部３０ｃに記憶する。グループ化部３００が、グループ化情報管理部３０ｃに記憶された利用者ＩＤのうち、予め設定したグループ化条件を満たす利用者ＩＤをグループ化する。特典付与部３０３が、携帯機１０からの特典取得要求を通信部３０ａを介して受信する。特典付与部３０３が、受信した特典取得要求に含まれる現在位置情報の示す位置が、予め設定した特典を取得可能な位置である場合に、受信した特典取得要求に含まれる利用者ＩＤに対応する利用者の携帯機１０に対して特典情報を付与する。加えて、該利用者ＩＤの属するグループの他の利用者ＩＤに対応する利用者の携帯機１０に対しても特典情報を付与する。
【０２３７】
この構成であれば、特典付与サービス提供サーバ３５において、携帯機１０からのグループ化要求に応じて、例えば、共通の登録情報を有する利用者等の予め設定したグループ化条件を満たす利用者をグループ化することが可能である。加えて、グループに属する利用者ＩＤに対応する利用者の携帯機１０から、利用者ＩＤと該携帯機１０の現在位置情報とを含む特典取得要求を特典付与サービス提供サーバ３５に送信することが可能となる。そして、特典付与サービス提供サーバ３５は、特典取得要求に含まれる携帯機１０の現在位置情報の示す位置で特典が取得可能な場合に、特典取得要求に含まれる利用者ＩＤに対応する利用者の携帯機と、該利用者ＩＤの属するグループの他の利用者ＩＤに対応する利用者の携帯機とに対して特典情報を付与することが可能となる。
その結果、特典の取得条件を満足した利用者の属するグループに対して、簡易に、グループ向けの特典付与サービスを提供することが可能となる。
【０２３８】
（２）特典付与サービス提供サーバ３５は、電子アイテム管理部３０ｊが、電子アイテムと、該電子アイテムを取得可能なグループ人数と、該電子アイテムを取得可能な位置情報とを含む電子アイテム情報（アイテム情報データベース）を記憶する。特典付与部３０３が、電子アイテム管理部３０ｊに記憶された電子アイテムのうちから、特典取得要求に含まれる利用者ＩＤが属するグループの全ての利用者ＩＤに対応する利用者が取得可能で、かつ、該特典取得要求に含まれる現在位置情報の示す位置で取得可能な電子アイテムを選定する。そして、選定した電子アイテムを、特典取得要求に含まれる利用者ＩＤに対応する利用者の携帯機１０に送信することに加えて、該利用者ＩＤの属するグループの他の利用者ＩＤに対応する利用者の携帯機１０に対しても送信する。
【０２３９】
この構成であれば、特典付与サービス提供サーバ３５は、グループを構成する利用者ＩＤに対応する利用者の全員が取得可能で、かつ、携帯機１０の現在位置で取得可能な電子アイテムを、該利用者ＩＤの属するグループの全ての利用者ＩＤに対応する利用者の携帯機１０に送信することが可能となる。その結果、利用者は、特典を電子アイテムという形ですぐに取得することが可能となる。加えて、グループ人数を取得条件とすることで、利用者のグループの一部しか特典を取得できないといった状況が発生するのを防ぐことが可能となる。
【０２４０】
（変形例）
（１）上記第１及び第２実施形態では、グループの構成員の全員に対して同じ内容の特典を付与する構成としたが、この構成に限らない。例えば、商品を購入した利用者に対して付与する特典の価値に対して、他の構成員に対して付与する特典の価値を低くするなど付与する特典に差をつける構成としてもよい。具体的には、例えば、購入者に対してショップポイントを１００ポイント付与するのに対して、グループの他の構成員に対して５０ポイントを付与する。
【０２４１】
（２）上記第１及び第２実施形態では、購入する商品の種類等に関係なく、商品の購入金額（支払い金額）を特典付与条件として設定する構成としたが、この構成に限らない。例えば、特典付与対象となる商品を予め設定し、特典付与対象の商品を購入した場合、又は、特典付与対象の商品を含む商品の購入金額が設定金額以上の場合等に特典付与条件を満足したと判定する構成としてもよい。
（３）上記第１及び第３実施形態では、１台の車載機２０を設ける構成としたが、この構成に限らない。車載機２０は、１台に限らず、例えば、車両の座席毎に近くのドア等に設ける等、複数台を設ける構成としてもよい。このことは、車両以外の他の乗り物とした場合についても同様である。
【０２４２】
（４）上記第１及び第２実施形態では、店舗端末４０が、クーポン利用条件（特典付与条件）を満足するか否かを判定する構成としたが、この構成に限らず、サーバ３０が、クーポン利用条件（特典付与条件）を満足するか否かを判定する構成としてもよい。例えば、上記第１実施形態の構成であれば、店舗端末４０は、購入金額の情報と、利用者ＩＤと、使用されたクーポンＩＤとを含む情報を、サーバ３０に送信する。そして、サーバ３０は、これら受信した情報に基づきクーポン利用条件を満足するか否かを判定する。
【０２４３】
（５）上記第１〜第３実施形態では、車載機ＩＤ及びグループ化要求を受信時の日付情報をグループ化の条件とする構成としたが、この構成に限らない。携帯機１０又は車載機８０から、グループ化の条件となる他の情報を送信する構成としてもよいし、利用者が、グループ化要求を送信時に予め設定した複数の条件の中から任意の条件を選択できる構成としてもよい。例えば、利用者が、家族でグループを構成したい場合に、条件として家族を指定することで、サーバ３０では、住所や電話番号等が共通の利用者ＩＤをグループ化する。
【０２４４】
（６）上記第１〜第３実施形態では、乗り物に搭載された機器として車両Ｖに搭載された車載機を例に挙げて説明したが、この構成に限らない。例えば、船舶、電車、航空機等の他の乗り物に搭載された機器で構成してもよい。
（７）上記第３実施形態では、携帯機１０に電子アイテムを送信することで特典を付与する構成としたが、この構成に限らない。例えば、ソーシャルゲーム等のように、各利用者の取得した電子アイテムをサーバ上で管理する構成とした場合は、特典として付与する電子アイテムのアイテムＩＤを、サーバ上に保存された該当の利用者のアイテム情報に付加する構成としてもよい。
【０２４５】
（８）上記第１〜第３実施形態では、車載機ＩＤと、日付情報とに基づきグループ化を行う構成としたが、この構成に限らない。例えば、サーバに登録された利用者の個人情報に基づきグループ化する構成など、他の情報に基づいてグループ化する構成としてもよい。例えば、生年月日が同じ利用者、住所が同じ利用者、電話番号の下３桁が同じ利用者等をグループ化する。
（９）上記第２実施形態では、グループ化解除の条件を判定する処理において、イグニッションスイッチ９０がオン状態からオフ状態となったときの車載機８０の現在位置が設定領域内か否かを判定する構成としたが、この構成に限らない。例えば、シフト位置がパーキングレンジになったときの車載機８０の現在位置が設定領域内か否かを判定するなど他の構成としてもよい。
【０２４６】
（１０）上記第１〜第３実施形態では、グループ化の条件となるＩＤを有する機器として、車載機ＩＤを有する車載機を例に挙げて説明したが、この構成に限らない。例えば、車両等の乗り物に搭載された機器に限らず、ホテルの客室内等の家族や友人等のグループが共用する施設に設けた機器等で構成してもよい。
また、上記実施形態は、本発明の好適な具体例であり、技術的に好ましい種々の限定が付されているが、本発明の範囲は、上記の説明において特に本発明を限定する旨の記載がない限り、これらの形態に限られるものではない。また、上記の説明で用いる図面は、図示の便宜上、部材ないし部分の縦横の縮尺は実際のものとは異なる模式図である。
また、本発明は上記実施形態に限定されるものではなく、本発明の目的を達成できる範囲での変形、改良、均等物等は本発明に含まれるものである。
【符号の説明】
【０２４７】
Ｖ  自車両
１〜３  特典付与システム
１０，７０  携帯機
２０，８０  車載機
３０，３５  特典付与サービス提供サーバ
４０  店舗端末
５０  基地局
６０  ネットワーク
１０ａ  車載機ＩＤ読取部
１０ｃ，３０ｂ，４０ｂ，８０ｃ  ＣＰＵ
１０ｄ  利用者ＩＤ記憶部
１０ｆ，３０ａ，４０ａ，８０ｆ  通信部
１０ｇ  タッチパネル
１０ｈ，８０ｈ  地図情報記憶部
１０ｊ，８０ｇ  ＰＳ受信機
２０ａ  車載機ＩＤ記憶部
３０ｃ  グループ化情報管理部
３０ｄ  ポイント情報管理部
３０ｆ  クーポン情報管理部
３０ｇ  ＲＴＣ
３０ｊ  電子アイテム管理部
４０ｃ  利用者ＩＤ認証部
４０ｄ  クーポン情報記憶部
４０ｆ  表示部
４０ｇ  商品コード読取部
４０ｈ  商品情報管理部
１００，８００  グループ化要求送信部
１０１  クーポン取得部
１０２，８０２  位置情報取得部
１０３  クーポン情報表示部
１０５  特典取得要求送信部
３００  グループ化部
３０１  クーポン情報送信部
３０２  グループ人数情報送信部
３０３  特典付与部
３０４  グループ化解除部
４００  クーポンＩＤ取得部
４０１  人数情報取得要求送信部
４０２  利用状況判定部
４０３  特典付与要求送信部
４０５  利用者ＩＤ取得部
８０１  イグニッション状態検出部
８０３  グループ化解除要求送信部
【図１】
2017049622.tif 000003
【図２】
2017049622.tif 000004
【図３】
2017049622.tif 000005
【図４】
2017049622.tif 000006
【図５】
2017049622.tif 000007
【図６】
2017049622.tif 000008
【図７】
2017049622.tif 000009
【図８】
2017049622.tif 000010
【図９】
2017049622.tif 000011
【図１０】
2017049622.tif 000012
【図１１】
2017049622.tif 000013
【図１２】
2017049622.tif 000014
【図１３】
2017049622.tif 000015
【図１４】
2017049622.tif 000016
【図１５】
2017049622.tif 000017
【図１６】
2017049622.tif 000018
【図１７】
2017049622.tif 000019
【図１８】
2017049622.tif 000020
【図１９】
2017049622.tif 000021
【図２０】
2017049622.tif 000022
【図２１】
2017049622.tif 000023
【図２２】
2017049622.tif 000024
【図２３】
2017049622.tif 000025
【図２４】
2017049622.tif 000026
【図２５】
2017049622.tif 000027
【図２６】
2017049622.tif 000028
【図２７】
2017049622.tif 000029
【図２８】
2017049622.tif 000030
【図２９】
2017049622.tif 000031
【図３０】
2017049622.tif 000032
【図３１】
2017049622.tif 000033
【図３２】
2017049622.tif 000034
【図３３】
2017049622.tif 000035
【図３４】
2017049622.tif 000036
【図３５】
2017049622.tif 000037
【図３６】
2017049622.tif 000038
【図３７】
2017049622.tif 000039
【図３８】
2017049622.tif 000040
【図３９】
2017049622.tif 000041
【図４０】
2017049622.tif 000042
【図４１】
2017049622.tif 000043
【図４２】
2017049622.tif 000044
【図４３】
2017049622.tif 000045
【図４４】
2017049622.tif 000046
【図４５】
2017049622.tif 000047
【図４６】
2017049622.tif 000048
【図４７】
2017049622.tif 000049
【図４８】
2017049622.tif 000050